(57)【特許請求の範囲】
【請求項１】
画素が、第１の方向にＰ０個、第２の方向にＱ０個の合計、Ｐ０×Ｑ０個、２次元マトリクス状に配列されて成る画像表示パネル、及び、信号処理部を備え、
各画素は、第１原色を表示する第１副画素、第２原色を表示する第２副画素、第３原色を表示する第３副画素、及び、第４の色を表示する第４副画素から成り、
前記第１副画素、前記第２副画素、前記第３副画素及び前記第４副画素が前記第１の方向に沿って配列され、
信号処理部において、
画素への第１副画素・出力信号を、画素への第１副画素・入力信号に基づき求め、第１副画素へ出力し、
画素への第２副画素・出力信号を、画素への第２副画素・入力信号に基づき求め、第２副画素へ出力し、
画素への第３副画素・出力信号を、画素への第３副画素・入力信号に基づき求め、第３副画素へ出力する画像表示装置の駆動方法であって、
信号処理部において、更に、
第２の方向に沿って数えたときの第（ｐ，ｑ）番目［但し、ｐ＝１，２・・・Ｐ０であり、ｑ＝１，２・・・，Ｑ０である］の画素における第１副画素・入力信号、第２副画素・入力信号及び第３副画素・入力信号から求められた第４副画素・制御第２信号、並びに、第２の方向に沿って第（ｐ，ｑ）番目の画素に隣接した隣接画素における第１副画素・入力信号、第２副画素・入力信号及び第３副画素・入力信号から求められた第４副画素・制御第１信号に基づき第４副画素・出力信号を求め、第（ｐ，ｑ）番目の画素の第４副画素へ出力し、
前記各画素の前記第４副画素は、前記第２の方向に沿って配列し、
Ｍｉｎ（ｐ，ｑ）に基づき第４副画素・制御第２信号値ＳＧ２−（ｐ，ｑ）を求め、Ｍｉｎ（ｐ，ｑ’）に基づき第４副画素・制御第１信号値ＳＧ１−（ｐ，ｑ）を求め、
第（ｐ，ｑ）番目の画素における第４副画素・出力信号値Ｘ４−（ｐ，ｑ）は、前記第４副画素・制御第２信号値ＳＧ２−（ｐ，ｑ）と前記第４副画素・制御第１信号値ＳＧ１−（ｐ，ｑ）とのうち、信号値が小さい方の信号値よりも信号値が大きく、信号値が大きい方の信号値よりも信号値が小さい画像表示装置の駆動方法。
ここで、
Ｍｉｎ（ｐ，ｑ）：第（ｐ，ｑ）番目の画素への第１副画素・入力信号、第２副画素・入力信号及び第３副画素・入力信号の最小値
Ｍｉｎ（ｐ，ｑ’）：第（ｐ，ｑ）番目の画素に隣接した隣接画素への第１副画素・入力信号、第２副画素・入力信号及び第３副画素・入力信号の最小値  
である。
【請求項２】
第（ｐ，ｑ）番目の画素における前記第４副画素・出力信号値Ｘ４−（ｐ，ｑ）を、前記第４副画素・制御第２信号値ＳＧ２−（ｐ，ｑ）と前記第４副画素・制御第１信号値ＳＧ１−（ｐ，ｑ）との平均から求める、
請求項１に記載の画像表示装置の駆動方法。
【請求項３】
χを画像表示装置に依存した定数としたとき、
第４の色を加えることで拡大されたＨＳＶ色空間における彩度Ｓを変数とした明度の最大値Ｖｍａｘ（Ｓ）を、信号処理部において求め、
信号処理部において、
（ａ）複数の画素における副画素・入力信号値に基づき、複数の画素における彩度Ｓ及び明度Ｖ（Ｓ）を求め、
（ｂ）複数の画素において求められたＶｍａｘ（Ｓ）／Ｖ（Ｓ）の値の内、少なくとも１つの値に基づいて伸長係数α０を求め、
（ｃ）第（ｐ，ｑ）番目の画素における第１副画素・出力信号値Ｘ１−（ｐ，ｑ）を、以下の式（１）から求め、第２副画素・出力信号値Ｘ２−（ｐ，ｑ）を、以下の式（２）から求め、第３副画素・出力信号値Ｘ３−（ｐ，ｑ）を、以下の式（３）から求める請求項１又は２に記載の画像表示装置の駆動方法。
Ｘ１−（ｐ，ｑ）＝α０・ｘ１−（ｐ，ｑ）−χ・ＳＧ２−（ｐ，ｑ）・・・（１）
Ｘ２−（ｐ，ｑ）＝α０・ｘ２−（ｐ，ｑ）−χ・ＳＧ２−（ｐ，ｑ）・・・（２）
Ｘ３−（ｐ，ｑ）＝α０・ｘ３−（ｐ，ｑ）−χ・ＳＧ２−（ｐ，ｑ）・・・（３）
ここで、
ｘ１−（ｐ，ｑ）：第（ｐ，ｑ）番目の画素における第１副画素・入力信号値
ｘ２−（ｐ，ｑ）：第（ｐ，ｑ）番目の画素における第２副画素・入力信号値
ｘ３−（ｐ，ｑ）：第（ｐ，ｑ）番目の画素における第４副画素・入力信号値
であり、
第（ｐ，ｑ）番目の画素における彩度をＳ（ｐ，ｑ）、明度をＶ（ｐ，ｑ）としたとき、
Ｓ（ｐ，ｑ）＝（Ｍａｘ（ｐ，ｑ）−Ｍｉｎ（ｐ，ｑ））／Ｍａｘ（ｐ，ｑ）
Ｖ（ｐ，ｑ）＝Ｍａｘ（ｐ，ｑ）
で表され、
Ｍａｘ（ｐ，ｑ）：第（ｐ，ｑ）番目の画素における第１副画素・入力信号値ｘ１−（ｐ，ｑ）、第２副画素・入力信号値ｘ２−（ｐ，ｑ）、及び、第３副画素・入力信号値ｘ３−（ｐ，ｑ）の３つの副画素・入力信号値の最大値
Ｍｉｎ（ｐ，ｑ）：第（ｐ，ｑ）番目の画素における第１副画素・入力信号値ｘ１−（ｐ，ｑ）、第２副画素・入力信号値ｘ２−（ｐ，ｑ）、及び、第３副画素・入力信号値ｘ３−（ｐ，ｑ）の３つの副画素・入力信号値の最小値
である。
【請求項４】
第（ｐ，ｑ）番目の画素における第４副画素・出力信号値Ｘ４−（ｐ，ｑ）を、Ｃ１１及びＣ１２を定数としたとき、
Ｘ４−（ｐ，ｑ）＝（Ｃ１１・ＳＧ２−（ｐ，ｑ）＋Ｃ１２・ＳＧ１−（ｐ，ｑ））／（Ｃ１１＋Ｃ１２）
にて求め、又は、
Ｘ４−（ｐ，ｑ）＝Ｃ１１・ＳＧ２−（ｐ，ｑ）＋Ｃ１２・ＳＧ１−（ｐ，ｑ）
にて求め、又は、
Ｘ4-(p,q)＝Ｃ１１・（ＳＧ２−（ｐ，ｑ）−ＳＧ１−（ｐ，ｑ））＋Ｃ１２・ＳＧ１−（ｐ，ｑ）
にて求める請求項１に記載の画像表示装置の駆動方法。
【請求項５】
画素群が、第１の方向にＰ個、第２の方向にＱ個の合計、Ｐ×Ｑ個、２次元マトリクス状に配列されて成る画像表示パネル、及び、信号処理部を備え、
各画素群は、第１の方向に沿って、第１の画素及び第２の画素から構成され、
第１の画素は、第１原色を表示する第１副画素、第２原色を表示する第２副画素、及び、第３原色を表示する第３副画素から成り、前記第１副画素、前記第２副画素、及び前記第３副画素が第１の方向に沿って配列し、
第２の画素は、第１原色を表示する第１副画素、第２原色を表示する第２副画素、及び、第４の色を表示する第４副画素から成り、前記第１副画素、前記第２副画素、及び前記第４副画素が第１の方向に沿って配列し、
信号処理部において、
第１の画素への第１副画素・出力信号を、少なくとも第１の画素への第１副画素・入力信号に基づき求め、第１の画素の第１副画素へ出力し、
第１の画素への第２副画素・出力信号を、少なくとも第１の画素への第２副画素・入力信号に基づき求め、第１の画素の第２副画素へ出力し、
第２の画素への第１副画素・出力信号を、少なくとも第２の画素への第１副画素・入力信号に基づき求め、第２の画素の第１副画素へ出力し、
第２の画素への第２副画素・出力信号を、少なくとも第２の画素への第２副画素・入力信号に基づき求め、第２の画素の第２副画素へ出力する画像表示装置の駆動方法であって、
信号処理部において、更に、
第２の方向に沿って数えたときの第（ｐ，ｑ）番目［但し、ｐ＝１，２・・・Ｐであり、ｑ＝１，２・・・，Ｑである］の第２の画素における第１副画素・入力信号、第２副画素・入力信号及び第３副画素・入力信号から求められた第４副画素・制御第２信号、並びに、第２の方向に沿って第（ｐ，ｑ）番目の第２の画素に隣接した隣接画素における第１副画素・入力信号、第２副画素・入力信号及び第３副画素・入力信号から求められた第４副画素・制御第１信号に基づき第４副画素・出力信号を求め、第（ｐ，ｑ）番目の第２の画素の第４副画素へ出力し、
少なくとも第（ｐ，ｑ）番目の第２の画素における第３副画素・入力信号並びに第（ｐ，ｑ）番目の第１の画素における第３副画素・入力信号に基づき第３副画素・出力信号を求め、第３副画素へ出力し、
前記第２の画素の前記第４副画素は、前記第２の方向に沿って配列し、
第（ｐ，ｑ）番目の第２の画素における第４副画素・制御第２信号値ＳＧ２−（ｐ，ｑ）をＭｉｎ（ｐ，ｑ）−２から得、
第（ｐ，ｑ）番目の第２の画素に隣接した隣接画素における第４副画素・制御第１信号値ＳＧ１−（ｐ，ｑ）をＭｉｎ（ｐ，ｑ’）から得、
第（ｐ，ｑ）番目の第２の画素における第４副画素・出力信号値Ｘ４−（ｐ，ｑ）−２は、第４副画素・出力信号値Ｘ４−（ｐ，ｑ）は、前記第４副画素・制御第２信号値ＳＧ２−（ｐ，ｑ）と前記第４副画素・制御第１信号値ＳＧ１−（ｐ，ｑ）とのうち、信号値が小さい方の信号値よりも信号値が大きく、信号値が大きい方の信号値よりも信号値が小さい画像表示装置の駆動方法。
但し、
Ｍｉｎ（ｐ，ｑ）−２：第（ｐ，ｑ）番目の第２の画素における第１副画素・入力信号値ｘ１−（ｐ，ｑ）−２、第２副画素・入力信号値ｘ２−（ｐ，ｑ）−２、及び、第３副画素・入力信号値ｘ３−（ｐ，ｑ）−２の３つの副画素・入力信号値の最小値
Ｍｉｎ（ｐ，ｑ’）：第（ｐ，ｑ）番目の第２の画素に隣接した隣接画素における第１副画素・入力信号値ｘ１−（ｐ，ｑ’）、第２副画素・入力信号値ｘ２−（ｐ，ｑ’）、及び、第３副画素・入力信号値ｘ３−（ｐ，ｑ’）の３つの副画素・入力信号値の最小値
である。
【請求項６】
第（ｐ，ｑ）番目の第２の画素における第４副画素・出力信号値Ｘ４−（ｐ，ｑ）−２を、第４副画素・制御第２信号値ＳＧ２−（ｐ，ｑ）と第４副画素・制御第１信号値ＳＧ１−（ｐ，ｑ）との平均から求める、
請求項５に記載の画像表示装置の駆動方法。
【請求項７】
第２の方向に沿って、第１の画素と第２の画素とは隣接している請求項５又は請求項６に記載の画像表示装置の駆動方法。
【請求項８】
第２の方向に沿って、第１の画素と第１の画素とは隣接しており、且つ、第２の画素と第２の画素とは隣接している請求項５又は請求項６に記載の画像表示装置の駆動方法。
【請求項９】
χを画像表示装置に依存した定数としたとき、
第４の色を加えることで拡大されたＨＳＶ色空間における彩度Ｓを変数とした明度の最大値Ｖｍａｘ（Ｓ）を、信号処理部において求め、
信号処理部において、
（ａ）複数の画素における副画素・入力信号値に基づき、複数の画素における彩度Ｓ及び明度Ｖ（Ｓ）を求め、
（ｂ）複数の画素において求められたＶｍａｘ（Ｓ）／Ｖ（Ｓ）の値の内、少なくとも１つの値に基づいて伸長係数α０を求め、
（ｃ）第（ｐ，ｑ）番目の第２の画素における第１副画素・出力信号値Ｘ１−（ｐ，ｑ）−２を、式（４）に基づき求め、
第２の画素における第２副画素・出力信号値Ｘ２−（ｐ，ｑ）−２を、式（５）に基づき求め、
第２の画素における第４副画素・出力信号値Ｘ４−（ｐ，ｑ）−２を、式（６）に基づき求める請求項５又は請求項６に記載の画像表示装置の駆動方法。
Ｘ１−（ｐ，ｑ）−２＝α０・ｘ１−（ｐ，ｑ）−２−χ・ＳＧ２−（ｐ，ｑ）・・・（４）
Ｘ２−（ｐ，ｑ）−２＝α０・ｘ２−（ｐ，ｑ）−２−χ・ＳＧ２−（ｐ，ｑ）・・・（５）
Ｘ４−（ｐ，ｑ）−２＝（ＳＧ２−（ｐ，ｑ）＋ＳＧ１−（ｐ，ｑ））／（２χ）・・・（６）
ここで、
ｘ１−（ｐ，ｑ）−２：第（ｐ，ｑ）番目の第２の画素における第１副画素・入力信号値
ｘ２−（ｐ，ｑ）−２：第（ｐ，ｑ）番目の第２の画素における第２副画素・入力信号値
であり、
第（ｐ，ｑ）番目の第１の画素における彩度をＳ（ｐ，ｑ）−１、明度をＶ（ｐ，ｑ）−１、第２の画素における彩度をＳ（ｐ，ｑ）−２、明度をＶ（ｐ，ｑ）−２としたとき、
Ｓ（ｐ，ｑ）−１＝（Ｍａｘ（ｐ，ｑ）−１−Ｍｉｎ（ｐ，ｑ）−１）／Ｍａｘ（ｐ，ｑ）−１
Ｖ（ｐ，ｑ）−１＝Ｍａｘ（ｐ，ｑ）−１
Ｓ（ｐ，ｑ）−２＝（Ｍａｘ（ｐ，ｑ）−２−Ｍｉｎ（ｐ，ｑ）−２）／Ｍａｘ（ｐ，ｑ）−２
Ｖ（ｐ，ｑ）−２＝Ｍａｘ（ｐ，ｑ）−２
で表され、
Ｍａｘ（ｐ，ｑ）−１：第（ｐ，ｑ）番目の第１の画素における第１副画素・入力信号値ｘ１−（ｐ，ｑ）−１、第２副画素・入力信号値ｘ２−（ｐ，ｑ）−１、及び、第３副画素・入力信号値ｘ３−（ｐ，ｑ）−１の３つの副画素・入力信号値の最大値
Ｍｉｎ（ｐ，ｑ）−１：第（ｐ，ｑ）番目の第１の画素における第１副画素・入力信号値ｘ１−（ｐ，ｑ）−１、第２副画素・入力信号値ｘ２−（ｐ，ｑ）−１、及び、第３副画素・入力信号値ｘ３−（ｐ，ｑ）−１の３つの副画素・入力信号値の最小値
Ｍａｘ（ｐ，ｑ）−２：第（ｐ，ｑ）番目の第２の画素における第１副画素・入力信号値ｘ１−（ｐ，ｑ）−２、第２副画素・入力信号値ｘ２−（ｐ，ｑ）−２、及び、第３副画素・入力信号値ｘ３−（ｐ，ｑ）−２の３つの副画素・入力信号値の最大値
Ｍｉｎ（ｐ，ｑ）−２：第（ｐ，ｑ）番目の第２の画素における第１副画素・入力信号値ｘ１−（ｐ，ｑ）−２、第２副画素・入力信号値ｘ２−（ｐ，ｑ）−２、及び、第３副画素・入力信号値ｘ３−（ｐ，ｑ）−２の３つの副画素・入力信号値の最小値
である。
【請求項１０】
第（ｐ，ｑ）番目の第２の画素における第４副画素・出力信号値Ｘ４−（ｐ，ｑ）−２を、Ｃ２１及びＣ２２を定数としたとき、
Ｘ４−（ｐ，ｑ）−２＝（Ｃ２１・ＳＧ２−（ｐ，ｑ）＋Ｃ２２・ＳＧ１−（ｐ，ｑ））／（Ｃ２１＋Ｃ２２）
にて求め、又は、
Ｘ４−（ｐ，ｑ）−２＝Ｃ２１・ＳＧ２−（ｐ，ｑ）＋Ｃ２２・ＳＧ１−（ｐ，ｑ）
にて求め、又は、
Ｘ４−（ｐ，ｑ）−２＝Ｃ２１・（ＳＧ２−（ｐ，ｑ）−ＳＧ１−（ｐ，ｑ））＋Ｃ２２・ＳＧ１−（ｐ，ｑ）
にて求める請求項５に記載の画像表示装置の駆動方法。
【請求項１１】
（Ａ）画素が、第１の方向にＰ０個、第２の方向にＱ０個の合計、Ｐ０×Ｑ０個、２次元マトリクス状に配列されて成る画像表示パネル、及び、信号処理部を備えた画像表示装置、並びに、
（Ｂ）画像表示装置を背面から照明する面状光源装置、
を具備し、
各画素は、第１原色を表示する第１副画素、第２原色を表示する第２副画素、第３原色を表示する第３副画素、及び、第４の色を表示する第４副画素から成り、
前記第１副画素、前記第２副画素、前記第３副画素及び前記第４副画素が前記第１の方向に沿って配列され、
信号処理部において、
画素への第１副画素・出力信号を、画素への第１副画素・入力信号に基づき求め、第１副画素へ出力し、
画素への第２副画素・出力信号を、画素への第２副画素・入力信号に基づき求め、第２副画素へ出力し、
画素への第３副画素・出力信号を、画素への第３副画素・入力信号に基づき求め、第３副画素へ出力する画像表示装置組立体の駆動方法であって、
信号処理部において、更に、
第２の方向に沿って数えたときの第（ｐ，ｑ）番目［但し、ｐ＝１，２・・・Ｐ０であり、ｑ＝１，２・・・，Ｑ０である］の画素における第１副画素・入力信号、第２副画素・入力信号及び第３副画素・入力信号から求められた第４副画素・制御第２信号、並びに、第２の方向に沿って第（ｐ，ｑ）番目の画素に隣接した隣接画素における第１副画素・入力信号、第２副画素・入力信号及び第３副画素・入力信号から求められた第４副画素・制御第１信号に基づき第４副画素・出力信号を求め、第（ｐ，ｑ）番目の画素の第４副画素へ出力し
前記各画素の前記第４副画素は、前記第２の方向に沿って配列し、
Ｍｉｎ（ｐ，ｑ）に基づき第４副画素・制御第２信号値ＳＧ２−（ｐ，ｑ）を求め、Ｍｉｎ（ｐ，ｑ’）に基づき第４副画素・制御第１信号値ＳＧ１−（ｐ，ｑ）を求め、
第（ｐ，ｑ）番目の画素における第４副画素・出力信号値Ｘ４−（ｐ，ｑ）は、前記第４副画素・制御第２信号値ＳＧ２−（ｐ，ｑ）と前記第４副画素・制御第１信号値ＳＧ１−（ｐ，ｑ）とのうち、信号値が小さい方の信号値よりも信号値が大きく、信号値が大きい方の信号値よりも信号値が小さい画像表示装置組立体の駆動方法。
ここで、
Ｍｉｎ（ｐ，ｑ）：第（ｐ，ｑ）番目の画素への第１副画素・入力信号、第２副画素・入力信号及び第３副画素・入力信号の最小値
Ｍｉｎ（ｐ，ｑ’）：第（ｐ，ｑ）番目の画素に隣接した隣接画素への第１副画素・入力信号、第２副画素・入力信号及び第３副画素・入力信号の最小値  
である。
【請求項１２】
（Ａ）画素群が、第１の方向にＰ個、第２の方向にＱ個の合計、Ｐ×Ｑ個、２次元マトリクス状に配列されて成る画像表示パネル、及び、信号処理部を備えた画像表示装置、並びに、
（Ｂ）画像表示装置を背面から照明する面状光源装置、
を具備し、
各画素群は、第１の方向に沿って、第１の画素及び第２の画素から構成され、
第１の画素は、第１原色を表示する第１副画素、第２原色を表示する第２副画素、及び、第３原色を表示する第３副画素から成り、前記第１副画素、前記第２副画素、及び前記第３副画素が第１の方向に沿って配列し、
第２の画素は、第１原色を表示する第１副画素、第２原色を表示する第２副画素、及び、第４の色を表示する第４副画素から成り、前記第１副画素、前記第２副画素、及び前記第４副画素が第１の方向に沿って配列し、
信号処理部において、
第１の画素への第１副画素・出力信号を、少なくとも第１の画素への第１副画素・入力信号に基づき求め、第１の画素の第１副画素へ出力し、
第１の画素への第２副画素・出力信号を、少なくとも第１の画素への第２副画素・入力信号に基づき求め、第１の画素の第２副画素へ出力し、
第２の画素への第１副画素・出力信号を、少なくとも第２の画素への第１副画素・入力信号に基づき求め、第２の画素の第１副画素へ出力し、
第２の画素への第２副画素・出力信号を、少なくとも第２の画素への第２副画素・入力信号に基づき求め、第２の画素の第２副画素へ出力する画像表示装置組立体の駆動方法であって、
信号処理部において、更に、
第２の方向に沿って数えたときの第（ｐ，ｑ）番目［但し、ｐ＝１，２・・・Ｐであり
、ｑ＝１，２・・・，Ｑである］の第２の画素における第１副画素・入力信号、第２副画素・入力信号及び第３副画素・入力信号から求められた第４副画素・制御第２信号、並びに、第２の方向に沿って第（ｐ，ｑ）番目の第２の画素に隣接した隣接画素における第１副画素・入力信号、第２副画素・入力信号及び第３副画素・入力信号から求められた第４副画素・制御第１信号に基づき第４副画素・出力信号を求め、第（ｐ，ｑ）番目の第２の画素の第４副画素へ出力し、
少なくとも第（ｐ，ｑ）番目の第２の画素における第３副画素・入力信号並びに第（ｐ
，ｑ）番目の第１の画素における第３副画素・入力信号に基づき第３副画素・出力信号を求め、第３副画素へ出力し、
前記第２の画素の前記第４副画素は、前記第２の方向に沿って配列し、
第（ｐ，ｑ）番目の第２の画素における第４副画素・制御第２信号値ＳＧ２−（ｐ，ｑ）をＭｉｎ（ｐ，ｑ）−２から得、
第（ｐ，ｑ）番目の第２の画素に隣接した隣接画素における第４副画素・制御第１信号値ＳＧ１−（ｐ，ｑ）をＭｉｎ（ｐ，ｑ’）から得、
第（ｐ，ｑ）番目の第２の画素における第４副画素・出力信号値Ｘ４−（ｐ，ｑ）−２は、第４副画素・出力信号値Ｘ４−（ｐ，ｑ）は、前記第４副画素・制御第２信号値ＳＧ２−（ｐ，ｑ）と前記第４副画素・制御第１信号値ＳＧ１−（ｐ，ｑ）とのうち、信号値が小さい方の信号値よりも信号値が大きく、信号値が大きい方の信号値よりも信号値が小さい画像表示装置組立体の駆動方法。
但し、
Ｍｉｎ（ｐ，ｑ）−２：第（ｐ，ｑ）番目の第２の画素における第１副画素・入力信号値ｘ１−（ｐ，ｑ）−２、第２副画素・入力信号値ｘ２−（ｐ，ｑ）−２、及び、第３副画素・入力信号値ｘ３−（ｐ，ｑ）−２の３つの副画素・入力信号値の最小値
Ｍｉｎ（ｐ，ｑ’）：第（ｐ，ｑ）番目の第２の画素に隣接した隣接画素における第１副画素・入力信号値ｘ１−（ｐ，ｑ’）、第２副画素・入力信号値ｘ２−（ｐ，ｑ’）、及び、第３副画素・入力信号値ｘ３−（ｐ，ｑ’）の３つの副画素・入力信号値の最小値
である。
【発明の詳細な説明】
【技術分野】
【０００１】
本発明は、画像表示装置の駆動方法及び画像表示装置組立体の駆動方法に関する。
【背景技術】
【０００２】
近年、例えばカラー液晶表示装置等の画像表示装置では、その高性能化に伴い、消費電力の増大が課題となっている。特に、高精細化、色再現範囲の拡大や高輝度化に伴い、例えばカラー液晶表示装置の場合、バックライトの消費電力が増大してしまう。この問題を解決するために、表示画素を、赤色を表示する赤色表示副画素、緑色を表示する緑色表示副画素、青色を表示する青色表示副画素の３つの副画素に加え、例えば、白色を表示する白色表示副画素の４副画素構成とし、この白色表示副画素により輝度を向上させる技術が注目されている。そして、４副画素構成によって従来と同じ消費電力で高輝度が得られるが故に、輝度を従来と同じとする場合には、バックライトの消費電力を下げることが可能となるし、表示品位の向上を図ることができる。
【０００３】
ここで、例えば、特許第３１６７０２６号公報に開示されたカラー画像表示装置は、
入力信号より加色３原色法における３種類の色信号を生成する手段と、
これらの３色相の色信号より各々同比率にて加色して得られる補助信号を生成し、補助信号と、補助信号を３色相の信号から減算した３種類の色信号の計４種の表示信号を表示器に供給する手段、
を有する。尚、３種類の色信号によって赤色表示副画素、緑色表示副画素及び青色表示副画素が駆動され、補助信号によって白色表示副画素が駆動される。
【０００４】
また、特許第３８０５１５０号公報には、赤出力用副画素、緑出力用副画素、青出力用副画素及び輝度用副画素を１つの主画素単位とする液晶パネルを備えるカラー表示可能な液晶表示装置であって、
入力画像信号から得られた赤入力用副画素、緑入力用副画素及び青入力用副画素のデジタル値Ｒｉ、Ｇｉ及びＢｉを用いて、前記輝度用副画素を駆動するためのデジタル値Ｗと、前記赤出力用副画素、緑出力用副画素、青出力用副画素及び輝度用副画素を駆動するためのデジタル値Ｒｏ、Ｇｏ、及びＢｏとを求める演算手段を有し、
前記演算手段は、
Ｒｉ：Ｇｉ：Ｂｉ＝（Ｒｏ＋Ｗ）：（Ｇｏ＋Ｗ）：（Ｂｏ＋Ｗ）
の関係を満たしかつ前記輝度用副画素の追加により前記赤入力用副画素、緑入力用副画素及び青入力用副画素のみの構成よりも輝度の増強がなされるようなＲｏ、Ｇｏ及びＢｏ、並びにＷの各値を求めることを特徴とする液晶表示装置が開示されている。
【０００５】
更には、ＰＣＴ／ＫＲ２００４／０００６５９には、赤色表示副画素、緑色表示副画素及び青色表示副画素から構成された第１画素、並びに、赤色表示副画素、緑色表示副画素及び白色表示副画素から構成された第２画素から構成され、第１の方向には第１画素及び第２画素が交互に配列され、且つ、第２の方向にも第１画素及び第２画素が交互に配列された液晶表示装置、あるいは又、第１の方向には第１画素及び第２画素が交互に配列され、且つ、第２の方向には第１画素が隣接して配列され、しかも、第２画素が隣接して配列された液晶表示装置が開示されている。
【先行技術文献】
【特許文献】
【０００６】
【特許文献１】特許第３１６７０２６号公報
【特許文献２】特許第３８０５１５０号公報
【特許文献３】ＰＣＴ／ＫＲ２００４／０００６５９
【発明の概要】
【発明が解決しようとする課題】
【０００７】
ところで、特許第３１６７０２６号公報や特許第３８０５１５０号公報に開示された技術にあっては、１画素を４つの副画素に分割する必要があり、赤色表示副画素（赤出力用副画素）、緑色表示副画素（緑出力用副画素）及び青色表示副画素（青出力用副画素）における開口領域の面積（最大光透過量）が減少し、白色表示副画素（輝度用副画素）を加えたにも拘わらず、画素全体として期待したほどの輝度の増加が図れない場合がある。
【０００８】
また、ＰＣＴ／ＫＲ２００４／０００６５９に開示された技術において、第２画素にあっては、青色表示副画素が白色表示副画素によって置き換えられている。そして、白色表示副画素への出力信号は、白色表示副画素によって置き換えられる前に存在したと仮定した青色表示副画素への出力信号である。それ故、第１画素を構成する青色表示副画素及び第２画素を構成する白色表示副画素への出力信号の最適化が図られていない。また、色の変化や輝度の変化が起こるため、画質が著しく低下するという問題もある。
【０００９】
従って、本発明の目的は、各副画素への出力信号の最適化が図られ、輝度の増加を確実に図ることができる画像表示装置の駆動方法、並びに、係る画像表示装置を備えた画像表示装置組立体の駆動方法を提供することにある。
【課題を解決するための手段】
【００１０】
上記の目的を達成するための本発明の第１の態様に係る画像表示装置の駆動方法は、画素が、第１の方向にＰ0個、第２の方向にＱ0個の合計、Ｐ0×Ｑ0個、２次元マトリクス状に配列されて成る画像表示パネル、及び、信号処理部を備えた画像表示装置の駆動方法である。
【００１１】
また、上記の目的を達成するための本発明の第１の態様に係る画像表示装置組立体の駆動方法は、
（Ａ）画素が、第１の方向にＰ0個、第２の方向にＱ0個の合計、Ｐ0×Ｑ0個、２次元マトリクス状に配列されて成る画像表示パネル、及び、信号処理部を備えた画像表示装置、並びに、
（Ｂ）画像表示装置を背面から照明する面状光源装置、
を具備した画像表示装置組立体の駆動方法である。
【００１２】
そして、
各画素は、第１原色を表示する第１副画素、第２原色を表示する第２副画素、第３原色を表示する第３副画素、及び、第４の色を表示する第４副画素から成り、
信号処理部において、
画素への第１副画素・出力信号を、画素への第１副画素・入力信号に基づき求め、第１副画素へ出力し、
画素への第２副画素・出力信号を、画素への第２副画素・入力信号に基づき求め、第２副画素へ出力し、
画素への第３副画素・出力信号を、画素への第３副画素・入力信号に基づき求め、第３副画素へ出力する、本発明の第１の態様に係る画像表示装置の駆動方法あるいは本発明の第１の態様に係る画像表示装置組立体の駆動方法（以下、これらを総称して、単に、『本発明の第１の態様に係る駆動方法』と呼ぶ場合がある）であって、
信号処理部において、更に、
第２の方向に沿って数えたときの第（ｐ，ｑ）番目［但し、ｐ＝１，２・・・Ｐ0であり、ｑ＝１，２・・・，Ｑ0である］の画素における第１副画素・入力信号、第２副画素・入力信号及び第３副画素・入力信号から求められた第４副画素・制御第２信号、並びに、第２の方向に沿って第（ｐ，ｑ）番目の画素に隣接した隣接画素における第１副画素・入力信号、第２副画素・入力信号及び第３副画素・入力信号から求められた第４副画素・制御第１信号に基づき第４副画素・出力信号を求め、第（ｐ，ｑ）番目の画素の第４副画素へ出力する。
【００１３】
上記の目的を達成するための本発明の第２の態様に係る画像表示装置の駆動方法は、画素群が、第１の方向にＰ個、第２の方向にＱ個の合計、Ｐ×Ｑ個、２次元マトリクス状に配列されて成る画像表示パネル、及び、信号処理部を備えた画像表示装置の駆動方法である。
【００１４】
また、上記の目的を達成するための本発明の第２の態様に係る画像表示装置組立体の駆動方法は、
（Ａ）画素群が、第１の方向にＰ個、第２の方向にＱ個の合計、Ｐ×Ｑ個、２次元マトリクス状に配列されて成る画像表示パネル、及び、信号処理部を備えた画像表示装置、並びに、
（Ｂ）画像表示装置を背面から照明する面状光源装置、
を具備した画像表示装置組立体の駆動方法である。
【００１５】
そして、
各画素群は、第１の方向に沿って、第１の画素及び第２の画素から構成され、
第１の画素は、第１原色を表示する第１副画素、第２原色を表示する第２副画素、及び、第３原色を表示する第３副画素から成り、
第２の画素は、第１原色を表示する第１副画素、第２原色を表示する第２副画素、及び、第４の色を表示する第４副画素から成り、
信号処理部において、
第１の画素への第１副画素・出力信号を、少なくとも第１の画素への第１副画素・入力信号に基づき求め、第１の画素の第１副画素へ出力し、
第１の画素への第２副画素・出力信号を、少なくとも第１の画素への第２副画素・入力信号に基づき求め、第１の画素の第２副画素へ出力し、
第２の画素への第１副画素・出力信号を、少なくとも第２の画素への第１副画素・入力信号に基づき求め、第２の画素の第１副画素へ出力し、
第２の画素への第２副画素・出力信号を、少なくとも第２の画素への第２副画素・入力信号に基づき求め、第２の画素の第２副画素へ出力する、本発明の第２の態様に係る画像表示装置の駆動方法あるいは本発明の第２の態様に係る画像表示装置組立体の駆動方法（以下、これらを総称して、単に、『本発明の第２の態様に係る駆動方法』と呼ぶ場合がある）であって、
信号処理部において、更に、
第２の方向に沿って数えたときの第（ｐ，ｑ）番目［但し、ｐ＝１，２・・・Ｐであり、ｑ＝１，２・・・，Ｑである］の第２の画素における第１副画素・入力信号、第２副画素・入力信号及び第３副画素・入力信号から求められた第４副画素・制御第２信号、並びに、第２の方向に沿って第（ｐ，ｑ）番目の第２の画素に隣接した隣接画素における第１副画素・入力信号、第２副画素・入力信号及び第３副画素・入力信号から求められた第４副画素・制御第１信号に基づき第４副画素・出力信号を求め、第（ｐ，ｑ）番目の第２の画素の第４副画素へ出力し、
少なくとも第（ｐ，ｑ）番目の第２の画素における第３副画素・入力信号並びに第（ｐ，ｑ）番目の第１の画素における第３副画素・入力信号に基づき第３副画素・出力信号を求め、第３副画素へ出力する。
【発明の効果】
【００１６】
本発明の第１の態様に係る画像表示装置の駆動方法あるいは本発明の第１の態様に係る画像表示装置組立体の駆動方法にあっては、第（ｐ，ｑ）番目の画素への第４副画素・出力信号を、第（ｐ，ｑ）番目の画素への入力信号及びこの画素に第２の方向に沿って隣接する画素への入力信号に基づき求める。即ち、或る画素への第４副画素・出力信号が、この或る画素と隣接する画素への入力信号にも基づき求められるので、第４副画素への出力信号のより一層の最適化が図られている。また、第４副画素を備えているが故に、その結果、輝度の増加を確実に図ることができるし、表示品位の向上を図ることができる。
【００１７】
本発明の第２の態様に係る画像表示装置の駆動方法あるいは本発明の第２の態様に係る画像表示装置組立体の駆動方法にあっては、第（ｐ，ｑ）番目の第２の画素への第４副画素・出力信号を、第（ｐ，ｑ）番目の第２の画素への入力信号及びこの第２の画素と第２の方向に沿って隣接する画素への入力信号に基づき求める。即ち、或る画素群を構成する第２の画素への第４副画素・出力信号が、この或る画素群を構成する第２の画素への入力信号だけでなく、この第２の画素と隣接する画素への入力信号にも基づき求められるので、第４副画素への出力信号のより一層の最適化が図られている。しかも、第１の画素及び第２の画素によって構成された画素群に対して１つの第４副画素が配置されているので、副画素における開口領域の面積の減少を抑制することができる。その結果、輝度の増加を確実に図ることができるし、表示品位の向上を図ることができる。
【図面の簡単な説明】
【００１８】
【図１】図１は、実施例１の画像表示パネルにおける各画素、画素群の配置を模式的に示す図である。
【図２】図２は、実施例１の画像表示装置の概念図である。
【図３】図３は、実施例１の画像表示装置における画像表示パネル及び画像表示パネル駆動回路の概念図である。
【図４】図４は、実施例１の画像表示装置の駆動方法における入力信号値、出力信号値を模式的に示す図である。
【図５】図５の（Ａ）及び（Ｂ）は、それぞれ、一般的な円柱のＨＳＶ色空間の概念図、及び、彩度（Ｓ）と明度（Ｖ）の関係を模式的に示す図であり、図５の（Ｃ）及び（Ｄ）は、それぞれ、実施例２における拡大された円柱のＨＳＶ色空間の概念図、及び、彩度（Ｓ）と明度（Ｖ）の関係を模式的に示す図である。
【図６】図６の（Ａ）及び（Ｂ）は、それぞれ、実施例２における第４の色（白色）を加えることで拡大された円柱のＨＳＶ色空間における彩度（Ｓ）と明度（Ｖ）の関係を模式的に示す図である。
【図７】図７は、実施例２における第４の色（白色）を加える前の従来のＨＳＶ色空間、第４の色（白色）を加えることで拡大されたＨＳＶ色空間、及び、入力信号の彩度（Ｓ）と明度（Ｖ）の関係を示す図である。
【図８】図８は、実施例２における第４の色（白色）を加える前の従来のＨＳＶ色空間、第４の色（白色）を加えることで拡大されたＨＳＶ色空間、及び、出力信号（伸長処理が施されている）の彩度（Ｓ）と明度（Ｖ）の関係を示す図である。
【図９】図９は、実施例２の画像表示装置の駆動方法、画像表示装置組立体の駆動方法における伸長処理での入力信号値及び出力信号値を模式的に示す図である。
【図１０】図１０は、実施例３の画像表示装置組立体を構成する画像表示パネル及び面状光源装置の概念図である。
【図１１】図１１は、実施例３の画像表示装置組立体を構成する面状光源装置における面状光源装置制御回路の回路図である。
【図１２】図１２は、実施例３の画像表示装置組立体を構成する面状光源装置における面状光源ユニット等の配置、配列状態を模式的に示す図である。
【図１３】図１３の（Ａ）及び（Ｂ）は、表示領域ユニット内・信号最大値Ｘmax-(s,t)に相当する制御信号が副画素に供給されたと想定したときの表示輝度・第２規定値ｙ2が面状光源ユニットによって得られるように、面状光源ユニットの光源輝度Ｙ2を、面状光源装置駆動回路の制御下、増減する状態を説明するための概念図である。
【図１４】図１４は、実施例４の画像表示装置の等価回路図である。
【図１５】図１５は、実施例４の画像表示装置を構成する画像表示パネルの概念図である。
【図１６】図１６は、実施例５の画像表示パネルにおける各画素、画素群の配置を模式的に示す図である。
【図１７】図１７は、実施例５の画像表示パネルにおける各画素、画素群の別の配置を模式的に示す図である。
【図１８】図１８は、実施例５の画像表示パネルにおける各画素、画素群の更に別の配置を模式的に示す図である。
【図１９】図１９は、エッジライト型（サイドライト型）の面状光源装置の概念図である。
【図２０】図２０の（Ａ）及び（Ｂ）は、従来の画像表示装置の駆動方法における問題点を説明する概念図である。
【発明を実施するための形態】
【００１９】
以下、図面を参照して、実施例に基づき本発明を説明するが、本発明は実施例に限定されるものではなく、実施例における種々の数値や材料は例示である。尚、説明は、以下の順序で行う。
１．本発明の第１の態様あるいは第２の態様に係る画像表示装置の駆動方法及び画像表示装置組立体の駆動方法、全般に関する説明
２．実施例１（本発明の第１の態様に係る画像表示装置の駆動方法及び画像表示装置組立体の駆動方法、第１Ａの形態）
３．実施例２（実施例１の変形、第１Ａの形態）
４．実施例３（実施例２の変形）
５．実施例４（実施例２の別の変形）
６．実施例５（本発明の第２の態様に係る画像表示装置の駆動方法及び画像表示装置組立体の駆動方法、第２Ａの形態）
７．実施例６（実施例２の変形、第２Ｂの形態）、その他
【００２０】
［本発明の第１の態様あるいは第２の態様に係る画像表示装置の駆動方法及び画像表示装置組立体の駆動方法、全般に関する説明］
本発明の第１の態様に係る駆動方法において、
第（ｐ，ｑ）番目の画素に関して、信号処理部には、
信号値がｘ1-(p,q)の第１副画素・入力信号、
信号値がｘ2-(p,q)の第２副画素・入力信号、及び、
信号値がｘ3-(p,q)の第３副画素・入力信号、
が入力され、
信号値がＸ1-(p,q)であり、第１副画素の表示階調を決定するための第１副画素・出力信号、
信号値がＸ2-(p,q)であり、第２副画素の表示階調を決定するための第２副画素・出力信号、
信号値がＸ3-(p,q)であり、第３副画素の表示階調を決定するための第３副画素・出力信号、及び、
信号値がＸ4-(p,q)であり、第４副画素の表示階調を決定するための第４副画素・出力信号、
を出力する構成とすることができる。また、第（ｐ，ｑ）番目の画素に隣接した隣接画素に関して、信号処理部には、
信号値がｘ1-(p,q')の第１副画素・入力信号、
信号値がｘ2-(p,q')の第２副画素・入力信号、及び、
信号値がｘ3-(p,q')の第３副画素・入力信号、
が入力され、
信号値がＸ1-(p,q')であり、第１副画素の表示階調を決定するための第１副画素・出力信号、
信号値がＸ2-(p,q')であり、第２副画素の表示階調を決定するための第２副画素・出力信号、
信号値がＸ3-(p,q')であり、第３副画素の表示階調を決定するための第３副画素・出力信号、及び、
信号値がＸ4-(p,q')であり、第４副画素の表示階調を決定するための第４副画素・出力信号、
を出力する構成とすることができる。
【００２１】
一方、本発明の第２の態様に係る駆動方法において、
第（ｐ，ｑ）番目の画素群を構成する第１の画素に関して、信号処理部には、
信号値がｘ1-(p,q)-1の第１副画素・入力信号、
信号値がｘ2-(p,q)-1の第２副画素・入力信号、及び、
信号値がｘ3-(p,q)-1の第３副画素・入力信号、
が入力され、
第（ｐ，ｑ）番目の画素群を構成する第２の画素に関して、信号処理部には、
信号値がｘ1-(p,q)-2の第１副画素・入力信号、
信号値がｘ2-(p,q)-2の第２副画素・入力信号、及び、
信号値がｘ3-(p,q)-2の第３副画素・入力信号、
が入力され、
第（ｐ，ｑ）番目の画素群を構成する第１の画素に関して、信号処理部は、
信号値がＸ1-(p,q)-1であり、第１副画素の表示階調を決定するための第１副画素・出力信号、
信号値がＸ2-(p,q)-1であり、第２副画素の表示階調を決定するための第２副画素・出力信号、及び、
信号値がＸ3-(p,q)-1であり、第３副画素の表示階調を決定するための第３副画素・出力信号、
を出力し、
第（ｐ，ｑ）番目の画素群を構成する第２の画素に関して、信号処理部は、
信号値がＸ1-(p,q)-2であり、第１副画素の表示階調を決定するための第１副画素・出力信号、
信号値がＸ2-(p,q)-2であり、第２副画素の表示階調を決定するための第２副画素・出力信号、及び、
信号値がＸ4-(p,q)-2であり、第４副画素の表示階調を決定するための第４副画素・出力信号、
を出力する構成とすることができる。また、第（ｐ，ｑ）番目の第２の画素に隣接した隣接画素に関して、信号処理部には、
信号値がｘ1-(p,q')の第１副画素・入力信号、
信号値がｘ2-(p,q')の第２副画素・入力信号、及び、
信号値がｘ3-(p,q')の第３副画素・入力信号、
が入力される構成とすることができる。
【００２２】
ここで、Ｍａｘ(p,q)、Ｍｉｎ(p,q)、Ｍａｘ(p,q)-1、Ｍｉｎ(p,q)-1、Ｍａｘ(p,q)-2、Ｍｉｎ(p,q)-2、Ｍａｘ(p,q')、Ｍｉｎ(p,q')を、以下のとおり、定義する。また、『入力信号』、『出力信号』という用語は、信号、それ自体を指す場合もあるし、輝度を意味する場合もある。
●Ｍａｘ(p,q)  ：第（ｐ，ｑ）番目の画素における第１副画素・入力信号値ｘ1-(p,q)、第２副画素・入力信号値ｘ2-(p,q)、及び、第３副画素・入力信号値ｘ3-(p,q)の３つの副画素・入力信号値の最大値
●Ｍｉｎ(p,q)  ：第（ｐ，ｑ）番目の画素における第１副画素・入力信号値ｘ1-(p,q)、第２副画素・入力信号値ｘ2-(p,q)、及び、第３副画素・入力信号値ｘ3-(p,q)の３つの副画素・入力信号値の最小値
●Ｍａｘ(p,q)-1：第（ｐ，ｑ）番目の第１の画素における第１副画素・入力信号値ｘ1-(p,q)-1、第２副画素・入力信号値ｘ2-(p,q)-1、及び、第３副画素・入力信号値ｘ3-(p,q)-1の３つの副画素・入力信号値の最大値
●Ｍｉｎ(p,q)-1：第（ｐ，ｑ）番目の第１の画素における第１副画素・入力信号値ｘ1-(p,q)-1、第２副画素・入力信号値ｘ2-(p,q)-1、及び、第３副画素・入力信号値ｘ3-(p,q)-1の３つの副画素・入力信号値の最小値
●Ｍａｘ(p,q)-2：第（ｐ，ｑ）番目の第２の画素における第１副画素・入力信号値ｘ1-(p,q)-2、第２副画素・入力信号値ｘ2-(p,q)-2、及び、第３副画素・入力信号値ｘ3-(p,q)-2の３つの副画素・入力信号値の最大値
●Ｍｉｎ(p,q)-2：第（ｐ，ｑ）番目の第２の画素における第１副画素・入力信号値ｘ1-(p,q)-2、第２副画素・入力信号値ｘ2-(p,q)-2、及び、第３副画素・入力信号値ｘ3-(p,q)-2の３つの副画素・入力信号値の最小値
●Ｍａｘ(p,q') ：第（ｐ，ｑ）番目の画素あるいは第２の画素に隣接した隣接画素における第１副画素・入力信号値ｘ1-(p,q')、第２副画素・入力信号値ｘ2-(p,q')、及び、第３副画素・入力信号値ｘ3-(p,q')の３つの副画素・入力信号値の最大値
●Ｍｉｎ(p,q') ：第（ｐ，ｑ）番目の画素あるいは第２の画素に隣接した隣接画素における第１副画素・入力信号値ｘ1-(p,q')、第２副画素・入力信号値ｘ2-(p,q')、及び、第３副画素・入力信号値ｘ3-(p,q')の３つの副画素・入力信号値の最小値
【００２３】
尚、第（ｐ，ｑ）番目の画素に隣接した隣接画素あるいは第（ｐ，ｑ）番目の第２の画素に隣接した隣接画素として、第（ｐ，ｑ−１）番目の画素を挙げることができるし、あるいは又、第（ｐ，ｑ＋１）番目の画素を挙げることができるし、あるいは又、第（ｐ，ｑ−１）番目の画素及び第（ｐ，ｑ＋１）番目の画素を挙げることができる。
【００２４】
本発明の第１の態様に係る駆動方法においては、Ｍｉｎ(p,q)に基づき第４副画素・制御第２信号値ＳＧ2-(p,q)を求め、Ｍｉｎ(p,q')に基づき第４副画素・制御第１信号値ＳＧ1-(p,q)を求める形態とすることができる。尚、このような形態を、便宜上、『第１Ａの形態』と呼ぶ。
【００２５】
具体的には、第１Ａの形態にあっては、第４副画素・制御第２信号値ＳＧ2-(p,q)及び第４副画素・制御第１信号値ＳＧ1-(p,q)として、以下の式を挙げることができる。但し、ｃ11，ｃ12，ｃ13，ｃ14，ｃ15，ｃ16は定数である。第４副画素・制御第２信号値ＳＧ2-(p,q)及び第４副画素・制御第１信号値ＳＧ1-(p,q)の値としてどのような値あるいは式を用いるかは、画像表示装置や画像表示装置組立体を試作し、例えば、画像観察者によって画像の評価を行い、適宜決定すればよい。
【００２６】
ＳＧ2-(p,q)＝ｃ11（Ｍｉｎ(p,q)）                （１−１−Ａ）
ＳＧ1-(p,q)＝ｃ11（Ｍｉｎ(p,q')）               （１−１−Ｂ）
あるいは又、
ＳＧ2-(p,q)＝ｃ12（Ｍｉｎ(p,q)）2               （１−２−Ａ）
ＳＧ1-(p,q)＝ｃ12（Ｍｉｎ(p,q')）2              （１−２−Ｂ）
あるいは又、
ＳＧ2-(p,q)＝ｃ13（Ｍａｘ(p,q)）1/2             （１−３−Ａ）
ＳＧ1-(p,q)＝ｃ13（Ｍａｘ(p,q')）1/2            （１−３−Ｂ）
あるいは又、
ＳＧ2-(p,q)＝ｃ14｛（Ｍｉｎ(p,q)／Ｍａｘ(p,q)-2）  あるいは  （２n−１） のいずれか｝                                          （１−４−Ａ）
ＳＧ1-(p,q)＝ｃ14｛（Ｍｉｎ(p,q')／Ｍａｘ(p,q')）  あるいは  （２n−１） のいずれか｝                                          （１−４−Ｂ）
あるいは又、
ＳＧ2-(p,q)＝ｃ15［｛（２n−１）・Ｍｉｎ(p,q)／（Ｍａｘ(p,q)−Ｍｉｎ(p,q)）｝  あるいは  （２n−１）  のいずれか］             （１−５−Ａ）
ＳＧ1-(p,q)＝ｃ15［｛（２n−１）・Ｍｉｎ(p,q')／（Ｍａｘ(p,q')−Ｍｉｎ(p,q')）｝  あるいは  （２n−１）  のいずれか］           （１−５−Ｂ）
あるいは又、
ＳＧ2-(p,q)＝ｃ16｛Ｍａｘ(p,q)1/2  と  Ｍｉｎ(p,q)の値の内の小さい方の値｝
（１−６−Ａ）
ＳＧ1-(p,q)＝ｃ16｛Ｍａｘ(p,q')1/2  と  Ｍｉｎ(p,q')の値の内の小さい方の値｝                                                    （１−６−Ｂ）
【００２７】
そして、第１Ａの形態にあっては、第（ｐ，ｑ）番目の画素において、
第１副画素・出力信号（第１副画素・出力信号値）Ｘ1-(p,q)を、少なくとも、第１副画素・入力信号（第１副画素・入力信号値ｘ1-(p,q)）、Ｍａｘ(p,q)、Ｍｉｎ(p,q)、及び、第４副画素・制御第２信号（信号値ＳＧ2-(p,q)）に基づき求め、
第２副画素・出力信号（第２副画素・出力信号値）Ｘ2-(p,q)を、少なくとも、第２副画素・入力信号（第２副画素・入力信号値ｘ2-(p,q)）、Ｍａｘ(p,q)、Ｍｉｎ(p,q)、及び、第４副画素・制御第２信号（信号値ＳＧ2-(p,q)）に基づき求め、
第３副画素・出力信号（第３副画素・出力信号値Ｘ3-(p,q)）を、少なくとも、第３副画素・入力信号（第３副画素・入力信号値ｘ3-(p,q)）、Ｍａｘ(p,q)、Ｍｉｎ(p,q)、及び、第４副画素・制御第２信号（信号値ＳＧ2-(p,q)）に基づき求める構成とすることができる。
【００２８】
あるいは又、本発明の第１の態様に係る駆動方法においては、
χを画像表示装置に依存した定数としたとき、
第４の色を加えることで拡大されたＨＳＶ色空間における彩度Ｓを変数とした明度の最大値Ｖmax（Ｓ）を、信号処理部において求め、
信号処理部において、
（ａ）複数の画素における副画素・入力信号値に基づき、複数の画素における彩度Ｓ及び明度Ｖ（Ｓ）を求め、
（ｂ）複数の画素において求められたＶmax（Ｓ）／Ｖ（Ｓ）の値の内、少なくとも１つの値に基づいて伸長係数α0を求め、
（ｃ）第（ｐ，ｑ）番目の画素における第１副画素・出力信号を、少なくとも、第（ｐ，ｑ）番目の画素における第１副画素・入力信号及び伸長係数α0に基づき求め、
第２副画素・出力信号を、少なくとも、第（ｐ，ｑ）番目の画素における第２副画素・入力信号及び伸長係数α0に基づき求め、
第３副画素・出力信号を、少なくとも、第（ｐ，ｑ）番目の画素における第３副画素・入力信号及び伸長係数α0に基づき求める形態とすることができる。尚、このような形態を、便宜上、『第１Ｂの形態』と呼ぶ。伸長係数α0は、１画像表示フレーム毎に決定される構成とすることができる。また、上記の構成にあっては、前記工程（ｃ）に引き続き、面状光源装置の輝度を、伸長係数α0に基づき減少させる構成とすることができる。
【００２９】
ここで、第（ｐ，ｑ）番目の画素における彩度をＳ(p,q)、明度をＶ(p,q)としたとき、
Ｓ(p,q)＝（Ｍａｘ(p,q)−Ｍｉｎ(p,q)）／Ｍａｘ(p,q)
Ｖ(p,q)＝Ｍａｘ(p,q)
で表すことができる。
【００３０】
尚、彩度Ｓは０から１までの値をとることができ、明度Ｖは０から（２n−１）までの値をとることができ、ｎは表示階調ビット数である。「ＨＳＶ色空間」の「Ｈ」は、色の種類を指す色相（Hue）を意味し、「Ｓ」は、色の鮮やかさを指す彩度（Saturation, Chroma）を意味し、「Ｖ」は、色の明るさを指す明度（Brightness Value, Lightness Value）を意味する。以下においても同様である。
【００３１】
そして、第４副画素・制御第２信号値ＳＧ2-(p,q)を、Ｍｉｎ(p,q)及び伸長係数α0に基づき求め、第４副画素・制御第１信号値ＳＧ1-(p,q)を、Ｍｉｎ(p,q')及び伸長係数α0に基づき求める構成とすることができる。より具体的には、第４副画素・制御第２信号値ＳＧ2-(p,q)及び第４副画素・制御第１信号値ＳＧ1-(p,q)として、以下の式を挙げることができる。但し、ｃ21，ｃ22，ｃ23，ｃ24，ｃ25，ｃ26は定数である。第４副画素・制御第２信号値ＳＧ2-(p,q)及び第４副画素・制御第１信号値ＳＧ1-(p,q)の値としてどのような値あるいは式を用いるかは、画像表示装置や画像表示装置組立体を試作し、例えば、画像観察者によって画像の評価を行い、適宜決定すればよい。
【００３２】
ＳＧ2-(p,q)＝ｃ21（Ｍｉｎ(p,q)）・α0                  （２−１−Ａ）
ＳＧ1-(p,q)＝ｃ21（Ｍｉｎ(p,q')）・α0                 （２−１−Ｂ）
あるいは又、
ＳＧ2-(p,q)＝ｃ22（Ｍｉｎ(p,q)）2・α0                 （２−２−Ａ）
ＳＧ1-(p,q)＝ｃ22（Ｍｉｎ(p,q')）2・α0                （２−２−Ｂ）
あるいは又、
ＳＧ2-(p,q)＝ｃ23（Ｍａｘ(p,q)）1/2・α0               （２−３−Ａ）
ＳＧ1-(p,q)＝ｃ23（Ｍａｘ(p,q')）1/2・α0              （２−３−Ｂ）
あるいは又、
ＳＧ2-(p,q)＝ｃ24｛（Ｍｉｎ(p,q)／Ｍａｘ(p,q)-2）  あるいは  （２n−１） のいずれかとα0の積｝                                        （２−４−Ａ）
ＳＧ1-(p,q)＝ｃ24｛（Ｍｉｎ(p,q')／Ｍａｘ(p,q')）  あるいは  （２n−１） のいずれかとα0の積｝                                        （２−４−Ｂ）
あるいは又、
ＳＧ2-(p,q)＝ｃ25［｛（２n−１）・Ｍｉｎ(p,q)／（Ｍａｘ(p,q)−Ｍｉｎ(p,q)）｝  あるいは  （２n−１）  のいずれかとα0の積］           （２−５−Ａ）
ＳＧ1-(p,q)＝ｃ25［｛（２n−１）・Ｍｉｎ(p,q')／（Ｍａｘ(p,q')−Ｍｉｎ(p,q')）｝  あるいは  （２n−１）  のいずれかとα0の積］         （２−５−Ｂ）
あるいは又、
ＳＧ2-(p,q)＝ｃ26｛Ｍａｘ(p,q)1/2  と  Ｍｉｎ(p,q)の値の内の小さい方の値とα0の積｝                                                   （２−６−Ａ）
ＳＧ1-(p,q)＝ｃ26｛Ｍａｘ(p,q')1/2  と  Ｍｉｎ(p,q')の値の内の小さい方の値とα0の積｝                                                 （２−６−Ｂ）
【００３３】
そして、上述した第１Ａの形態、第１Ｂの形態においては、第（ｐ，ｑ）番目の画素における第４副画素・出力信号値Ｘ4-(p,q)を、Ｃ11及びＣ12を定数としたとき、
Ｘ4-(p,q)＝（Ｃ11・ＳＧ2-(p,q)＋Ｃ12・ＳＧ1-(p,q)）／（Ｃ11＋Ｃ12）
（３−Ａ）
にて求め、又は、
Ｘ4-(p,q)＝Ｃ11・ＳＧ2-(p,q)＋Ｃ12・ＳＧ1-(p,q)           （３−Ｂ）
にて求め、又は、
Ｘ4-(p,q)＝Ｃ11・（ＳＧ2-(p,q)−ＳＧ1-(p,q)）＋Ｃ12・ＳＧ1-(p,q)
（３−Ｃ）
にて求めることができ、あるいは又、自乗平均平方根、即ち、
Ｘ4-(p,q)＝［（ＳＧ2-(p,q)2＋ＳＧ1-(p,q)2）／２］1/2      （３−Ｄ）
にて求めることができる。
【００３４】
第４副画素・出力信号値Ｘ4-(p,q)の値としてどのような値あるいは式を用いるかは、画像表示装置や画像表示装置組立体を試作し、例えば、画像観察者によって画像の評価を行い、適宜決定すればよい。また、ＳＧ2-(p,q)の値に依存して、式（３−Ａ）〜式（３−Ｄ）のいずれかを選択してもよいし、ＳＧ1-(p,q)の値に依存して、式（３−Ａ）〜式（３−Ｄ）のいずれかを選択してもよいし、ＳＧ2-(p,q)及びＳＧ1-(p,q)の値に依存して、式（３−Ａ）〜式（３−Ｄ）のいずれかのいずれかを選択してもよい。即ち、例えば、各画素群において、式（３−Ａ）〜式（３−Ｄ）のいずれかのいずれかに固定してＸ4-(p,q)を求めてもよいし、各画素群において、式（３−Ａ）〜式（３−Ｄ）のいずれかのいずれかを選択してＸ4-(p,q)を求めてもよい。
【００３５】
本発明の第２の態様に係る駆動方法における画像表示パネルにあっては、第２の方向に沿って、第１の画素と第２の画素とは隣接している構成とすることができる。この場合、第２の方向に沿って、第１の画素を構成する第１副画素と第２の画素を構成する第１副画素とは隣接して配置されていてもよいし、隣接して配置されていなくともよい。同様に、第２の方向に沿って、第１の画素を構成する第２副画素と第２の画素を構成する第２副画素とは隣接して配置されていてもよいし、隣接して配置されていなくともよい。同様に、第２の方向に沿って、第１の画素を構成する第３副画素と第２の画素を構成する第４副画素とは隣接して配置されていてもよいし、隣接して配置されていなくともよい。あるいは又、第２の方向に沿って、第１の画素と第１の画素とは隣接しており、且つ、第２の画素と第２の画素とは隣接している構成とすることもできる。この場合にあっても、第２の方向に沿って、第１の画素を構成する第１副画素と第２の画素を構成する第１副画素とは隣接して配置されていてもよいし、隣接して配置されていなくともよい。同様に、第２の方向に沿って、第１の画素を構成する第２副画素と第２の画素を構成する第２副画素とは隣接して配置されていてもよいし、隣接して配置されていなくともよい。同様に、第２の方向に沿って、第１の画素を構成する第３副画素と第２の画素を構成する第４副画素とは隣接して配置されていてもよいし、隣接して配置されていなくともよい。
【００３６】
上述した好ましい構成を含む本発明の第２の態様に係る駆動方法にあっては、
第（ｐ，ｑ）番目の第２の画素における第４副画素・制御第２信号値ＳＧ2-(p,q)をＭｉｎ(p,q)-2から得、
第（ｐ，ｑ）番目の第２の画素に隣接した隣接画素における第４副画素・制御第１信号値ＳＧ1-(p,q)をＭｉｎ(p,q')から得る形態とすることができる。尚、このような形態を、便宜上、『第２Ａの形態』と呼ぶ。
【００３７】
具体的には、第４副画素・制御第２信号値ＳＧ2-(p,q)及び第４副画素・制御第１信号値ＳＧ1-(p,q)として、上述した式（１−１−Ａ）、式（１−１−Ｂ）、式（１−２−Ａ）、式（１−２−Ｂ）、式（１−３−Ａ）、式（１−３−Ｂ）、式（１−４−Ａ）、式（１−４−Ｂ）、式（１−５−Ａ）、式（１−５−Ｂ）、式（１−６−Ａ）、式（１−６−Ｂ）を挙げることができる。第４副画素・制御第２信号値ＳＧ2-(p,q)及び第４副画素・制御第１信号値ＳＧ1-(p,q)の値としてどのような値あるいは式を用いるかは、画像表示装置や画像表示装置組立体を試作し、例えば、画像観察者によって画像の評価を行い、適宜決定すればよい。
【００３８】
そして、第２Ａの形態にあっては、第（ｐ，ｑ）番目の第２の画素において、
第１副画素・出力信号（第１副画素・出力信号値Ｘ1-(p,q)-2）を、少なくとも、第１副画素・入力信号（第１副画素・入力信号値ｘ1-(p,q)-2）、Ｍａｘ(p,q)-2、Ｍｉｎ(p,q)-2、及び、第４副画素・制御第２信号値ＳＧ2-(p,q)に基づき求め、
第２副画素・出力信号（第２副画素・出力信号値Ｘ2-(p,q)-2）を、少なくとも、第２副画素・入力信号（第２副画素・入力信号値ｘ2-(p,q)-2）、Ｍａｘ(p,q)-2、Ｍｉｎ(p,q)-2、及び、第４副画素・制御第２信号値ＳＧ2-(p,q)に基づき求める構成とすることができる。また、第（ｐ，ｑ）番目の第１の画素において、
第１副画素・出力信号（第１副画素・出力信号値Ｘ1-(p,q)-1）を、少なくとも、第１副画素・入力信号（第１副画素・入力信号値ｘ1-(p,q)-1）、Ｍａｘ(p,q)-1、Ｍｉｎ(p,q)-1、及び、制御信号値（第３副画素・制御信号値）ＳＧ3-(p,q)に基づき求め、
第２副画素・出力信号（第２副画素・出力信号値Ｘ2-(p,q)-1）を、少なくとも、第２副画素・入力信号（第２副画素・入力信号値ｘ2-(p,q)-1）、Ｍａｘ(p,q)-1、Ｍｉｎ(p,q)-1、及び、制御信号値（第３副画素・制御信号値）ＳＧ3-(p,q)に基づき求める構成とすることができる。
【００３９】
尚、制御信号値（第３副画素・制御信号値）ＳＧ3-(p,q)は、上述した式（１−１−Ｂ）、式（１−２−Ｂ）、式（１−３−Ｂ）、式（１−４−Ｂ）、式（１−５−Ｂ）、式（１−６−Ｂ）、式（２−１−Ｂ）、式（２−２−Ｂ）、式（２−３−Ｂ）、式（２−４−Ｂ）、式（２−５−Ｂ）、式（２−６−Ｂ）における「Ｍａｘ(p,q')」を『Ｍａｘ(p,q)-1』と置き換え、「Ｍｉｎ(p,q')」を『Ｍｉｎ(p,q)-1』と置き換えることで得ることができる。
【００４０】
あるいは又、上述した好ましい構成を含む本発明の第２の態様に係る駆動方法にあっては、
χを画像表示装置に依存した定数としたとき、
第４の色を加えることで拡大されたＨＳＶ色空間における彩度Ｓを変数とした明度の最大値Ｖmax（Ｓ）を、信号処理部において求め、
信号処理部において、
（ａ）複数の画素における副画素・入力信号値に基づき、複数の画素における彩度Ｓ及び明度Ｖ（Ｓ）を求め、
（ｂ）複数の画素において求められたＶmax（Ｓ）／Ｖ（Ｓ）の値の内、少なくとも１つの値に基づいて伸長係数α0を求め、
（ｃ）第（ｐ，ｑ）番目の第２の画素における第１副画素・出力信号値Ｘ1-(p,q)-2を、第１副画素・入力信号値ｘ1-(p,q)-2、伸長係数α0及び定数χに基づき求め、
第２の画素における第２副画素・出力信号値Ｘ2-(p,q)-2を、第２副画素・入力信号値ｘ2-(p,q)-2、伸長係数α0及び定数χに基づき求め、
第２の画素における第４副画素・出力信号値Ｘ4-(p,q)-2を、第４副画素・制御第２信号値ＳＧ2-(p,q)、第４副画素・制御第１信号値ＳＧ1-(p,q)、伸長係数α0及び定数χに基づき求める。尚、このような形態を、便宜上、『第２Ｂの形態』と呼ぶ。伸長係数α0は、１画像表示フレーム毎に決定される構成とすることができる。更には、
第１の画素における第１副画素・出力信号値Ｘ1-(p,q)-1を、第１副画素・入力信号値ｘ1-(p,q)-1、伸長係数α0及び定数χに基づき求め、
第１の画素における第２副画素・出力信号値Ｘ2-(p,q)-1を、第２副画素・入力信号値ｘ2-(p,q)-1、伸長係数α0及び定数χに基づき求める構成とすることができる。尚、このような形態を、便宜上、『第２Ｂの形態』と呼ぶ。伸長係数α0は、１画像表示フレーム毎に決定される構成とすることができる。
【００４１】
ここで、第（ｐ，ｑ）番目の第１の画素における彩度をＳ(p,q)-1、明度をＶ(p,q)-1、第２の画素における彩度をＳ(p,q)-2、明度をＶ(p,q)-2としたとき、
Ｓ(p,q)-1＝（Ｍａｘ(p,q)-1−Ｍｉｎ(p,q)-1）／Ｍａｘ(p,q)-1
Ｖ(p,q)-1＝Ｍａｘ(p,q)-1
Ｓ(p,q)-2＝（Ｍａｘ(p,q)-2−Ｍｉｎ(p,q)-2）／Ｍａｘ(p,q)-2
Ｖ(p,q)-2＝Ｍａｘ(p,q)-2
で表される。
【００４２】
そして、第４副画素・制御第２信号値ＳＧ2-(p,q)を、Ｍｉｎ(p,q)-2及び伸長係数α0に基づき求め、第４副画素・制御第１信号値ＳＧ1-(p,q)を、Ｍｉｎ(p,q')及び伸長係数α0に基づき求める構成とすることができる。より具体的には、第４副画素・制御第２信号値ＳＧ2-(p,q)及び第４副画素・制御第１信号値ＳＧ1-(p,q)として、上述した式（２−１−Ａ）、式（２−１−Ｂ）、式（２−２−Ａ）、式（２−２−Ｂ）、式（２−３−Ａ）、式（２−３−Ｂ）、式（２−４−Ａ）、式（２−４−Ｂ）、式（２−５−Ａ）、式（２−５−Ｂ）、式（２−６−Ａ）、式（２−６−Ｂ）を挙げることができる。第４副画素・制御第２信号値ＳＧ2-(p,q)及び第４副画素・制御第１信号値ＳＧ1-(p,q)の値としてどのような値あるいは式を用いるかは、画像表示装置や画像表示装置組立体を試作し、例えば、画像観察者によって画像の評価を行い、適宜決定すればよい。
【００４３】
そして、上述した第２Ａの形態、第２Ｂの形態においては、第（ｐ，ｑ）番目の第２の画素における第４副画素・出力信号値Ｘ4-(p,q)-2を、Ｃ21及びＣ22を定数としたとき、
Ｘ4-(p,q)-2＝（Ｃ21・ＳＧ2-(p,q)＋Ｃ22・ＳＧ1-(p,q)）／（Ｃ21＋Ｃ22）
（４−Ａ）
にて求め、又は、
Ｘ4-(p,q)-2＝Ｃ21・ＳＧ2-(p,q)＋Ｃ22・ＳＧ1-(p,q)       （４−Ｂ）
にて求め、又は、
Ｘ4-(p,q)-2＝Ｃ21・（ＳＧ2-(p,q)−ＳＧ1-(p,q)）＋Ｃ22・ＳＧ1-(p,q)
（４−Ｃ）
にて求めることができ、あるいは又、自乗平均平方根、即ち、
Ｘ4-(p,q)-2＝［（ＳＧ2-(p,q)2＋ＳＧ1-(p,q)2）／２］1/2  （４−Ｄ）
にて求めることができる。
【００４４】
第４副画素・出力信号値Ｘ4-(p,q)-2の値としてどのような値あるいは式を用いるかは、画像表示装置や画像表示装置組立体を試作し、例えば、画像観察者によって画像の評価を行い、適宜決定すればよい。また、ＳＧ2-(p,q)の値に依存して、式（４−Ａ）〜式（４−Ｄ）のいずれかを選択してもよいし、ＳＧ1-(p,q)の値に依存して、式（４−Ａ）〜式（４−Ｄ）のいずれかを選択してもよいし、ＳＧ2-(p,q)及びＳＧ1-(p,q)の値に依存して、式（４−Ａ）〜式（４−Ｄ）のいずれかのいずれかを選択してもよい。即ち、例えば、各画素群において、式（４−Ａ）〜式（４−Ｄ）のいずれかのいずれかに固定してＸ4-(p,q)-2を求めてもよいし、各画素群において、式（４−Ａ）〜式（４−Ｄ）のいずれかのいずれかを選択してＸ4-(p,q)-2を求めてもよい。
【００４５】
以上に説明した好ましい構成、形態を含む第１Ｂの形態あるいは第２Ｂの形態にあっては、第４の色を加えることで拡大されたＨＳＶ色空間における彩度Ｓを変数とした明度の最大値Ｖmax（Ｓ）が、信号処理部に記憶されており、あるいは又、信号処理部において求められる。そして、複数の画素における副画素・入力信号値に基づき、複数の画素における彩度Ｓ及び明度Ｖ（Ｓ）が求められ、更には、Ｖmax（Ｓ）／Ｖ（Ｓ）に基づき伸長係数α0が求められる。そして、更には、出力信号値が、入力信号値及び伸長係数α0に基づき求められる。このように、伸長係数α0に基づき出力信号値を伸長すれば、従来の技術のように、白色表示副画素の輝度は増加するが、赤色表示副画素、緑色表示副画素及び青色表示副画素の輝度は増加しないといったことがない。即ち、白色表示副画素の輝度を増加させるだけでなく、赤色表示副画素、緑色表示副画素及び青色表示副画素の輝度も増加させる。それ故、色のくすみが発生するといった問題の発生を確実に回避することができる。尚、信号処理部において、出力信号値Ｘ1-(p,q)，Ｘ2-(p,q)，Ｘ3-(p,q)、出力信号値Ｘ1-(p,q)-1，Ｘ2-(p,q)-1，Ｘ3-(p,q)-1，Ｘ1-(p,q)-2，Ｘ2-(p,q)-2は、伸長係数α0及び定数χに基づき求めることができ、より具体的には、以下の式から求めることができる。尚、第（ｐ，ｑ）番目の第２の画素における第４副画素の輝度は、χ・Ｘ4-(p,q)-2で表される。
【００４６】
［第１Ｂの形態］
Ｘ1-(p,q)  ＝α0・ｘ1-(p,q)−χ・ＳＧ2-(p,q)        （５−Ａ）
Ｘ2-(p,q)  ＝α0・ｘ2-(p,q)−χ・ＳＧ2-(p,q)        （５−Ｂ）
Ｘ3-(p,q)  ＝α0・ｘ3-(p,q)−χ・ＳＧ2-(p,q)        （５−Ｃ）
［第２Ｂの形態］
Ｘ1-(p,q)-1  ＝α0・ｘ1-(p,q)-1−χ・ＳＧ3-(p,q)    （５−ａ）
Ｘ2-(p,q)-1  ＝α0・ｘ2-(p,q)-1−χ・ＳＧ3-(p,q)    （５−ｂ）
Ｘ’3-(p,q)-1＝α0・ｘ3-(p,q)-1−χ・ＳＧ3-(p,q)    （５−ｃ）
Ｘ1-(p,q)-2  ＝α0・ｘ1-(p,q)-2−χ・ＳＧ2-(p,q)    （５−ｄ）
Ｘ2-(p,q)-2  ＝α0・ｘ2-(p,q)-2−χ・ＳＧ2-(p,q)    （５−ｅ）
Ｘ’3-(p,q)-2＝α0・ｘ3-(p,q)-2−χ・ＳＧ2-(p,q)    （５−ｆ）
【００４７】
更には、上述した第２Ａの形態、第２Ｂの形態においては、第１の画素における第３副画素・出力信号（第３副画素・出力信号値Ｘ3-(p,q)-1）を、Ｃ31及びＣ32を定数としたとき、例えば、以下の式から求めることができる。
【００４８】
Ｘ3-(p,q)-1＝（Ｃ31・Ｘ’3-(p,q)-1＋Ｃ32・Ｘ’3-(p,q)-2）／（Ｃ21＋Ｃ22）
（６−ａ）
又は、
Ｘ3-(p,q)-1＝Ｃ31・Ｘ’3-(p,q)-1＋Ｃ32・Ｘ’3-(p,q)-2       （６−ｂ）
又は、
Ｘ3-(p,q)-1＝Ｃ21・（Ｘ’3-(p,q)-1−Ｘ’3-(p,q)-2）＋Ｃ22・Ｘ’3-(p,q)-2
（６−ｃ）
【００４９】
一般に、第１副画素に第１副画素・出力信号の最大信号値に相当する値を有する信号が入力され、第２副画素に第２副画素・出力信号の最大信号値に相当する値を有する信号が入力され、第３副画素に第３副画素・出力信号の最大信号値に相当する値を有する信号が入力されたときの、画素あるいは画素群を構成する第１副画素、第２副画素及び第３副画素の集合体の輝度をＢＮ1-3とし、画素あるいは画素群を構成する第４副画素に第４副画素・出力信号の最大信号値に相当する値を有する信号が入力されたときの第４副画素の輝度ＢＮ4としたとき、定数χは、
χ＝ＢＮ4／ＢＮ1-3
で表すことができる。尚、定数χは、画像表示パネル、画像表示装置や画像表示装置組立体に固有の値であり、画像表示パネル、画像表示装置や画像表示装置組立体によって一義的に決定される値である。
【００５０】
複数の画素において求められたＶmax（Ｓ）／Ｖ（Ｓ）［≡α（Ｓ）］の値の内、最も小さい値（αmin）を伸長係数α0とする形態とすることができる。あるいは又、表示すべき画像にも依るが、例えば、（１±０．４）・αmin内のいずれかの値を伸長係数α0としてもよい。あるいは又、複数の画素において求められたＶmax（Ｓ）／Ｖ（Ｓ）［≡α（Ｓ）］の値の内、少なくとも１つの値に基づいて伸長係数α0が求められるが、１つの値（例えば、最も小さい値αmin）に基づいて伸長係数α0を求めてもよいし、最も小さい値から順に複数個の値α（Ｓ）を求め、これらの値の平均値（αave）を伸長係数α0としてもよいし、更には、（１±０．４）・αave内のいずれかの値を伸長係数α0としてもよい。あるいは又、最も小さい値から順に複数個の値α（Ｓ）を求めたときの画素の数が所定の数以下の場合、複数個の個数の数を変更して、最も小さい値から順に複数個の値α（Ｓ）を再び求めてもよい。また、いずれかの画素群において、入力信号値の全てが「０」である場合（若しくは小さい場合）、このような画素群を含めることなく、伸長係数α0を求めればよい。
【００５１】
第４の色は白色である形態とすることができる。但し、これに限定するものではなく、第４の色は、その他、例えば、イエロー、シアンあるいはマゼンダとすることもできる。そして、これらの場合であって、画像表示装置をカラー液晶表示装置から構成する場合、
第１副画素と画像観察者との間に配置され、第１原色を通過させる第１カラーフィルター、
第２副画素と画像観察者との間に配置され、第２原色を通過させる第２カラーフィルター、及び、
第３副画素と画像観察者との間に配置され、第３原色を通過させる第３カラーフィルター、
を更に備えている構成とすることができる。
【００５２】
ｐ0を１つの画素群を構成する画素の数とし、ｐ0×Ｐ≡Ｐ0としたとき、彩度Ｓ及び明度Ｖ（Ｓ）を求めるべき複数の画素は、Ｐ0×Ｑ個の全画素である形態とすることができるし、あるいは又、彩度Ｓ及び明度Ｖ（Ｓ）を求めるべき複数の画素は、（Ｐ0／Ｐ’）×（Ｑ／Ｑ’）個の画素［但し、Ｐ0≧Ｐ’，Ｑ≧Ｑ’であり、且つ、（Ｐ0／Ｐ’）及び（Ｑ／Ｑ’）の少なくともいずれか一方は２以上の自然数］である形態とすることができる。尚、（Ｐ0／Ｐ’），（Ｑ／Ｑ’）の具体的な値として、２，４，８，１６・・・といった２の冪乗を例示することができる。前者の形態を採用することで、画質変化が無く、画質を最大限、良好に保持することができる。一方、後者の形態を採用することで、処理速度の向上、信号処理部の回路の簡素化を図ることができる。尚、このような場合、例えば、（Ｐ0／Ｐ’）＝４，（Ｑ／Ｑ’）＝４としたとき、４つ毎の画素で１つの彩度Ｓ及び明度Ｖ（Ｓ）を求めるので、残りの３つ画素にあっては、Ｖmax（Ｓ）／Ｖ（Ｓ）［≡α（Ｓ）］に値が伸長係数α0よりも小さくなる場合があり得る。即ち、伸長された出力信号の値がＶmax（Ｓ）を越える場合もあり得る。このような場合には、例えば、伸長された出力信号の値の上限値をＶmax（Ｓ）と一致させればよい。
【００５３】
通常、副画素の形状は長方形であるが、この長方形の長辺が第２の方向と平行となり、短辺が第１の方向と平行となるように副画素を配置することが好ましい。
【００５４】
面状光源装置を構成する光源として、発光素子、具体的には、発光ダイオード（ＬＥＤ）を挙げることができる。発光ダイオードから成る発光素子は占有体積も小さく、複数の発光素子を配置するのに好適である。発光素子としての発光ダイオードとして、白色発光ダイオード（例えば、紫外又は青色発光ダイオードと発光粒子とを組み合わせて白色を発光する発光ダイオード）を挙げることができる。
【００５５】
ここで、発光粒子として、赤色発光蛍光体粒子、緑色発光蛍光体粒子、青色発光蛍光体粒子を挙げることができる。赤色発光蛍光体粒子を構成する材料として、Ｙ2Ｏ3：Ｅｕ、ＹＶＯ4：Ｅｕ、Ｙ（Ｐ，Ｖ）Ｏ4：Ｅｕ、３．５ＭｇＯ・０．５ＭｇＦ2・Ｇｅ2：Ｍｎ、ＣａＳｉＯ3：Ｐｂ，Ｍｎ、Ｍｇ6ＡｓＯ11：Ｍｎ、（Ｓｒ，Ｍｇ）3（ＰＯ4）3：Ｓｎ、Ｌａ2Ｏ2Ｓ：Ｅｕ、Ｙ2Ｏ2Ｓ：Ｅｕ、（ＭＥ：Ｅｕ）Ｓ［但し、「ＭＥ」は、Ｃａ、Ｓｒ及びＢａから成る群から選択された少なくとも１種類の原子を意味し、以下においても同様である］、（Ｍ：Ｓｍ）x（Ｓｉ，Ａｌ）12（Ｏ，Ｎ）16［但し、「Ｍ」は、Ｌｉ、Ｍｇ及びＣａから成る群から選択された少なくとも１種類の原子を意味し、以下においても同様である］、ＭＥ2Ｓｉ5Ｎ8：Ｅｕ、（Ｃａ：Ｅｕ）ＳｉＮ2、（Ｃａ：Ｅｕ）ＡｌＳｉＮ3を挙げることができる。また、緑色発光蛍光体粒子を構成する材料として、ＬａＰＯ4：Ｃｅ，Ｔｂ、ＢａＭｇＡｌ10Ｏ17：Ｅｕ，Ｍｎ、Ｚｎ2ＳｉＯ4：Ｍｎ、ＭｇＡｌ11Ｏ19：Ｃｅ，Ｔｂ、Ｙ2ＳｉＯ5：Ｃｅ，Ｔｂ、ＭｇＡｌ11Ｏ19：ＣＥ，Ｔｂ，Ｍｎを挙げることができ、更には、（ＭＥ：Ｅｕ）Ｇａ2Ｓ4、（Ｍ：ＲＥ）x（Ｓｉ，Ａｌ）12（Ｏ，Ｎ）16［但し、「ＲＥ」は、Ｔｂ及びＹｂを意味する］、（Ｍ：Ｔｂ）x（Ｓｉ，Ａｌ）12（Ｏ，Ｎ）16、（Ｍ：Ｙｂ）x（Ｓｉ，Ａｌ）12（Ｏ，Ｎ）16を挙げることができる。更には、青色発光蛍光体粒子を構成する材料として、ＢａＭｇＡｌ10Ｏ17：Ｅｕ、ＢａＭｇ2Ａｌ16Ｏ27：Ｅｕ、Ｓｒ2Ｐ2Ｏ7：Ｅｕ、Ｓｒ5（ＰＯ4）3Ｃｌ：Ｅｕ、（Ｓｒ，Ｃａ，Ｂａ，Ｍｇ）5（ＰＯ4）3Ｃｌ：Ｅｕ、ＣａＷＯ4、ＣａＷＯ4：Ｐｂを挙げることができる。但し、発光粒子は、蛍光体粒子に限定されず、例えば、間接遷移型のシリコン系材料において、直接遷移型のように、キャリアを効率良く光へ変換させるために、キャリアの波動関数を局所化し、量子効果を用いた、２次元量子井戸構造、１次元量子井戸構造（量子細線）、０次元量子井戸構造（量子ドット）等の量子井戸構造を適用した発光粒子を挙げることもできるし、半導体材料に添加された希土類原子は殻内遷移により鋭く発光することが知られており、このような技術を適用した発光粒子を挙げることもできる。
【００５６】
あるいは又、面状光源装置を構成する光源として、赤色（例えば、主発光波長６４０ｎｍ）を発光する赤色発光素子（例えば、発光ダイオード）、緑色（例えば、主発光波長５３０ｎｍ）を発光する緑色発光素子（例えば、ＧａＮ系発光ダイオード）、及び、青色（例えば、主発光波長４５０ｎｍ）を発光する青色発光素子（例えば、ＧａＮ系発光ダイオード）の組合せから構成することができる。赤色、緑色、青色以外の第４番目の色、第５番目の色・・・を発光する発光素子を更に備えていてもよい。
【００５７】
発光ダイオードは、所謂フェイスアップ構造を有していてもよいし、フリップチップ構造を有していてもよい。即ち、発光ダイオードは、基板、及び、基板上に形成された発光層から構成されており、発光層から光が外部に出射される構造としてもよいし、発光層からの光が基板を通過して外部に出射される構造としてもよい。より具体的には、発光ダイオード（ＬＥＤ）は、例えば、基板上に形成された第１導電型（例えばｎ型）を有する第１化合物半導体層、第１化合物半導体層上に形成された活性層、活性層上に形成された第２導電型（例えばｐ型）を有する第２化合物半導体層の積層構造を有し、第１化合物半導体層に電気的に接続された第１電極、及び、第２化合物半導体層に電気的に接続された第２電極を備えている。発光ダイオードを構成する層は、発光波長に依存して、周知の化合物半導体材料から構成すればよい。
【００５８】
面状光源装置は、２種類の面状光源装置（バックライト）、即ち、例えば実開昭６３−１８７１２０や特開２００２−２７７８７０に開示された直下型の面状光源装置、並びに、例えば特開２００２−１３１５５２に開示されたエッジライト型（サイドライト型とも呼ばれる）の面状光源装置とすることができる。
【００５９】
直下型の面状光源装置にあっては、光源としての上述した発光素子が、筐体内に配置、配列されている構成とすることができるが、これに限定するものではない。ここで、複数の赤色発光素子、複数の緑色発光素子、及び、複数の青色発光素子が、筐体内に配置、配列されている場合、これらの発光素子の配列状態として、赤色発光素子、緑色発光素子及び青色発光素子を１組とした発光素子群を画像表示パネル（具体的には、例えば、液晶表示装置）の画面水平方向に複数、連ねて発光素子群アレイを形成し、この発光素子群アレイを画像表示パネルの画面垂直方向に複数本、並べる配列を例示することができる。尚、発光素子群として、（１つの赤色発光素子，１つの緑色発光素子，１つの青色発光素子）、（１つの赤色発光素子，２つの緑色発光素子，１つの青色発光素子）、（２つの赤色発光素子，２つの緑色発光素子，１つの青色発光素子）等の複数個の組合せを挙げることができる。尚、発光素子には、例えば、日経エレクトロニクス  ２００４年１２月２０日第８８９号の第１２８ページに掲載されたような光取出しレンズが取り付けられていてもよい。
【００６０】
また、直下型の面状光源装置を複数の面状光源ユニットから構成する場合、１つの面状光源ユニットは、１つの発光素子群から構成されていてもよいし、２つ以上の複数の発光素子群から構成されていてもよい。あるいは又、１つの面状光源ユニットは、１つの白色発光ダイオードから構成されていてもよいし、２つ以上の複数の白色発光ダイオードから構成されていてもよい。
【００６１】
直下型の面状光源装置を複数の面状光源ユニットから構成する場合、面状光源ユニットと面状光源ユニットとの間に隔壁を配設してもよい。隔壁を構成する材料として、具体的には、アクリル系樹脂、ポリカーボネート樹脂、ＡＢＳ樹脂といった、面状光源ユニットに備えられた発光素子から出射された光に対して不透明な材料を挙げることができるし、面状光源ユニットに備えられた発光素子から出射された光に対して透明な材料として、ポリメタクリル酸メチル樹脂（ＰＭＭＡ）、ポリカーボネート樹脂（ＰＣ）、ポリアリレート樹脂（ＰＡＲ）、ポリエチレンテレフタレート樹脂（ＰＥＴ）、ガラスを例示することができる。隔壁表面に光拡散反射機能を付与してもよいし、鏡面反射機能を付与してもよい。隔壁表面に光拡散反射機能を付与するためには、サンドブラスト法に基づき隔壁表面に凹凸を形成したり、凹凸を有するフィルム（光拡散フィルム）を隔壁表面に貼り付ければよい。また、隔壁表面に鏡面反射機能を付与するためには、光反射フィルムを隔壁表面に貼り付けたり、例えばメッキによって隔壁表面に光反射層を形成すればよい。
【００６２】
直下型の面状光源装置は、光拡散板、光拡散シート、プリズムシート、偏光変換シートといった光学機能シート群や、光反射シートを備えている構成とすることができる。光拡散板、光拡散シート、プリズムシート、偏光変換シート、光反射シートとして、広く周知の材料を用いることができる。光学機能シート群は、離間配置された各種シートから構成されていてもよいし、積層され一体として構成されていてもよい。例えば、光拡散シート、プリズムシート、偏光変換シート等が積層され一体となっていてもよい。光拡散板や光学機能シート群は、面状光源装置と画像表示パネルとの間に配置される。
【００６３】
一方、エッジライト型の面状光源装置にあっては、画像表示パネル（具体的には、例えば、液晶表示装置）に対向して導光板が配置され、導光板の側面（次に述べる第１側面）に発光素子が配置される。導光板は、第１面（底面）、この第１面と対向した第２面（頂面）、第１側面、第２側面、第１側面と対向した第３側面、及び、第２側面と対向した第４側面を有する。導光板のより具体的な形状として、全体として、楔状の切頭四角錐形状を挙げることができ、この場合、切頭四角錐の２つの対向する側面が第１面及び第２面に相当し、切頭四角錐の底面が第１側面に相当する。そして、第１面（底面）の表面部には凸部及び／又は凹部が設けられていることが望ましい。導光板の第１側面から光が入射され、第２面（頂面）から画像表示パネルに向けて光が出射される。ここで、導光板の第２面は、平滑としてもよいし（即ち、鏡面としてもよいし）、光拡散効果のあるブラストシボを設けてもよい（即ち、微細な凹凸面とすることもできる）。
【００６４】
導光板の第１面（底面）には、凸部及び／又は凹部が設けられていることが望ましい。即ち、導光板の第１面には、凸部が設けられ、あるいは又、凹部が設けられ、あるいは又、凹凸部が設けられていることが望ましい。凹凸部が設けられている場合、凹部と凸部とが連続していてもよいし、不連続であってもよい。導光板の第１面に設けられた凸部及び／又は凹部は、導光板への光入射方向と所定の角度を成す方向に沿って延びる連続した凸部及び／又は凹部である構成とすることができる。このような構成にあっては、導光板への光入射方向であって第１面と垂直な仮想平面で導光板を切断したときの連続した凸形状あるいは凹形状の断面形状として、三角形；正方形、長方形、台形を含む任意の四角形；任意の多角形；円形、楕円形、放物線、双曲線、カテナリー等を含む任意の滑らかな曲線を例示することができる。尚、導光板への光入射方向と所定の角度を成す方向とは、導光板への光入射方向を０度としたとき、６０度〜１２０度の方向を意味する。以下においても同様である。あるいは又、導光板の第１面に設けられた凸部及び／又は凹部は、導光板への光入射方向と所定の角度を成す方向に沿って延びる不連続の凸部及び／又は凹部である構成とすることができる。このような構成にあっては、不連続の凸形状あるいは凹形状の形状として、角錐、円錐、円柱、三角柱や四角柱を含む多角柱、球の一部、回転楕円体の一部、回転放物線体の一部、回転双曲線体の一部といった各種の滑らかな曲面を例示することができる。尚、導光板において、場合によっては、第１面の周縁部には凸部や凹部が形成されていなくともよい。更には、光源から出射され、導光板に入射した光が導光板の第１面に形成された凸部あるいは凹部に衝突して散乱されるが、導光板の第１面に設けられた凸部あるいは凹部の高さや深さ、ピッチ、形状を、一定としてもよいし、光源から離れるに従い変化させてもよい。後者の場合、例えば凸部あるいは凹部のピッチを光源から離れるに従い細かくしてもよい。ここで、凸部のピッチ、あるいは、凹部のピッチとは、導光板への光入射方向に沿った凸部のピッチ、あるいは、凹部のピッチを意味する。
【００６５】
導光板を備えた面状光源装置にあっては、導光板の第１面に対向して光反射部材を配置することが望ましい。導光板の第２面に対向して画像表示パネル（具体的には、例えば、液晶表示装置）が配置されている。光源から出射された光は、導光板の第１側面（例えば、切頭四角錐の底面に相当する面）から導光板に入射し、第１面の凸部あるいは凹部に衝突して散乱され、第１面から出射し、光反射部材にて反射され、第１面に再び入射し、第２面から出射され、画像表示パネルを照射する。画像表示パネルと導光板の第２面との間に、例えば、光拡散シートやプリズムシートを配置してもよい。また、光源から出射された光を直接、導光板に導いてもよいし、間接的に導光板に導いてもよい。後者の場合、例えば、光ファイバーを用いればよい。
【００６６】
導光板は、光源が出射する光を余り吸収することの無い材料から導光板を作製することが好ましい。具体的には、導光板を構成する材料として、例えば、ガラスや、プラスチック材料（例えば、ＰＭＭＡ、ポリカーボネート樹脂、アクリル系樹脂、非晶性のポリプロピレン系樹脂、ＡＳ樹脂を含むスチレン系樹脂）を挙げることができる。
【００６７】
本発明において、面状光源装置の駆動方法、駆動条件は特に限定するものではなく、光源を一括して制御してもよい。即ち、例えば、複数の発光素子を同時に駆動してもよい。あるいは又、複数の発光素子を部分駆動（分割駆動）してもよい。即ち、面状光源装置を複数の面状光源ユニットから構成する場合、画像表示パネルの表示領域をＳ×Ｔ個の仮想の表示領域ユニットに分割したと想定したときのこれらのＳ×Ｔ個の表示領域ユニットに対応したＳ×Ｔ個の面状光源ユニットから面状光源装置を構成し、Ｓ×Ｔ個の面状光源ユニットの発光状態を個別に制御する構成としてもよい。
【００６８】
面状光源装置並びに画像表示パネルを駆動するための駆動回路は、例えば、発光ダイオード（ＬＥＤ）駆動回路、演算回路、記憶装置（メモリ）等から構成された面状光源装置制御回路、及び、周知の回路から構成された画像表示パネル駆動回路を備えている。尚、温度制御回路を、面状光源装置制御回路に含めることができる。表示領域の部分の輝度（表示輝度）及び面状光源ユニットの輝度（光源輝度）の制御は、１画像表示フレーム毎に行われる。尚、駆動回路に電気信号として１秒間に送られる画像情報の数（毎秒画像）がフレーム周波数（フレームレート）であり、フレーム周波数の逆数がフレーム時間（単位：秒）である。
【００６９】
透過型の液晶表示装置は、例えば、透明第１電極を備えたフロント・パネル、透明第２電極を備えたリア・パネル、及び、フロント・パネルとリア・パネルとの間に配された液晶材料から成る。
【００７０】
フロント・パネルは、より具体的には、例えば、ガラス基板やシリコン基板から成る第１の基板と、第１の基板の内面に設けられた透明第１電極（共通電極とも呼ばれ、例えば、ＩＴＯから成る）と、第１の基板の外面に設けられた偏光フィルムとから構成されている。更には、透過型のカラー液晶表示装置においては、第１の基板の内面に、アクリル樹脂やエポキシ樹脂から成るオーバーコート層によって被覆されたカラーフィルターが設けられている。そして、フロント・パネルは、更に、オーバーコート層上に透明第１電極が形成された構成を有している。尚、透明第１電極上には配向膜が形成されている。一方、リア・パネルは、より具体的には、例えば、ガラス基板やシリコン基板から成る第２の基板と、第２の基板の内面に形成されたスイッチング素子と、スイッチング素子によって導通／非導通が制御される透明第２電極（画素電極とも呼ばれ、例えば、ＩＴＯから成る）と、第２の基板の外面に設けられた偏光フィルムとから構成されている。透明第２電極を含む全面には配向膜が形成されている。これらの透過型のカラー液晶表示装置を含む液晶表示装置を構成する各種の部材や液晶材料は、周知の部材、材料から構成することができる。スイッチング素子として、単結晶シリコン半導体基板に形成されたＭＯＳ型ＦＥＴや薄膜トランジスタ（ＴＦＴ）といった３端子素子や、ＭＩＭ素子、バリスタ素子、ダイオード等の２端子素子を例示することができる。
【００７１】
２次元マトリクス状に配列された画素（ピクセル）の数は、第１の方向に沿ってＰ0あり、第２の方向に沿ってＱ個である。この画素の数を、便宜上、（Ｐ0，Ｑ）で表記したとき、（Ｐ0，Ｑ）の値として、具体的には、ＶＧＡ（６４０，４８０）、Ｓ−ＶＧＡ（８００，６００）、ＸＧＡ（１０２４，７６８）、ＡＰＲＣ（１１５２，９００）、Ｓ−ＸＧＡ（１２８０，１０２４）、Ｕ−ＸＧＡ（１６００，１２００）、ＨＤ−ＴＶ（１９２０，１０８０）、Ｑ−ＸＧＡ（２０４８，１５３６）の他、（１９２０，１０３５）、（７２０，４８０）、（１２８０，９６０）等、画像表示用解像度の幾つかを例示することができるが、これらの値に限定するものではない。また、（Ｐ0，Ｑ）の値と（Ｓ，Ｔ）の値との関係として、限定するものではないが、以下の表１に例示することができる。１つの表示領域ユニットを構成する画素の数として、２０×２０乃至３２０×２４０、好ましくは、５０×５０乃至２００×２００を例示することができる。表示領域ユニットにおける画素の数は、一定であってもよいし、異なっていてもよい。
【００７２】
［表１］
0005619429.tif 000002
【００７３】
本発明の画像表示装置及びその駆動方法にあっては、画像表示装置として、直視型あるいはプロジェクション型のカラー表示の画像表示装置、フィールドシーケンシャル方式のカラー表示の画像表示装置（直視型あるいはプロジェクション型）を挙げることができる。尚、画像表示装置を構成する発光素子の数は、画像表示装置に要求される仕様に基づき、決定すればよい。また、画像表示装置に要求される仕様に基づき、ライト・バルブを更に備えている構成とすることができる。
【００７４】
画像表示装置は、カラー液晶表示装置に限定するものではなく、その他、有機エレクトロルミネッセンス表示装置（有機ＥＬ表示装置）、無機エレクトロルミネッセンス表示装置（無機ＥＬ表示装置）、冷陰極電界電子放出表示装置（ＦＥＤ）、表面伝導型電子放出表示装置（ＳＥＤ）、プラズマ表示装置（ＰＤＰ）、回折格子−光変調素子（ＧＬＶ）を備えた回折格子−光変調装置、デジタルマイクロミラーデバイス（ＤＭＤ）、ＣＲＴ等を挙げることができる。また、カラー液晶表示装置も、透過型の液晶表示装置に限定するものではなく、反射型の液晶表示装置、半透過型の液晶表示装置とすることもできる。
【実施例１】
【００７５】
実施例１は、本発明の第１の態様に係る画像表示装置の駆動方法、及び、本発明の第１の態様に係る画像表示装置組立体の駆動方法に関し、具体的には、第１Ａの形態に関する。
【００７６】
図２に概念図を示すように、実施例１の画像表示装置１０は、画像表示パネル３０と信号処理部２０とを備えている。また、実施例１の画像表示装置組立体は、画像表示装置１０と、画像表示装置（具体的には、画像表示パネル３０）を背面から照明する面状光源装置５０を具備している。
【００７７】
図１に画素の配置を模式的に示すように、実施例１の画像表示パネル３０は、画素Ｐｘが、第１の方向にＰ0個、第２の方向にＱ0個の合計、Ｐ0×Ｑ0個、２次元マトリクス状に配列されて成る。そして、各画素Ｐｘは、第１原色（例えば、赤色）を表示する第１副画素（「Ｒ」で示す）、第２原色（例えば、緑色）を表示する第２副画素（「Ｇ」で示す）、第３原色（例えば、青色）を表示する第３副画素（「Ｂ」で示す）、及び、第４の色（例えば、白色）を表示する第４副画素（「Ｗ」で示す）から成り、これらの副画素が第１の方向に配列されている。画素の配置の概念図を、図３に示す。副画素の形状は長方形であり、この長方形の長辺が第２の方向と平行となり、短辺が第１の方向と平行となるように副画素を配置する。
【００７８】
実施例１の画像表示装置は、より具体的には、透過型のカラー液晶表示装置から成り、画像表示パネル３０はカラー液晶表示パネルから成り、第１副画素と画像観察者との間に配置され、第１原色を通過させる第１カラーフィルター、第２副画素と画像観察者との間に配置され、第２原色を通過させる第２カラーフィルター、及び、第３副画素と画像観察者との間に配置され、第３原色を通過させる第３カラーフィルターを更に備えている。尚、白色を表示する第４副画素にはカラーフィルターは備えられていない。第４副画素には、カラーフィルターの代わりに透明な樹脂層が備えられていてもよく、これによって、カラーフィルターを設けないことに起因して第４副画素に大きな段差が生じることを、防止することができる。
【００７９】
実施例１において、信号処理部２０は、画像表示パネル（より具体的には、カラー液晶表示パネル）を駆動するための画像表示パネル駆動回路４０、及び、面状光源装置５０を駆動するための面状光源装置制御回路６０を備えており、画像表示パネル駆動回路４０は、信号出力回路４１及び走査回路４２を備えている。尚、走査回路４２によって、画像表示パネル３０における副画素の動作（光透過率）を制御するためのスイッチング素子（例えば、ＴＦＴ）がオン／オフ制御される。一方、信号出力回路４１によって、映像信号が保持され、順次、画像表示パネル３０に出力される。信号出力回路４１と画像表示パネル３０とは、配線ＤＴＬによって電気的に接続されており、走査回路４２と画像表示パネル３０とは、配線ＳＣＬによって電気的に接続されている。
【００８０】
尚、各実施例にあっては、「ｎ」を表示階調ビット数としたとき、ｎ＝８とした。即ち、表示階調ビット数を８ビット（表示階調の値は、具体的には、０乃至２５５である）とした。尚、表示階調の最大値を、（２n−１）と表現する場合がある。
【００８１】
信号処理部２０においては、画素Ｐｘ(p,q)への第１副画素・出力信号（第１副画素・出力信号値Ｘ1-(p,q)）を第１副画素・入力信号（第１副画素・入力信号値ｘ1-(p,q)）に基づき求め、第１副画素へ出力し、第２副画素・出力信号（第２副画素・出力信号値Ｘ2-(p,q)）を第２副画素・入力信号（第２副画素・入力信号値ｘ2-(p,q)）に基づき求め、第２副画素へ出力し、第３副画素・出力信号（第３副画素・出力信号値Ｘ3-(p,q)）を第３副画素・入力信号（第３副画素・入力信号値ｘ3-(p,q)）に基づき求め、第３副画素へ出力する。
【００８２】
ここで、実施例１において、信号処理部２０には、
第（ｐ，ｑ）番目の画素Ｐｘ(p,q)（但し、１≦ｐ≦Ｐ0，１≦ｑ≦Ｑ0）を構成する画素Ｐｘ(p,q)に関して、
信号値がｘ1-(p,q)の第１副画素・入力信号、
信号値がｘ2-(p,q)の第２副画素・入力信号、及び、
信号値がｘ3-(p,q)の第３副画素・入力信号、
が入力される。また、信号処理部２０は、画素Ｐｘ(p,q)に関して、
信号値がＸ1-(p,q)であり、第１副画素Ｒの表示階調を決定するための第１副画素・出力信号、
信号値がＸ2-(p,q)であり、第２副画素Ｇの表示階調を決定するための第２副画素・出力信号、
信号値がＸ3-(p,q)であり、第３副画素Ｂの表示階調を決定するための第３副画素・出力信号、及び、
信号値がＸ4-(p,q)であり、第４副画素Ｗの表示階調を決定するための第４副画素・出力信号、
を出力する。
【００８３】
更には、第（ｐ，ｑ）番目の画素に隣接した隣接画素に関して、
信号値がｘ1-(p,q')の第１副画素・入力信号、
信号値がｘ2-(p,q')の第２副画素・入力信号、及び、
信号値がｘ3-(p,q')の第３副画素・入力信号、
が入力される。また、隣接画素に関して、
信号値がＸ1-(p,q')であり、第１副画素の表示階調を決定するための第１副画素・出力信号、
信号値がＸ2-(p,q')であり、第２副画素の表示階調を決定するための第２副画素・出力信号、
信号値がＸ3-(p,q')であり、第３副画素の表示階調を決定するための第３副画素・出力信号、及び、
信号値がＸ4-(p,q')であり、第４副画素の表示階調を決定するための第４副画素・出力信号、
を出力する。
【００８４】
尚、実施例１にあっては、第（ｐ，ｑ）番目の画素に隣接した隣接画素を、第（ｐ，ｑ−１）番目の画素とする。以下の実施例においても同様である。但し、これに限定するものではなく、第（ｐ，ｑ＋１）番目の画素とすることもできるし、第（ｐ，ｑ−１）番目の画素及び第（ｐ，ｑ＋１）番目の画素とすることもできる。
【００８５】
そして、更には、信号処理部２０において、第２の方向に沿って数えたときの第（ｐ，ｑ）番目［但し、ｐ＝１，２・・・Ｐ0であり、ｑ＝１，２・・・，Ｑ0である］の画素における第１副画素・入力信号、第２副画素・入力信号及び第３副画素・入力信号から求められた第４副画素・制御第２信号、並びに、第２の方向に沿って第（ｐ，ｑ）番目の画素に隣接した隣接画素における第１副画素・入力信号、第２副画素・入力信号及び第３副画素・入力信号から求められた第４副画素・制御第１信号に基づき第４副画素・出力信号を求め、第（ｐ，ｑ）番目の画素の第４副画素へ出力する。
【００８６】
具体的には、第４副画素・制御第２信号値ＳＧ2-(p,q)を、第（ｐ，ｑ）番目の画素Ｐｘ(p,q)における第１副画素・入力信号値ｘ1-(p,q)、第２副画素・入力信号値ｘ2-(p,q)及び第３副画素・入力信号値ｘ3-(p,q)から求める。一方、第４副画素・制御第１信号値ＳＧ1-(p,q)を、第２の方向に沿って第（ｐ，ｑ）番目の画素に隣接した隣接画素における第１副画素・入力信号値ｘ1-(p,q')、第２副画素・入力信号値ｘ2-(p,q')及び第３副画素・入力信号値ｘ3-(p,q')から求める。そして、第４副画素・制御第２信号値ＳＧ2-(p,q)及び第４副画素・制御第１信号値ＳＧ1-(p,q)に基づき第４副画素・出力信号を求め、求められた第４副画素・出力信号値Ｘ4-(p,q)を、第（ｐ，ｑ）番目の画素の第４副画素へ出力する。
【００８７】
実施例１においては、第１Ａの形態を採用している。即ち、第（ｐ，ｑ）番目の画素Ｐｘ(p,q)におけるＭｉｎ(p,q)に基づき第４副画素・制御第２信号値ＳＧ2-(p,q)を求め、第（ｐ，ｑ）番目の画素Ｐｘ(p,q)に隣接した隣接画素Ｐｘ(p,q')におけるＭｉｎ(p,q')に基づき第４副画素・制御第１信号値ＳＧ1-(p,q)を求める。
【００８８】
具体的には、第４副画素・制御第２信号値ＳＧ2-(p,q)、第４副画素・制御第１信号値ＳＧ1-(p,q)を、上述した式（１−１−Ａ）、式（１−１−Ｂ）から求める。但し、実施例１にあっては、ｃ11＝１としている。尚、第４副画素・制御第２信号値ＳＧ2-(p,q)、第４副画素・制御第１信号値ＳＧ1-(p,q)の値としてどのような値あるいは式を用いるかは、画像表示装置１０や画像表示装置組立体を試作し、例えば、画像観察者によって画像の評価を行い、適宜決定すればよい。
【００８９】
ＳＧ2-(p,q)＝ｃ11（Ｍｉｎ(p,q)）                      （１−１−Ａ）
ＳＧ1-(p,q)＝ｃ11（Ｍｉｎ(p,q')）                     （１−１−Ｂ）
【００９０】
また、第４副画素・出力信号値Ｘ4-(p,q)を、以下の式（３−Ａ）から求める。尚、実施例１にあっては、Ｃ11＝Ｃ12＝１とした。即ち、第４副画素・出力信号値Ｘ4-(p,q)を相加平均の以下の式（３−Ａ’）から求める。
【００９１】
Ｘ4-(p,q)＝（Ｃ11・ＳＧ2-(p,q)＋Ｃ12・ＳＧ1-(p,q)）／（Ｃ11＋Ｃ12）
（３−Ａ）
＝（ＳＧ2-(p,q)＋ＳＧ1-(p,q)）／２           （３−Ａ’）
【００９２】
更には、第（ｐ，ｑ）番目の画素Ｐｘ(p,q)における第１副画素・出力信号値Ｘ1-(p,q)を、少なくとも、第１副画素・入力信号値ｘ1-(p,q)、Ｍａｘ(p,q)、Ｍｉｎ(p,q)、及び、第４副画素・制御第２信号値ＳＧ2-(p,q)に基づき求め、第２副画素・出力信号値Ｘ2-(p,q)を、少なくとも、第２副画素・入力信号値ｘ2-(p,q)、Ｍａｘ(p,q)、Ｍｉｎ(p,q)、及び、第４副画素・制御第２信号値ＳＧ2-(p,q)に基づき求め、第３副画素・出力信号値Ｘ3-(p,q)を、少なくとも、第３副画素・入力信号値ｘ3-(p,q)、Ｍａｘ(p,q)、Ｍｉｎ(p,q)、及び、第４副画素・制御第２信号値ＳＧ2-(p,q)に基づき求める。ここで、実施例１にあっては、具体的には、第１副画素・出力信号値Ｘ1-(p,q)を、
［ｘ1-(p,q)，Ｍａｘ(p,q)，Ｍｉｎ(p,q)，ＳＧ2-(p,q)，χ］
に基づき求め、第２副画素・出力信号値Ｘ2-(p,q)を、
［ｘ2-(p,q)，Ｍａｘ(p,q)，Ｍｉｎ(p,q)，ＳＧ2-(p,q)，χ］
に基づき求め、第３副画素・出力信号値Ｘ3-(p,q)を、
［ｘ3-(p,q)，Ｍａｘ(p,q)，Ｍｉｎ(p,q)，ＳＧ2-(p,q)，χ］
に基づき求める。
【００９３】
例えば、画素Ｐｘ(p,q)に関して、一例として、以下の関係を有する入力信号値の入力信号が信号処理部２０に入力され、隣接画素Ｐｘ(p,q')に関して、一例として、以下の関係を有する入力信号値の入力信号が信号処理部２０に入力されたとする。
【００９４】
ｘ3-(p,q)  ＜ｘ1-(p,q)  ＜ｘ2-(p,q)        （１１−Ａ）
ｘ2-(p,q') ＜ｘ3-(p,q') ＜ｘ1-(p,q')       （１１−Ｂ）
【００９５】
この場合、
Ｍｉｎ(p,q) ＝ｘ3-(p,q)                    （１２−Ａ）
Ｍｉｎ(p,q')＝ｘ2-(p,q')                   （１２−Ｂ）
である。
【００９６】
そして、Ｍｉｎ(p,q)に基づき第４副画素・制御第２信号値ＳＧ2-(p,q)を決定し、Ｍｉｎ(p,q')に基づき第４副画素・制御第１信号値ＳＧ1-(p,q)を決定する。即ち、
ＳＧ2-(p,q)＝Ｍｉｎ(p,q)
＝ｘ3-(p,q)2                          （１３−Ａ）
ＳＧ1-(p,q)＝Ｍｉｎ(p,q')
＝ｘ2-(p,q')                          （１３−Ｂ）
である。更には、
Ｘ4-(p,q)  ＝（ＳＧ2-(p,q)＋ＳＧ1-(p,q)）／２
＝（ｘ3-(p,q)＋ｘ2-(p,q')）／２       （１４）
である。
【００９７】
ところで、入力信号の入力信号値と出力信号の出力信号値とに基づく輝度に関しては、色度を変化させないといった要請を満足させるために、以下の関係を満足する必要がある。尚、第４副画素・出力信号値Ｘ4-(p,q)にχを掛けているが、これは、後述するように、第４副画素が、他の副画素よりもχ倍、明るいためである。
【００９８】
ｘ1-(p,q)／Ｍａｘ(p,q)
＝（Ｘ1-(p,q)＋χ・ＳＧ2-(p,q)）／（Ｍａｘ(p,q)＋χ・ＳＧ2-(p,q)）
（１５−Ａ）
ｘ2-(p,q)／Ｍａｘ(p,q)
＝（Ｘ2-(p,q)＋χ・ＳＧ2-(p,q)）／（Ｍａｘ(p,q)＋χ・ＳＧ2-(p,q)）
（１５−Ｂ）
ｘ3-(p,q)／Ｍａｘ(p,q)
＝（Ｘ3-(p,q)＋χ・ＳＧ2-(p,q)）／（Ｍａｘ(p,q)＋χ・ＳＧ2-(p,q)）
（１５−Ｃ）
【００９９】
尚、第１副画素に第１副画素・出力信号の最大信号値に相当する値を有する信号が入力され、第２副画素に第２副画素・出力信号の最大信号値に相当する値を有する信号が入力され、第３副画素に第３副画素・出力信号の最大信号値に相当する値を有する信号が入力されたときの、画素を構成する（後述する実施例５あるいは実施例６にあっては画素群を構成する）第１副画素、第２副画素及び第３副画素の集合体の輝度をＢＮ1-3とし、画素を構成する（後述する実施例５あるいは実施例６にあっては画素群を構成する）第４副画素に第４副画素・出力信号の最大信号値に相当する値を有する信号が入力されたときの第４副画素の輝度ＢＮ4としたとき、定数χは、
χ＝ＢＮ4／ＢＮ1-3
で表すことができる。ここで、定数χは、画像表示パネル３０、画像表示装置や画像表示装置組立体に固有の値であり、画像表示パネル３０、画像表示装置や画像表示装置組立体によって一義的に決定される値である。具体的には、第１副画素、第２副画素及び第３副画素の集合体に、以下の表示階調の値を有する入力信号
ｘ1-(p,q)＝２５５
ｘ2-(p,q)＝２５５
ｘ3-(p,q)＝２５５
が入力されたときの白色の輝度ＢＮ1-3に対して、第４副画素に表示階調の値２５５を有する入力信号が入力されたと仮定したときの輝度ＢＮ4は、例えば、１．５倍である。即ち、実施例１、あるいは、後述する実施例にあっては、
χ＝１．５
である。
【０１００】
従って、式（１５−Ａ）、式（１５−Ｂ）、式（１５−Ｃ）から、出力信号値が以下のとおりに求まる。
【０１０１】
Ｘ1-(p,q)＝｛ｘ1-(p,q)・（Ｍａｘ(p,q)＋χ・ＳＧ2-(p,q)）｝／Ｍａｘ(p,q)
−χ・ＳＧ2-(p,q)                          （１６−Ａ）
Ｘ2-(p,q)＝｛ｘ2-(p,q)・（Ｍａｘ(p,q)＋χ・ＳＧ2-(p,q)）｝／Ｍａｘ(p,q)
−χ・ＳＧ2-(p,q)                          （１６−Ｂ）
Ｘ3-(p,q)＝｛ｘ3-(p,q)・（Ｍａｘ(p,q)＋χ・ＳＧ2-(p,q)）｝／Ｍａｘ(p,q)
−χ・ＳＧ2-(p,q)                          （１６−Ｃ）
【０１０２】
図４において、第１副画素、第２副画素及び第３副画素の入力信号値を［１］に示す。尚、ＳＧ2-(p,q)＝ＳＧ1-(p,q)とする。また、第１副画素、第２副画素及び第３副画素の組の入力信号値から第４副画素・出力信号値を減じた状態を［２］に示す。更には、式（１６−Ａ）、式（１６−Ｂ）及び式（１６−Ｃ）に基づき得られた第１副画素、第２副画素及び第３副画素の出力信号値を［３］に示す。尚、図４の縦軸は輝度を示し、第１副画素、第２副画素及び第３副画素の輝度ＢＮ1-3を（２n−１）で示しており、更には、第４副画素が加わったときの輝度（ＢＮ1-3＋ＢＮ4）を（χ＋１）×（２n−１）で示している。
【０１０３】
以下、第（ｐ，ｑ）番目の画素Ｐｘ(p,q)における出力信号値Ｘ1-(p,q)，Ｘ2-(p,q)，Ｘ3-(p,q)，Ｘ4-(p,q)の求め方を説明する。尚、以下の処理は、各画素で、（第１副画素＋第４副画素）によって表示される第１原色の輝度、（第２副画素＋第４副画素）によって表示される第２原色の輝度、（第３副画素＋第４副画素）によって表示される第３原色の輝度の比を保つように行われる。しかも、色調を出来る限り保持（維持）するように行われる。更には、階調−輝度特性（ガンマ特性，γ特性）を保持（維持）するように行われる。
【０１０４】
［工程−１００］
先ず、信号処理部２０において、複数の画素における副画素・入力信号値に基づき、画素のそれぞれにおける第４副画素・制御第２信号値ＳＧ2-(p,q)、第４副画素・制御第１信号値ＳＧ1-(p,q)を、式（１−１−Ａ’）及び式（１−１−Ｂ’）に基づき求める。この処理を、全ての画素に対して行う。そして、更には、信号値Ｘ4-(p,q)を、式（３−Ａ’）に基づき求める。
【０１０５】
ＳＧ2-(p,q)＝Ｍｉｎ(p,q)                          （１−１−Ａ’）
ＳＧ1-(p,q)＝Ｍｉｎ(p,q')                         （１−１−Ｂ’）
Ｘ4-(p,q)  ＝（ＳＧ2-(p,q)＋ＳＧ1-(p,q)）／２     （３−Ａ’）
【０１０６】
［工程−１１０］
次いで、信号処理部２０において、画素において求められた第４副画素・出力信号値Ｘ4-(p,q)から、式（１６−Ａ）、式（１６−Ｂ）及び式（１６−Ｃ）に基づき、出力信号値Ｘ1-(p,q)，Ｘ2-(p,q)，Ｘ3-(p,q)を求める。この操作を、Ｐ×Ｑ個の全画素において行う。
【０１０７】
尚、各画素において、出力信号値の比
Ｘ1-(p,q)：Ｘ2-(p,q)：Ｘ3-(p,q)
は、入力信号値の比
ｘ1-(p,q)：ｘ2-(p,q)：ｘ3-(p,q)
と若干異なっているので、各画素を単独で眺めた場合、入力信号に対して各画素の色調に若干の差異が生じるが、画素として眺めた場合、各画素の色調に何らの問題は生じない。以下の説明においても同様である。
【０１０８】
実施例１の画像表示装置の駆動方法あるいは画像表示装置組立体の駆動方法にあっては、信号処理部２０において、第１副画素・入力信号、第２副画素・入力信号及び第３副画素・入力信号から求められた第４副画素・制御第２信号値ＳＧ2-(p,q)、並びに、隣接画素の第１副画素・入力信号、第２副画素・入力信号及び第３副画素・入力信号から求められた第４副画素・制御第１信号値ＳＧ1-(p,q)に基づき第４副画素・出力信号が求められ、出力される。ここで、第４副画素・出力信号が、隣接する画素への入力信号を加味して求められるので、第４副画素への出力信号の最適化が図られているし、輝度の増加を確実に図ることができるし、表示品位の向上を図ることができる。
【０１０９】
例えば、第（ｐ，ｑ）番目の画素及びこれに隣接する画素である第（ｐ，ｑ−１）番目の画素、更には、第（ｐ，ｑ−２）番目の画素、第（ｐ，ｑ−３）番目の画素、第（ｐ，ｑ＋１）番目の画素に、表２に示す値を有する第１副画素・入力信号値、第２副画素・入力信号値、第３副画素・入力信号値が入力されたとする。このとき、第（ｐ，ｑ−２）番目の画素、第（ｐ，ｑ−１）番目の画素、第（ｐ，ｑ）番目の画素、第（ｐ，ｑ＋１）番目の画素を構成する第４副画素に出力される第４副画素・出力信号値の値を式（３−Ａ）に基づき計算した結果を、表２に示す。尚、第２の画素における定数χに起因した輝度の増加については、計算の上では、無視している。
【０１１０】
一方、式（３−Ａ）の代わりに、以下の式にて第４副画素・出力信号値Ｘ4-(p,q)を求めた例を、比較例１として、同様に表２に示す。
【０１１１】
Ｘ4-(p,q)＝Ｍｉｎ(p,q)      （１７）
【０１１２】
［表２］
0005619429.tif 000003
【０１１３】
表２から、第（ｐ，ｑ）番目の画素における第４副画素・出力信号値の、第（ｐ，ｑ−１）番目の画素における第４副画素・出力信号値との差が、実施例１にあっては、比較例１よりも小さくなっている。
【０１１４】
第（ｐ，ｑ）番目の画素における第４副画素・出力信号値と、第（ｐ，ｑ−１）番目の画素における第４副画素・出力信号値との差が大きいと、第４副画素の輝度が高いが故に、視認性が悪化する。例えば、図２０の（Ａ）に示す入力信号値が入力されたとすると、本来ならば、横方向に延びる２本の白線［第（ａ）行及び第（ｃ）行の画素の列によって表示される］に１本の黒線［第（ｂ）行の画素の列によって表示される］が挟まれたように視認されるはずである。尚、図２０の（Ａ）における「Ｒ」，「Ｇ」，「Ｂ」，「Ｗ」は、第１副画素、第２副画素、第３副画素、第４副画素を示し、（）内の数字は出力信号値を示す。ところが、実際には、第４副画素の輝度が高いが故に、黒線の幅に変化が生じているように視認されてしまう（図２０の（Ｂ）参照）。実施例１にあっては、第（ｐ，ｑ）番目の画素における第４副画素・出力信号値の、第（ｐ，ｑ−１）番目の画素における第４副画素・出力信号値との差が小さくなっているので、このような現象が認め難くなる。
【実施例２】
【０１１５】
実施例２は、実施例１の変形であるが、第１Ｂの形態に関する。
【０１１６】
実施例２においては、
χを画像表示装置１０に依存した定数としたとき、
第４の色を加えることで拡大されたＨＳＶ色空間における彩度Ｓを変数とした明度の最大値Ｖmax（Ｓ）を、信号処理部２０において求め、
信号処理部２０において、
（ａ）複数の画素における副画素・入力信号値に基づき、複数の画素における彩度Ｓ及び明度Ｖ（Ｓ）を求め、
（ｂ）複数の画素において求められたＶmax（Ｓ）／Ｖ（Ｓ）の値の内、少なくとも１つの値に基づいて伸長係数α0を求め、
（ｃ）第（ｐ，ｑ）番目の画素における第１副画素・出力信号（第１副画素・出力信号値Ｘ1-(p,q)）を、少なくとも、第１副画素・入力信号（第１副画素・入力信号値ｘ1-(p,q)）及び第４副画素・制御第２信号（信号値ＳＧ2-(p,q)）、並びに、伸長係数α0及び定数χに基づき求め、
第２副画素・出力信号（第２副画素・出力信号値Ｘ2-(p,q)）を、少なくとも、第２副画素・入力信号（第２副画素・入力信号値ｘ2-(p,q)）及び第４副画素・制御第２信号（信号値ＳＧ2-(p,q)）、並びに、伸長係数α0及び定数χに基づき求め、
第３副画素・出力信号（第３副画素・出力信号値Ｘ3-(p,q)）を、少なくとも、第３副画素・入力信号（第３副画素・入力信号値ｘ3-(p,q)）及び第４副画素・制御第２信号（信号値ＳＧ2-(p,q)）、並びに、伸長係数α0及び定数χに基づき求める。尚、上記工程（ｃ）に引き続き、面状光源装置の輝度を、伸長係数α0に基づき減少させる。伸長係数α0は、１画像表示フレーム毎に決定される。
【０１１７】
第（ｐ，ｑ）番目の画素における彩度をＳ(p,q)、明度をＶ(p,q)、隣接画素における彩度をＳ(p,q')、明度をＶ(p,q')としたとき、
Ｓ(p,q) ＝（Ｍａｘ(p,q)−Ｍｉｎ(p,q)）／Ｍａｘ(p,q)        （２１−Ａ）
Ｖ(p,q) ＝Ｍａｘ(p,q)                                      （２１−Ｂ）
Ｓ(p,q')＝（Ｍａｘ(p,q')−Ｍｉｎ(p,q')）／Ｍａｘ(p,q')     （２１−Ｃ）
Ｖ(p,q')＝Ｍａｘ(p,q')                                     （２１−Ｄ）
で表される。
【０１１８】
実施例２にあっても、第４副画素・出力信号値Ｘ4-(p,q)を式（３−Ａ”）から求める。即ち、第４副画素・出力信号値Ｘ4-(p,q)を相加平均で求める。尚、式（３−Ａ”）においては、右辺をχで除しているが、これに限定するものではない。
【０１１９】
Ｘ4-(p,q)＝（ＳＧ2-(p,q)＋ＳＧ1-(p,q)）／（２χ）    （３−Ａ”）
【０１２０】
尚、第４副画素・制御第２信号値ＳＧ2-(p,q)を、Ｍｉｎ(p,q)及び伸長係数α0に基づき求め、第４副画素・制御第１信号値ＳＧ1-(p,q)を、Ｍｉｎ(p,q')及び伸長係数α0に基づき求める。具体的には、第４副画素・制御第２信号値ＳＧ2-(p,q)、第４副画素・制御第１信号値ＳＧ1-(p,q)を、式（２−１−Ａ）及び式（２−１−Ｂ）から求める。但し、実施例２にあっては、ｃ21＝１としている。
【０１２１】
ＳＧ2-(p,q)＝ｃ21（Ｍｉｎ(p,q)）・α0                （２−１−Ａ）
ＳＧ1-(p,q)＝ｃ21（Ｍｉｎ(p,q')）・α0               （２−１−Ｂ）
【０１２２】
また、第１副画素Ｒ、第２副画素Ｇ及び第３副画素Ｂの出力信号値Ｘ1-(p,q)，Ｘ2-(p,q)，Ｘ3-(p,q)は、前述した式（５−Ａ）、式（５−Ｂ）、式（５−Ｃ）に示したとおりである。
【０１２３】
Ｘ1-(p,q)  ＝α0・ｘ1-(p,q)−χ・ＳＧ2-(p,q)      （５−Ａ）
Ｘ2-(p,q)  ＝α0・ｘ2-(p,q)−χ・ＳＧ2-(p,q)      （５−Ｂ）
Ｘ3-(p,q)  ＝α0・ｘ3-(p,q)−χ・ＳＧ2-(p,q)      （５−Ｃ）
【０１２４】
実施例２にあっては、第４の色（白色）を加えることで拡大されたＨＳＶ色空間における彩度Ｓを変数とした明度の最大値Ｖmax（Ｓ）が、信号処理部２０に記憶され、あるいは、信号処理部２０にて、都度、求められる。即ち、第４の色（白色）を加えることで、ＨＳＶ色空間における明度のダイナミック・レンジが広げられている。
【０１２５】
以下、これらの点についての説明を行う。
【０１２６】
第（ｐ，ｑ）番目の画素Ｐｘ(p,q)にあっては、第１副画素・入力信号（入力信号値ｘ1-(p,q)）、第２副画素・入力信号（入力信号値ｘ2-(p,q)）、及び、第３副画素・入力信号（入力信号値ｘ3-(p,q)）に基づき、円柱のＨＳＶ色空間における彩度（Saturation）Ｓ(p,q)及び明度（Brightness）Ｖ(p,q)を、上述した式（２１−Ａ）、式（２１−Ｂ）、式（２１−Ｃ）、式（２１−Ｄ）から求めることができる。ここで、円柱のＨＳＶ色空間の概念図を図５の（Ａ）に示し、彩度（Ｓ）と明度（Ｖ）の関係を模式的に図５の（Ｂ）に示す。尚、図５の（Ｂ）、後述する図５の（Ｄ）、図５の（Ａ）、図５の（Ｂ）においては、明度（２n−１）の値を「MAX_1」で示し、明度（２n−１）×（χ＋１）の値を「MAX_2」で示す。彩度Ｓは０から１までの値をとることができ、明度Ｖは０から（２n−１）までの値をとることができる。
【０１２７】
図５の（Ｃ）及び（Ｄ）に、実施例２における第４の色（白色）を加えることで拡大された円柱のＨＳＶ色空間の概念図、及び、彩度（Ｓ）と明度（Ｖ）の関係を模式的に示す。白色を表示する第４副画素には、カラーフィルターが配置されていない。
【０１２８】
ところで、Ｖmax（Ｓ）は、以下の式で表すことができる。
【０１２９】
Ｓ≦Ｓ0の場合：
Ｖmax（Ｓ）＝（χ＋１）・（２n−１）
Ｓ0＜Ｓ0≦１の場合：
Ｖmax（Ｓ）＝（２n−１）・（１／Ｓ）
ここで、
Ｓ0＝１／（χ＋１）
である。
【０１３０】
このようにして得られた、拡大されたＨＳＶ色空間における彩度Ｓを変数とした明度の最大値Ｖmax（Ｓ）が、信号処理部２０に、一種のルック・アップ・テーブルとして記憶され、あるいは、信号処理部２０にて、都度、求められる。
【０１３１】
尚、実施例２、あるいは後述する実施例３〜実施例６における画像表示装置、画像表示装置組立体は、駆動回路が異なる点や画素の構成が異なる点等を除き、実施例１にて説明した画像表示装置、画像表示装置組立体と同様することができる。即ち、実施例２の画像表示装置１０も、画像表示パネルと信号処理部２０とを備えている。また、実施例２の画像表示装置組立体は、画像表示装置１０と、画像表示装置（具体的には、画像表示パネル）を背面から照明する面状光源装置５０を具備している。そして、実施例２における信号処理部２０、面状光源装置５０は、実施例１にて説明した信号処理部２０、面状光源装置５０と同様とすることができる。後述する実施例においても同様である。
【０１３２】
［工程−２００］
先ず、信号処理部２０において、複数の画素における副画素・入力信号値に基づき、複数の画素における彩度Ｓ及び明度Ｖ（Ｓ）を求める。具体的には、第（ｐ，ｑ）番目の画素Ｐｘ(p,q)における第１副画素・入力信号の入力信号値ｘ1-(p,q)、第２副画素・入力信号の入力信号値ｘ2-(p,q)、第３副画素・入力信号の入力信号値ｘ3-(p,q)、並びに、第（ｐ，ｑ−１）番目の画素（隣接画素）における第１副画素・入力信号の入力信号値ｘ1-(p,q')、第２副画素・入力信号の入力信号値ｘ2-(p,q')、第３副画素・入力信号の入力信号値ｘ3-(p,q')に基づき、式（２１−Ａ）、式（２１−Ｂ）、式（２１−Ｃ）、式（２１−Ｄ）から、Ｓ(p,q)，Ｓ(p,q')，Ｖ(p,q)，Ｖ(p,q')を求める。この処理を、全ての画素に対して行う。従って、（Ｓ(p,q)，Ｓ(p,q')，Ｖ(p,q)，Ｖ(p,q')）の組が、Ｐ×（Ｑ−１）個求められる。
【０１３３】
［工程−２１０］
次いで、信号処理部２０において、複数の画素において求められたＶmax（Ｓ）／Ｖ（Ｓ）の値の内、少なくとも１つの値に基づいて伸長係数α0を求める。
【０１３４】
具体的には、実施例２にあっては、全ての画素（Ｐ0×Ｑ個の画素）において求められたＶmax（Ｓ）／Ｖ（Ｓ）の値の内の最も小さい値（最小値，αmin）を伸長係数α0として求める。即ち、α(p,q)＝Ｖmax（Ｓ）／Ｖ(p,q)（Ｓ）の値を全ての画素（Ｐ0×Ｑ個の画素）において求め、α(p,q)の最小値をαmin（＝伸長係数α0）とする。尚、実施例２における第４の色（白色）を加えることで拡大された円柱のＨＳＶ色空間における彩度（Ｓ）と明度（Ｖ）の関係を模式的に示す図６の（Ａ）及び（Ｂ）において、αminを与える彩度Ｓの値を「Ｓmin」で示し、そのときの明度を「Ｖmin」で示し、彩度ＳminにおけるＶmax（Ｓ）を「Ｖmax（Ｓmin）」で示している。また、図６の（Ｂ）において、Ｖ（Ｓ）を黒丸印で示し、Ｖ（Ｓ）×α0を白丸印で示し、彩度ＳにおけるＶmax（Ｓ）を白三角印で示している。
【０１３５】
［工程−２２０］
次に、信号処理部２０において、第（ｐ，ｑ）番目の画素Ｐｘ(p,q)における第４副画素・出力信号値Ｘ4-(p,q)を式（２−１−Ａ）、式（２−１−Ｂ）、式（３−Ａ”）に基づき求める。尚、Ｘ4-(p,q)を、Ｐ×（Ｑ−１）個の画素Ｐｘ(p,q)において求める。［工程−２１０］と［工程−２２０］とを同時に実行してもよい。
【０１３６】
［工程−２３０］
次いで、信号処理部２０において、第（ｐ，ｑ）番目の画素Ｐｘ(p,q)における第１副画素・出力信号値Ｘ1-(p,q)を、入力信号値ｘ1-(p,q)、伸長係数α0及び定数χに基づき求め、第２副画素・出力信号値Ｘ2-(p,q)を、入力信号値ｘ2-(p,q)、伸長係数α0及び定数χに基づき求め、第３副画素・出力信号値Ｘ3-(p,q)を、入力信号値ｘ3-(p,q)、伸長係数α0及び定数χに基づき求める。尚、［工程−２２０］と［工程−２３０］とを同時に実行してもよいし、［工程−２３０］の実行後、［工程−２２０］を実行してもよい。
【０１３７】
具体的には、第（ｐ，ｑ）番目の画素Ｐｘ(p,q)における出力信号値Ｘ1-(p,q)，Ｘ2-(p,q)，Ｘ3-(p,q)を、前述した式（５−Ａ）、式（５−Ｂ）及び式（５−Ｃ）に基づき求める。
【０１３８】
図７に、実施例２における第４の色（白色）を加える前の従来のＨＳＶ色空間、第４の色（白色）を加えることで拡大されたＨＳＶ色空間、及び、入力信号の彩度（Ｓ）と明度（Ｖ）の関係の一例を示す。また、図７に、実施例２における第４の色（白色）を加える前の従来のＨＳＶ色空間、第４の色（白色）を加えることで拡大されたＨＳＶ色空間、及び、出力信号（伸長処理が施されている）の彩度（Ｓ）と明度（Ｖ）の関係の一例を示す。尚、図７及び図８の横軸の彩度（Ｓ）の値は、本来、０乃至１の間の値であるが、図７及び図８においては、２５５倍して表示している。
【０１３９】
ここで、重要な点は、式（５−Ａ）、式（５−Ｂ）、式（５−Ｃ）に示したとおり、第１副画素Ｒ、第２副画素Ｇ、第３副画素Ｂの輝度が伸長係数α0によって伸長されていることにある。このように、第１副画素Ｒ、第２副画素Ｇ、第３副画素Ｂの輝度が伸長係数α0によって伸長されることで、白色表示副画素（第４副画素）の輝度が増加するだけでなく、赤色表示副画素、緑色表示副画素及び緑色表示副画素（第１副画素、第２副画素及び第３副画素）の輝度も増加する。それ故、色のくすみが発生するといった問題の発生を確実に回避することができる。即ち、第１副画素Ｒ、第２副画素Ｇ、第３副画素Ｂの輝度が伸長されていない場合と比較して、画像全体として輝度はα0倍となる。従って、例えば、静止画等の画像表示を高輝度にて行うことができ、最適である。
【０１４０】
χ＝１．５、（２n−１）＝２５５としたとき、（ｘ1-(p,q)，ｘ2-(p,q)，ｘ3-(p,q)）として、以下の表３に示す値が或る画素に入力信号値として入力されたとする。尚、ＳＧ2-(p,q)＝ＳＧ1-(p,q)とした。また、伸長係数α0を表３に示す値とした。
【０１４１】
［表３］
ｘ1-(p,q)-2  ＝２４０
ｘ2-(p,q)-2  ＝２５５
ｘ3-(p,q)-2  ＝１６０
Ｍａｘ(p,q)-2＝２５５
Ｍｉｎ(p,q)-2＝１６０
Ｓ(p,q)-2    ＝０．３７３
Ｖ(p,q)-2    ＝２５５
Ｖmax（Ｓ）  ＝６３８
α0          ＝１．５９２
【０１４２】
例えば、表３に示した入力信号値にあっては、伸長係数α0を考慮すると、入力信号値（ｘ1-(p,q)，ｘ2-(p,q)，ｘ3-(p,q)）＝（２４０，２５５，１６０）に基づき表示すべき輝度の値は、８ビット表示に準拠すると、
第１副画素の輝度値＝α0・ｘ1-(p,q)＝１．５９２×２４０＝３８２  （２２−Ａ）
第２副画素の輝度値＝α0・ｘ2-(p,q)＝１．５９２×２５５＝４０６  （２２−Ｂ）
第３副画素の輝度値＝α0・Ｘ3-(p,q)＝１．５９２×１６０＝２５５  （２２−Ｃ）
第４副画素の輝度値＝α0・Ｘ4-(p,q)＝１．５９２×１６０＝２５５  （２２−Ｄ）
【０１４３】
従って、第１副画素・出力信号値Ｘ1-(p,q)、第２副画素・出力信号値Ｘ2-(p,q)、第３副画素・出力信号値Ｘ3-(p,q)、第４副画素・出力信号値Ｘ4-(p,q)は、以下のとおりとなる。
Ｘ1-(p,q)＝３８２−２５５＝１２７
Ｘ2-(p,q)＝４０６−２５５＝１５１
Ｘ3-(p,q)＝２５５−２５５＝    ０
Ｘ4-(p,q)＝２５５／χ    ＝１７０
【０１４４】
このように、第１副画素、第２副画素の出力信号値Ｘ1-(p,q)，Ｘ2-(p,q)，Ｘ3-(p,q)の値は、本来、要求される値よりも低い値となる。
【０１４５】
実施例２の画像表示装置組立体あるいはその駆動方法にあっては、第（ｐ，ｑ）番目の画素群ＰＧ(p,q)における出力信号値Ｘ1-(p,q)，Ｘ2-(p,q)，Ｘ3-(p,q)，Ｘ4-(p,q)は、α0倍、伸長されている。それ故、伸長されていない状態の画像の輝度と同じ画像の輝度とするためには、面状光源装置５０の輝度を、伸長係数α0に基づき減少させればよい。具体的には、面状光源装置５０の輝度を、（１／α0）倍とすればよい。これによって、面状光源装置の消費電力の低減を図ることができる。
【０１４６】
実施例２の画像表示装置の駆動方法、画像表示装置組立体の駆動方法における伸長処理を、図９に基づき説明する。ここで、図９は、入力信号値及び出力信号値を模式的に示す図である。図９において、αminが得られた第１副画素、第２副画素及び第３副画素の組の入力信号値を［１］に示す。また、伸長処理を行っている状態（入力信号値と伸長係数α0の積を求める操作）を［２］に示す。更には、伸長処理を行った後の状態（出力信号値Ｘ1-(p,q)，Ｘ2-(p,q)，Ｘ3-(p,q)，Ｘ4-(p,q)が得られた状態）を［３］に示す。図９に示す例にあっては、第２副画素において、実現できる最大輝度を得ている。
【０１４７】
尚、各画素群において、第１画素及び第２画素における出力信号値の比
Ｘ1-(p,q)：Ｘ2-(p,q)：Ｘ3-(p,q)
は、入力信号値の比
ｘ1-(p,q)：ｘ2-(p,q)：ｘ3-(p,q)
と若干異なり、各画素を単独で眺めたとき、入力信号に対して各画素の色調に若干の差異が生じる場合があるが、画素群として眺めた場合、各画素群の色調に何らの問題は生じない。
【実施例３】
【０１４８】
実施例３は、実施例２の変形である。面状光源装置として、従来の直下型の面状光源装置を採用してもよいが、実施例３にあっては、以下に説明する分割駆動方式（部分駆動方式）の面状光源装置１５０を採用している。尚、伸長処理それ自体は、実施例２において説明した伸長処理と同様とすればよい。
【０１４９】
分割駆動方式の面状光源装置１５０は、カラー液晶表示装置を構成する画像表示パネル１３０の表示領域１３１をＳ×Ｔ個の仮想の表示領域ユニット１３２に分割したと想定したときのこれらのＳ×Ｔ個の表示領域ユニットに対応したＳ×Ｔ個の面状光源ユニット１５２から成り、Ｓ×Ｔ個の面状光源ユニット１５２の発光状態は、個別に制御される。
【０１５０】
図１０に概念図を示すように、画像表示パネル（カラー液晶表示パネル）１３０は、第１の方向に沿ってＰ0個、第２の方向に沿ってＱ個の、合計Ｐ0×Ｑの画素が２次元マトリクス状に配列された表示領域１３１を備えている。ここで、表示領域１３１を、Ｓ×Ｔ個の仮想の表示領域ユニット１３２に分割したと想定する。各表示領域ユニット１３２は複数の画素から構成されている。具体的には、例えば、画像表示用解像度としてＨＤ−ＴＶ規格を満たすものであり、２次元マトリクス状に配列された画素（画素）の数を（Ｐ0，Ｑ）で表記したとき、例えば、（１９２０，１０８０）である。また、２次元マトリクス状に配列された画素から構成された表示領域１３１（図１０において、一点鎖線で示す）がＳ×Ｔ個の仮想の表示領域ユニット１３２（境界を点線で示す）に分割されている。（Ｓ，Ｔ）の値は、例えば、（１９，１２）である。但し、図面の簡素化のため、図１０における表示領域ユニット１３２（及び、後述する面状光源ユニット１５２）の数は、この値と異なる。各表示領域ユニット１３２は複数の画素から構成されており、１つの表示領域ユニット１３２を構成する画素の数は、例えば、約１万である。一般に、画像表示パネル１３０は、線順次駆動される。より具体的には、画像表示パネル１３０は、マトリクス状に交差する走査電極（第１の方向に沿って延びている）とデータ電極（第２の方向に沿って延びている）とを有し、走査回路からの走査電極に走査信号を入力して走査電極を選択、走査し、信号出力回路からデータ電極に入力されたデータ信号（出力信号）に基づき画像を表示させ、１画面を構成する。
【０１５１】
直下型の面状光源装置（バックライト）１５０は、Ｓ×Ｔ個の仮想の表示領域ユニット１３２に対応したＳ×Ｔ個の面状光源ユニット１５２から成り、各面状光源ユニット１５２は、面状光源ユニット１５２に対応する表示領域ユニット１３２を背面から照明する。面状光源ユニット１５２に備えられた光源は、個別に制御される。尚、画像表示パネル１３０の下方に面状光源装置１５０が位置しているが、図１０においては、画像表示パネル１３０と面状光源装置１５０とを別々に表示した。
【０１５２】
２次元マトリクス状に配列された画素から構成された表示領域１３１がＳ×Ｔ個の表示領域ユニット１３２に分割されているが、この状態を、「行」及び「列」で表現すると、Ｔ行×Ｓ列の表示領域ユニット１３２に分割されていると云える。また、表示領域ユニット１３２は複数（Ｍ0×Ｎ0）の画素から構成されているが、この状態を、「行」及び「列」で表現すると、Ｎ0行×Ｍ0列の画素から構成されていると云える。
【０１５３】
面状光源装置１５０における面状光源ユニット１５２等の配置、配列状態を図１２に示す。光源は、パルス幅変調（ＰＷＭ）制御方式に基づき駆動される発光ダイオード１５３から成る。面状光源ユニット１５２の輝度の増減は、面状光源ユニット１５２を構成する発光ダイオード１５３のパルス幅変調制御におけるデューティ比の増減制御によって行う。発光ダイオード１５３から出射された照明光は、面状光源ユニット１５２から光拡散板を介して出射され、光拡散シート、プリズムシート、偏光変換シートといった光学機能シート群（これらは図示せず）を通過し、画像表示パネル１３０を背面から照明する。１つの面状光源ユニット１５２に１つの光センサー（フォトダイオード６７）が配置されている。そして、フォトダイオード６７によって、発光ダイオード１５３の輝度及び色度が測定される。
【０１５４】
図１０及び図１１に示すように、信号処理部２０からの面状光源装置制御信号（駆動信号）に基づき面状光源ユニット１５２を駆動するための面状光源装置駆動回路１６０は、パルス幅変調制御方式に基づき、面状光源ユニット１５２を構成する発光ダイオード１５３のオン／オフ制御を行う。面状光源装置駆動回路１６０は、演算回路６１、記憶装置（メモリ）６２、ＬＥＤ駆動回路６３、フォトダイオード制御回路６４、ＦＥＴから成るスイッチング素子６５、発光ダイオード駆動電源（定電流源）６６から構成されている。面状光源装置制御回路１６０を構成するこれらの回路等は、周知の回路等とすることができる。
【０１５５】
そして、或る画像表示フレームにおける発光ダイオード１５３の発光状態は、フォトダイオード６７によって測定され、フォトダイオード６７からの出力はフォトダイオード制御回路６４に入力され、フォトダイオード制御回路６４、演算回路６１において、発光ダイオード１５３の例えば輝度及び色度としてのデータ（信号）とされ、係るデータがＬＥＤ駆動回路６３に送られ、次の画像表示フレームにおける発光ダイオード１５３の発光状態が制御されるといったフィードバック機構が形成される。
【０１５６】
発光ダイオード１５３の下流には電流検出用の抵抗体ｒが、発光ダイオード１５３と直列に挿入されており、抵抗体ｒを流れる電流が電圧に変換され、抵抗体ｒにおける電圧降下が所定の値となるように、ＬＥＤ駆動回路６３の制御下、発光ダイオード駆動電源６６の動作が制御される。ここで、図１１には、発光ダイオード駆動電源（定電流源）６６を１つで描写しているが、実際には、発光ダイオード１５３のそれぞれを駆動するための発光ダイオード駆動電源６６が配されている。尚、図１１には、３組の面状光源ユニット１５２を図示している。図１１においては、１つの面状光源ユニット１５２には１つの発光ダイオード１５３が備えられている構成を示したが、１つの面状光源ユニット１５２を構成する発光ダイオード１５３の個数は１つに限定されない。
【０１５７】
各画素群は、前述したように、第１副画素、第２副画素、第３副画素及び第４副画素の４種の副画素から構成されている。ここで、副画素のそれぞれの輝度の制御（階調制御）を８ビット制御とし、０〜２５５の２8段階にて行うとしている。また、各面状光源ユニット１５２を構成する発光ダイオード１５３のそれぞれの発光時間を制御するためのパルス幅変調出力信号の値ＰＳも、０〜２５５の２8段階の値をとる。但し、これに限定するものではなく、例えば、１０ビット制御とし、０〜１０２３の２10段階にて行うこともでき、この場合には、８ビットの数値での表現を、例えば４倍すればよい。
【０１５８】
ここで、副画素の光透過率（開口率とも呼ばれる）Ｌｔ、副画素に対応する表示領域の部分の輝度（表示輝度）ｙ、及び、面状光源ユニット１５２の輝度（光源輝度）Ｙを、以下のとおり、定義する。
【０１５９】
Ｙ1・・・・光源輝度の、例えば最高輝度であり、以下、光源輝度・第１規定値と呼ぶ場合がある。
Ｌｔ1・・・表示領域ユニット１３２における副画素の光透過率（開口率）の、例えば最大値であり、以下、光透過率・第１規定値と呼ぶ場合がある。
Ｌｔ2・・・表示領域ユニット１３２を構成する全ての副画素を駆動するために画像表示パネル駆動回路４０に入力される信号処理部２０からの出力信号の値の内の最大値である表示領域ユニット内・信号最大値Ｘmax-(s,t)に相当する制御信号が副画素に供給されたと想定したときの副画素の光透過率（開口率）であり、以下、光透過率・第２規定値と呼ぶ場合がある。尚、０≦Ｌｔ2≦Ｌｔ1
ｙ2・・・・光源輝度が光源輝度・第１規定値Ｙ1であり、副画素の光透過率（開口率）が光透過率・第２規定値Ｌｔ2であると仮定したときに得られる表示輝度であり、以下、表示輝度・第２規定値と呼ぶ場合がある。
Ｙ2・・・・表示領域ユニット内・信号最大値Ｘmax-(s,t)に相当する制御信号が副画素に供給されたと想定し、しかも、このときの副画素の光透過率（開口率）が光透過率・第１規定値Ｌｔ1に補正されたと仮定したとき、副画素の輝度を表示輝度・第２規定値（ｙ2）とするための面状光源ユニット１５２の光源輝度。但し、光源輝度Ｙ2には、各面状光源ユニット１５２の光源輝度が他の面状光源ユニット１５２の光源輝度に与える影響を考慮した補正が施される場合がある。
【０１６０】
面状光源装置の部分駆動（分割駆動）時、表示領域ユニット内・信号最大値Ｘmax-(s,t)に相当する制御信号が副画素に供給されたと想定したときの副画素の輝度（光透過率・第１規定値Ｌｔ1における表示輝度・第２規定値ｙ2）が得られるように、表示領域ユニット１３２に対応する面状光源ユニット１５２を構成する発光素子の輝度を面状光源装置制御回路１６０によって制御するが、具体的には、例えば、副画素の光透過率（開口率）を、例えば光透過率・第１規定値Ｌｔ1としたときに表示輝度ｙ2が得られるように、光源輝度Ｙ2を制御すればよい（例えば、減少させればよい）。即ち、例えば、以下の式（Ａ）を満足するように、画像表示フレーム毎に面状光源ユニット１５２の光源輝度Ｙ2を制御すればよい。尚、Ｙ2≦Ｙ1の関係にある。このような制御の概念図を、図１３の（Ａ）及び（Ｂ）に示す。
【０１６１】
Ｙ2・Ｌｔ1＝Ｙ1・Ｌｔ2    （Ａ）
【０１６２】
副画素のそれぞれを制御するために、信号処理部２０から画像表示パネル駆動回路４０に、副画素のそれぞれの光透過率Ｌｔを制御するための出力信号値Ｘ1-(p,q)，Ｘ2-(p,q)，Ｘ3-(p,q)，Ｘ4-(p,q)が送出される。画像表示パネル駆動回路４０においては、出力信号から制御信号が生成され、これらの制御信号が副画素に供給（出力）される。そして、制御信号に基づき各副画素を構成するスイッチング素子が駆動され、液晶セルを構成する透明第１電極及び透明第２電極（これらは図示せず）に所望の電圧が印加されることで、各副画素の光透過率（開口率）Ｌｔが制御される。ここで、制御信号が大きいほど、副画素の光透過率（開口率）Ｌｔが高くなり、副画素に対応する表示領域の部分の輝度（表示輝度ｙ）の値が高くなる。即ち、副画素を通過する光によって構成される画像（通常、一種、点状である）は明るい。
【０１６３】
表示輝度ｙ及び光源輝度Ｙ2の制御は、画像表示パネル１３０の画像表示における１画像表示フレーム毎、表示領域ユニット毎、面状光源ユニット毎に行われる。また、１画像表示フレーム内における画像表示パネル１３０の動作と面状光源装置１５０の動作とは同期させられる。尚、駆動回路に電気信号として１秒間に送られる画像情報の数（毎秒画像）がフレーム周波数（フレームレート）であり、フレーム周波数の逆数がフレーム時間（単位：秒）である。
【０１６４】
実施例２にあっては、入力信号を伸長して出力信号を得る伸長処理を、全画素に対して１つの伸長係数α0に基づき行った。一方、実施例３にあっては、Ｓ×Ｔ個の表示領域ユニット１３２のそれぞれにおいて伸長係数α0を求め、表示領域ユニット１３２のそれぞれにおいて、伸長係数α0に基づく伸長処理を行う。
【０１６５】
そして、求められた伸長係数がα0-(s,t)である第（ｓ，ｔ）番目の表示領域ユニット１３２に対応する第（ｓ，ｔ）番目の面状光源ユニット１５２においては、光源の輝度を（１／α0-(s,t)）とする。
【０１６６】
あるいは又、各表示領域ユニット１３２を構成する全ての副画素を駆動するために入力される信号処理部２０からの出力信号値の内の最大値である表示領域ユニット内・信号最大値Ｘmax-(s,t)に相当する制御信号が副画素に供給されたと想定したときの副画素の輝度（光透過率・第１規定値Ｌｔ1における表示輝度・第２規定値ｙ2）が得られるように、この表示領域ユニット１３２に対応する面状光源ユニット１５２を構成する光源の輝度を、面状光源装置制御回路１６０によって制御する。具体的には、副画素の光透過率（開口率）を、光透過率・第１規定値Ｌｔ1としたときに表示輝度ｙ2が得られるように、光源輝度Ｙ2を制御すればよい（例えば、減少させればよい）。即ち、具体的には、上述した式（Ａ）を満足するように、画像表示フレーム毎に面状光源ユニット１５２の光源輝度Ｙ2を制御すればよい。
【０１６７】
ところで、面状光源装置１５０にあっては、例えば、（ｓ，ｔ）＝（１，１）の面状光源ユニット１５２の輝度制御を想定した場合、他のＳ×Ｔ個の面状光源ユニット１５２からの影響を考慮する必要がある場合がある。このような面状光源ユニット１５２が他の面状光源ユニット１５２から受ける影響は、各面状光源ユニット１５２の発光プロファイルによって予め判明しているので、逆算によって差分を計算でき、その結果、補正が可能である。演算の基本形を以下に説明する。
【０１６８】
式（Ａ）の要請に基づくＳ×Ｔ個の面状光源ユニット１５２に要求される輝度（光源輝度Ｙ2）を行列［ＬPxQ］で表す。また、或る面状光源ユニットのみを駆動し、他の面状光源ユニットは駆動していないときに得られる或る面状光源ユニットの輝度を、Ｓ×Ｔ個の面状光源ユニット１５２に対して予め求めておく。係る輝度を行列［Ｌ’PxQ］で表す。更には、補正係数を行列［αPxQ］で表す。すると、これらの行列の関係は、以下の式（Ｂ−１）で表すことができる。補正係数の行列［αPxQ］は、予め求めておくことができる。
［ＬPxQ］＝［Ｌ’PxQ］・［αPxQ］      （Ｂ−１）
よって、式（Ｂ−１）から行列［Ｌ’PxQ］を求めればよい。行列［Ｌ’PxQ］は、逆行列の演算から求めることができる。即ち、
［Ｌ’PxQ］＝［ＬPxQ］・［αPxQ］-1    （Ｂ−２）
を計算すればよい。そして、行列［Ｌ’PxQ］で表された輝度が得られるように、各面状光源ユニット１５２に備えられた光源（発光ダイオード１５３）を制御すればよく、具体的には、係る操作、処理は、面状光源装置制御回路１６０に備えられた記憶装置（メモリ）６２に記憶された情報（データテーブル）を用いて行えばよい。尚、発光ダイオード１５３の制御にあっては、行列［Ｌ’PxQ］の値は負の値を取れないので、演算結果は正の領域にとどめる必要があることは云うまでもない。従って、式（Ｂ−２）の解は厳密解ではなく、近似解となる場合がある。
【０１６９】
このように、面状光源装置制御回路１６０において得られた式（Ａ）の値に基づき得られた行列［ＬPxQ］、補正係数の行列［αPxQ］に基づき、上述したとおり、面状光源ユニットを単独で駆動したと想定したときの輝度の行列［Ｌ’PxQ］を求め、更には、記憶装置６２に記憶された変換テーブルに基づき、０〜２５５の範囲内の対応する整数（パルス幅変調出力信号の値）に変換する。こうして、面状光源装置制御回路１６０を構成する演算回路６１において、面状光源ユニット１５２における発光ダイオード１５３の発光時間を制御するためのパルス幅変調出力信号の値を得ることができる。そして、このパルス幅変調出力信号の値に基づき、面状光源ユニット１５２を構成する発光ダイオード１５３のオン時間ｔON及びオフ時間ｔOFFを、面状光源装置制御回路１６０において決定すればよい。尚、
ｔON＋ｔOFF＝一定値ｔConst
である。また、発光ダイオードのパルス幅変調に基づく駆動におけるデューティ比は、
ｔON／（ｔON＋ｔOFF）＝ｔON／ｔConst
で表すことができる。
【０１７０】
そして、面状光源ユニット１５２を構成する発光ダイオード１５３のオン時間ｔONに相当する信号がＬＥＤ駆動回路６３に送られ、このＬＥＤ駆動回路６３からのオン時間ｔONに相当する信号の値に基づき、スイッチング素子６５がオン時間ｔONだけオン状態となり、発光ダイオード駆動電源６６からのＬＥＤ駆動電流が発光ダイオード１５３に流される。その結果、各発光ダイオード１５３は、１画像表示フレームにおいて、オン時間ｔONだけ発光する。こうして、各表示領域ユニット１３２を、所定の照度において照明する。
【０１７１】
尚、実施例３にて説明した分割駆動方式（部分駆動方式）の面状光源装置１５０を、実施例１において採用することもできる。
【実施例４】
【０１７２】
実施例４も、実施例２の変形である。実施例４にあっては、以下に説明する画像表示装置を用いる。即ち、実施例４の画像表示装置は、青色を発光する第１発光素子（第１副画素に相当する）、緑色を発光する第２発光素子（第２副画素に相当する）、赤色を発光する第３発光素子（第３副画素に相当する）、白色を発光する第４発光素子（第４副画素に相当する）から構成された、カラー画像を表示するための発光素子ユニットＵＮが、２次元マトリクス状に配列されて成る画像表示パネルを備えている。ここで、実施例４の画像表示装置を構成する画像表示パネルとして、例えば、以下に説明する構成、構造の画像表示パネルを挙げることができる。尚、発光素子ユニットＵＮの数は、画像表示装置に要求される仕様に基づき、決定すればよい。
【０１７３】
即ち、実施例４の画像表示装置を構成する画像表示パネルは、第１発光素子、第２発光素子、第３発光素子及び第４発光素子のそれぞれの発光／非発光状態を制御することで、各発光素子の発光状態を直接的に視認させることで画像を表示する、パッシブマトリックスタイプあるいはアクティブマトリックスタイプの直視型のカラー表示の画像表示パネルである。あるいは又、第１発光素子、第２発光素子、第３発光素子及び第４発光素子のそれぞれの発光／非発光状態を制御し、スクリーンに投影することで画像を表示する、パッシブマトリックスタイプあるいはアクティブマトリックスタイプのプロジェクション型のカラー表示の画像表示パネルである。
【０１７４】
例えば、このようなアクティブマトリックスタイプの直視型のカラー表示の画像表示パネルを構成する発光素子パネルを含む回路図を図１４に示すが、各発光素子２１０（図１５においては、赤色を発光する発光素子（第１副画素）を「Ｒ」で示し、緑色を発光する発光素子（第２副画素）を「Ｇ」で示し、青色を発光する発光素子（第３副画素）を「Ｂ」で示し、白色を発光する発光素子（第４副画素）を「Ｗ」で示す）の一方の電極（ｐ側電極あるいはｎ側電極）はドライバ２３３に接続され、ドライバ２３３は、コラム・ドライバ２３１及びロウ・ドライバ２３２に接続されている。また、各発光素子２１０の他方の電極（ｎ側電極あるいはｐ側電極）は接地線に接続されている。各発光素子２１０の発光／非発光状態の制御は、例えばロウ・ドライバ２３２によるドライバ２３３の選択によって行われ、コラム・ドライバ２３１から各発光素子２１０を駆動するための輝度信号がドライバ２３３に供給される。赤色を発光する発光素子Ｒ（第１発光素子，第１副画素）、緑色を発光する発光素子Ｇ（第２発光素子，第２副画素）、青色を発光する発光素子Ｂ（第３発光素子，第３副画素）、白色を発光する発光素子Ｗ（第４発光素子，第４副画素）の選択は、ドライバ２３３によって行われ、これらの赤色を発光する発光素子Ｒ、緑色を発光する発光素子Ｇ、青色を発光する発光素子Ｂ、白色を発光する発光素子Ｗのそれぞれの発光／非発光状態を、時分割制御させてもよく、あるいは又、同時に発光させてもよい。尚、直視型画像表示装置にあっては、直視され、あるいは又、プロジェクション型画像表示装置にあっては、投影レンズを経由して、スクリーンに投影される。
【０１７５】
尚、このような画像表示装置を構成する画像表示パネルの概念図を図１５に示す。直視型画像表示装置にあっては、直視され、あるいは又、プロジェクション型画像表示装置にあっては、投影レンズ２０３を経由して、スクリーンに投影される。
【０１７６】
発光素子パネル２００は、例えば、プリント配線板から成る支持体２１１、支持体２１１に取り付けられた発光素子２１０、支持体２１１上に形成され、発光素子２１０の一方の電極（ｐ側電極あるいはｎ側電極）に電気的に接続され、且つ、コラム・ドライバ２３１あるいはロウ・ドライバ２３２に接続されたＸ方向配線２１２、発光素子２１０の他方の電極（ｎ側電極あるいはｐ側電極）に電気的に接続され、且つ、ロウ・ドライバ２３２あるいはコラム・ドライバ２３１に接続されたＹ方向配線２１３、発光素子２１０を覆う透明基材２１４、及び、透明基材２１４上に設けられたマイクロレンズ２１５から構成されている。但し、発光素子パネル２００は、このような構成に限定されるものではない。
【０１７７】
実施例４にあっては、第１発光素子（第１副画素）、第２発光素子（第２副画素）、第３発光素子（第３副画素）及び第４発光素子（第４副画素）のそれぞれの発光状態を制御する出力信号を、実施例２において説明した伸長処理に基づき得ればよい。そして、伸長処理によって得られた出力信号値に基づき画像表示装置を駆動すれば、画像表示装置全体として輝度をα0倍に増加させることができる。あるいは又、出力信号値に基づき、第１発光素子（第１副画素）、第２発光素子（第２副画素）、第３発光素子（第３副画素）及び第４発光素子（第４副画素）のそれぞれの発光輝度を（１／α0）倍とすれば、画像品質の劣化を伴うことなく、画像表示装置全体としての消費電力の低減を図ることができる。
【０１７８】
場合によっては、第１発光素子（第１副画素）、第２発光素子（第２副画素）、第３発光素子（第３副画素）及び第４発光素子（第４副画素）のそれぞれの発光状態を制御する出力信号を、実施例１において説明した処理に基づき得てもよい。
【実施例５】
【０１７９】
実施例５は、本発明の第２の態様に係る画像表示装置の駆動方法、及び、本発明の第２の態様に係る画像表示装置組立体の駆動方法に関し、具体的には、第２Ａの形態に関する。
【０１８０】
図２に概念図を示したと同様に、実施例５の画像表示装置１０は、画像表示パネル３０と信号処理部２０とを備えている。また、実施例５の画像表示装置組立体は、画像表示装置１０と、画像表示装置（具体的には、画像表示パネル３０）を背面から照明する面状光源装置５０を具備している。画像表示パネル３０は、画素群が、第１の方向（例えば、水平方向）にＰ個、第２の方向（例えば、垂直方向）にＱ個の合計、Ｐ×Ｑ個、２次元マトリクス状に配列されて成る。尚、画素群を構成する画素の数をｐ0としたとき、ｐ0＝２である。
【０１８１】
具体的には、図１６あるいは図１７に画素の配置を模式的に示すように、実施例５の画像表示パネル３０においては、各画素群は、第１の方向に沿って、第１の画素Ｐｘ1及び第２の画素Ｐｘ2から構成されている。そして、第１の画素Ｐｘ1は、第１原色（例えば、赤色）を表示する第１副画素（「Ｒ」で示す）、第２原色（例えば、緑色）を表示する第２副画素（「Ｇ」で示す）、及び、第３原色（例えば、青色）を表示する第３副画素（「Ｂ」で示す）から成る。一方、第２の画素Ｐｘ2は、第１原色を表示する第１副画素Ｒ、第２原色を表示する第２副画素Ｇ、及び、第４の色（例えば、白色）を表示する第４副画素Ｗから成る。尚、図１６及び図１７において、第１の画素Ｐｘ1を構成する第１副画素、第２副画素及び第３副画素を実線で囲み、第２の画素Ｐｘ2を構成する第１副画素、第２副画素及び第４副画素を点線で囲んでいる。より具体的には、第１の画素Ｐｘ1は、第１の方向に沿って、第１原色を表示する第１副画素Ｒ、第２原色を表示する第２副画素Ｇ、及び、第３原色を表示する第３副画素Ｂが順次配列されて成り、第２の画素Ｐｘ2は、第１の方向に沿って、第１原色を表示する第１副画素Ｒ、第２原色を表示する第２副画素Ｇ、及び、第４の色を表示する第４副画素Ｗが順次配列されて成る。第１の画素Ｐｘ1を構成する第３副画素Ｂと第２の画素Ｐｘ2を構成する第１副画素Ｒとが隣接している。また、第２の画素Ｐｘ2を構成する第４副画素Ｗと、この画素群に隣接した画素群における第１の画素Ｐｘ1を構成する第１副画素Ｒとが隣接している。尚、副画素の形状は長方形であり、この長方形の長辺が第２の方向と平行となり、短辺が第１の方向と平行となるように副画素を配置する。
【０１８２】
尚、図１６に示した例においては、第２の方向に沿って、第１の画素と第２の画素とが隣接して配置されている。この場合、第２の方向に沿って、第１の画素を構成する第１副画素と第２の画素を構成する第１副画素とは隣接して配置されていてもよいし、隣接して配置されていなくともよい。同様に、第２の方向に沿って、第１の画素を構成する第２副画素と第２の画素を構成する第２副画素とは隣接して配置されていてもよいし、隣接して配置されていなくともよい。同様に、第２の方向に沿って、第１の画素を構成する第３副画素と第２の画素を構成する第４副画素とは隣接して配置されていてもよいし、隣接して配置されていなくともよい。一方、図１７に示した例においては、第２の方向に沿って、第１の画素と第１の画素とが隣接して配置されており、第２の画素と第２の画素とが隣接して配置されている。この場合にあっても、第２の方向に沿って、第１の画素を構成する第１副画素と第２の画素を構成する第１副画素とは隣接して配置されていてもよいし、隣接して配置されていなくともよい。同様に、第２の方向に沿って、第１の画素を構成する第２副画素と第２の画素を構成する第２副画素とは隣接して配置されていてもよいし、隣接して配置されていなくともよい。同様に、第２の方向に沿って、第１の画素を構成する第３副画素と第２の画素を構成する第４副画素とは隣接して配置されていてもよいし、隣接して配置されていなくともよい。
【０１８３】
実施例５においては、第３副画素を青色を表示する副画素とした。これは、青色の視感度が緑色の視感度と比較して約１／６であり、画素群において青色を表示する副画素の数を半分としても大きな問題が生じないが故である。
【０１８４】
信号処理部２０においては、
（１）第１の画素Ｐｘ1への第１副画素・出力信号を、少なくとも第１の画素Ｐｘ1への第１副画素・入力信号に基づき求め、第１の画素Ｐｘ1の第１副画素Ｒへ出力し、
（２）第１の画素Ｐｘ1への第２副画素・出力信号を、少なくとも第１の画素Ｐｘ1への第２副画素・入力信号に基づき求め、第１の画素Ｐｘ1の第２副画素Ｇへ出力し、
（３）第２の画素Ｐｘ2への第１副画素・出力信号を、少なくとも第２の画素Ｐｘ2への第１副画素・入力信号に基づき求め、第２の画素Ｐｘ2の第１副画素Ｒへ出力し、
（４）第２の画素Ｐｘ2への第２副画素・出力信号を、少なくとも第２の画素Ｐｘ2への第２副画素・入力信号に基づき求め、第２の画素Ｐｘ2の第２副画素Ｇへ出力する。
【０１８５】
ここで、実施例５において、
第（ｐ，ｑ）番目の画素群ＰＧ(p,q)（但し、１≦ｐ≦Ｐ，１≦ｑ≦Ｑ）を構成する第１の画素Ｐｘ(p,q)-1に関して、信号処理部２０には、
信号値がｘ1-(p,q)-1の第１副画素・入力信号、
信号値がｘ2-(p,q)-1の第２副画素・入力信号、及び、
信号値がｘ3-(p,q)-1の第３副画素・入力信号、
が入力され、
第（ｐ，ｑ）番目の画素群ＰＧ(p,q)を構成する第２の画素Ｐｘ(p,q)-2に関して、信号処理部２０には、
信号値がｘ1-(p,q)-2の第１副画素・入力信号、
信号値がｘ2-(p,q)-2の第２副画素・入力信号、及び、
信号値がｘ3-(p,q)-2の第３副画素・入力信号、
が入力される。
【０１８６】
また、実施例５にあっては、
第（ｐ，ｑ）番目の画素群ＰＧ(p,q)を構成する第１の画素Ｐｘ(p,q)-1に関して、信号処理部２０は、
信号値がＸ1-(p,q)-1であり、第１副画素Ｒの表示階調を決定するための第１副画素・出力信号、
信号値がＸ2-(p,q)-1であり、第２副画素Ｇの表示階調を決定するための第２副画素・出力信号、及び、
信号値がＸ3-(p,q)-1であり、第３副画素Ｂの表示階調を決定するための第３副画素・出力信号、
を出力し、
第（ｐ，ｑ）番目の画素群ＰＧ(p,q)を構成する第２の画素Ｐｘ(p,q)-2に関して、信号処理部２０は、
信号値がＸ1-(p,q)-2であり、第１副画素Ｒの表示階調を決定するための第１副画素・出力信号、
信号値がＸ2-(p,q)-2であり、第２副画素Ｇの表示階調を決定するための第２副画素・出力信号、及び、
信号値がＸ4-(p,q)-2であり、第４副画素Ｗの表示階調を決定するための第４副画素・出力信号、
を出力する。
【０１８７】
また、第（ｐ，ｑ）番目の第２の画素に隣接した隣接画素に関して、信号処理部２０には、
信号値がｘ1-(p,q')の第１副画素・入力信号、
信号値がｘ2-(p,q')の第２副画素・入力信号、及び、
信号値がｘ3-(p,q')の第３副画素・入力信号、
が入力される。
【０１８８】
そして、実施例５にあっては、信号処理部２０において、更に、第２の方向に沿って数えたときの第（ｐ，ｑ）番目［但し、ｐ＝１，２・・・Ｐであり、ｑ＝２，３，・・・，Ｑである］の第２の画素Ｐｘ(p,q)-2における第４副画素・制御第２信号（第４副画素・制御第２信号値ＳＧ2-(p,q)）、及び、第２の画素Ｐｘ(p,q)-2に隣接した隣接画素における第４副画素・制御第１信号（第４副画素・制御第１信号値ＳＧ1-(p,q)）に基づき、第４副画素・出力信号（第４副画素・出力信号値Ｘ4-(p,q)-2）を求め、求められた第４副画素・出力信号を、第（ｐ，ｑ）番目の第２の画素の第４副画素へ出力する。ここで、第４副画素・制御第２信号（第４副画素・制御第２信号値ＳＧ2-(p,q)）は、第１副画素・入力信号（第１副画素・入力信号値ｘ1-(p,q)-2）、第２副画素・入力信号（第２副画素・入力信号値ｘ2-(p,q)-2）及び第３副画素・入力信号（第３副画素・入力信号値ｘ3-(p,q)-2）から求められる。また、第４副画素・制御第１信号（第４副画素・制御第１信号値ＳＧ1-(p,q)）は、第２の方向に沿って第（ｐ，ｑ）番目の第２の画素に隣接した隣接画素における第１副画素・入力信号（第１副画素・入力信号値ｘ1-(p,q')）、第２副画素・入力信号（第２副画素・入力信号値ｘ2-(p,q')）及び第３副画素・入力信号（第３副画素・入力信号値ｘ3-(p,q')）から求められる。
【０１８９】
更には、少なくとも第（ｐ，ｑ）番目の第２の画素Ｐｘ(p,q)-2における第３副画素・入力信号（第３副画素・入力信号値ｘ3-(p,q)-2）、並びに、第（ｐ，ｑ）番目の第１の画素における第３副画素・入力信号（第３副画素・入力信号値ｘ3-(p,q)-1）に基づき第３副画素・出力信号（第３副画素・出力信号値Ｘ3-(p,q)-1）を求め、第３副画素へ出力する。
【０１９０】
尚、実施例５にあっては、第（ｐ，ｑ）番目の第２の画素に隣接した隣接画素を、第（ｐ，ｑ−１）番目の画素とする。以下の実施例においても同様である。但し、これに限定するものではなく、第（ｐ，ｑ＋１）番目の画素とすることもできるし、第（ｐ，ｑ−１）番目の画素及び第（ｐ，ｑ＋１）番目の画素とすることもできる。
【０１９１】
実施例５においては、第２Ａの形態を採用している。即ち、第（ｐ，ｑ）番目の第２の画素Ｐｘ(p,q)-2における第４副画素・制御第２信号値ＳＧ2-(p,q)をＭｉｎ(p,q)-2から得る。また、第（ｐ，ｑ）番目の第２の画素Ｐｘ(p,q)-2に隣接した隣接画素における第４副画素・制御第１信号値ＳＧ1-(p,q)をＭｉｎ(p,q')から得る。
【０１９２】
具体的には、第４副画素・制御第２信号値ＳＧ2-(p,q)、第４副画素・制御第１信号値ＳＧ1-(p,q)を、式（１−１−Ａ’）、式（１−１−Ｂ’）から求める。但し、実施例５にあっては、ｃ11＝１としている。更には、制御信号値（第３副画素・制御信号値）ＳＧ3-(p,q)を、以下の式（１−１−Ｃ’）から求める。尚、第４副画素・制御第２信号値ＳＧ2-(p,q)、第４副画素・制御第１信号値ＳＧ1-(p,q)の値としてどのような値あるいは式を用いるかは、画像表示装置１０や画像表示装置組立体を試作し、例えば、画像観察者によって画像の評価を行い、適宜決定すればよい。
【０１９３】
ＳＧ2-(p,q)＝Ｍｉｎ(p,q)-2         （１−１−Ａ’）
ＳＧ1-(p,q)＝Ｍｉｎ(p,q')          （１−１−Ｂ’）
ＳＧ3-(p,q)＝Ｍｉｎ(p,q)-1         （１−１−Ｃ’）
【０１９４】
また、第４副画素・出力信号値Ｘ4-(p,q)-2を、
Ｘ4-(p,q)-2 ＝（ＳＧ2-(p,q)＋ＳＧ1-(p,q)）／２        （４−Ａ’）
にて求める。即ち、第４副画素・出力信号値Ｘ4-(p,q)-2を相加平均で求める。
【０１９５】
更には、第（ｐ，ｑ）番目の第２の画素Ｐｘ(p,q)-2における第１副画素・出力信号（第１副画素・出力信号値Ｘ1-(p,q)-2）を、少なくとも、第１副画素・入力信号（第１副画素・入力信号値ｘ1-(p,q)-2）、Ｍａｘ(p,q)-2、Ｍｉｎ(p,q)-2、及び、第４副画素・制御第２信号（信号値ＳＧ2-(p,q)）に基づき求める。また、第２副画素・出力信号（第２副画素・出力信号値Ｘ2-(p,q)-2）を、少なくとも、第２副画素・入力信号（第２副画素・入力信号値ｘ2-(p,q)-2）、Ｍａｘ(p,q)-2、Ｍｉｎ(p,q)-2、及び、第４副画素・制御第２信号（信号値ＳＧ2-(p,q)）に基づき求める。ここで、実施例５にあっては、具体的には、第１副画素・出力信号値Ｘ1-(p,q)-2を、
［ｘ1-(p,q)-2，Ｍａｘ(p,q)-2，Ｍｉｎ(p,q)-2，ＳＧ2-(p,q)，χ］
に基づき求め、第２副画素・出力信号値Ｘ2-(p,q)-2を、
［ｘ2-(p,q)-2，Ｍａｘ(p,q)-2，Ｍｉｎ(p,q)-2，ＳＧ2-(p,q)，χ］
に基づき求める。
【０１９６】
また、第（ｐ，ｑ）番目の第１の画素Ｐｘ(p,q)-1における第１副画素・出力信号（第１副画素・出力信号値Ｘ1-(p,q)-1）を、少なくとも、第１副画素・入力信号（第１副画素・入力信号値ｘ1-(p,q)-1）、Ｍａｘ(p,q)-1、Ｍｉｎ(p,q)-1、及び、第３副画素・制御信号（信号値ＳＧ3-(p,q)）に基づき求める。また、第２副画素・出力信号（第２副画素・出力信号値Ｘ2-(p,q)-1）を、少なくとも、第２副画素・入力信号（第２副画素・入力信号値ｘ2-(p,q)-1）、Ｍａｘ(p,q)-1、Ｍｉｎ(p,q)-1、及び、第３副画素・制御信号（信号値ＳＧ3-(p,q)）に基づき求める。ここで、実施例５にあっては、具体的には、第１副画素・出力信号値Ｘ1-(p,q)-1を、
［ｘ1-(p,q)-1，Ｍａｘ(p,q)-1，Ｍｉｎ(p,q)-1，ＳＧ3-(p,q)，χ］
に基づき求め、第２副画素・出力信号値Ｘ2-(p,q)-1を、
［ｘ2-(p,q)-1，Ｍａｘ(p,q)-1，Ｍｉｎ(p,q)-1，ＳＧ3-(p,q)，χ］
に基づき求める。
【０１９７】
例えば、画素群ＰＧ(p,q)における第２の画素Ｐｘ(p,q)-2に関して、一例として、以下の関係を有する入力信号値の入力信号が信号処理部２０に入力され、隣接画素に関して、一例として、以下の関係を有する入力信号値の入力信号が信号処理部２０に入力されたとする。
【０１９８】
ｘ3-(p,q)-2＜ｘ1-(p,q)-2＜ｘ2-(p,q)-2             （５１−Ａ）
ｘ2-(p,q') ＜ｘ3-(p,q') ＜ｘ1-(p,q')              （５１−Ｂ）
【０１９９】
この場合、
Ｍｉｎ(p,q)-2＝ｘ3-(p,q)-2                        （５２−Ａ）
Ｍｉｎ(p,q') ＝ｘ2-(p,q')                         （５２−Ｂ）
である。
【０２００】
そして、Ｍｉｎ(p,q)-2に基づき第４副画素・制御第２信号値ＳＧ2-(p,q)を決定し、Ｍｉｎ(p,q')に基づき第４副画素・制御第１信号値ＳＧ1-(p,q)を決定する。即ち、
ＳＧ2-(p,q)＝Ｍｉｎ(p,q)-2
＝ｘ3-(p,q)-2                            （５３−Ａ）
ＳＧ1-(p,q)＝Ｍｉｎ(p,q')
＝ｘ2-(p,q')                             （５３−Ｂ）
である。更には、
Ｘ4-(p,q)-2＝（ＳＧ2-(p,q)＋ＳＧ1-(p,q)）／２
＝（ｘ3-(p,q)-2＋ｘ2-(p,q')）／２        （５４）
【０２０１】
ところで、入力信号の入力信号値と出力信号の出力信号値とに基づく輝度に関しては、色度を変化させないといった要請を満足させるために、以下の関係を満足する必要がある。尚、第４副画素・出力信号値Ｘ4-(p,q)-2にχを掛けているが、これは、後述するように、第４副画素が、他の副画素よりもχ倍、明るいためである。
【０２０２】
ｘ1-(p,q)-2／Ｍａｘ(p,q)-2
＝（Ｘ1-(p,q)-2＋χ・ＳＧ2-(p,q)）／（Ｍａｘ(p,q)-2＋χ・ＳＧ2-(p,q)）
（５５−Ａ）
ｘ2-(p,q)-2／Ｍａｘ(p,q)-2
＝（Ｘ2-(p,q)-2＋χ・ＳＧ2-(p,q)）／（Ｍａｘ(p,q)-2＋χ・ＳＧ2-(p,q)
（５５−Ｂ）
ｘ1-(p,q)-1／Ｍａｘ(p,q)-1
＝（Ｘ1-(p,q)-1＋χ・ＳＧ3-(p,q)）／（Ｍａｘ(p,q)-1＋χ・ＳＧ3-(p,q)）
（５５−Ｃ）
ｘ2-(p,q)-1／Ｍａｘ(p,q)-1
＝（Ｘ2-(p,q)-1＋χ・ＳＧ3-(p,q)）／（Ｍａｘ(p,q)-1＋χ・ＳＧ3-(p,q)）
（５５−Ｄ）
ｘ3-(p,q)-1／Ｍａｘ(p,q)-1
＝（Ｘ’3-(p,q)-1＋χ・ＳＧ3-(p,q)）／（Ｍａｘ(p,q)-1＋χ・ＳＧ3-(p,q)）
（５５−Ｅ）
ｘ3-(p,q)-2／Ｍａｘ(p,q)-2
＝（Ｘ’3-(p,q)-2＋χ・ＳＧ2-(p,q)）／（Ｍａｘ(p,q)-2＋χ・ＳＧ2-(p,q)）
（５５−Ｆ）
【０２０３】
従って、式（５５−Ａ）〜式（５５−Ｆ）から、出力信号値が以下のとおりに求まる。
Ｘ1-(p,q)-2＝｛ｘ1-(p,q)-2・（Ｍａｘ(p,q)-2＋χ・ＳＧ2-(p,q)）｝
／Ｍａｘ(p,q)-2−χ・ＳＧ2-(p,q)              （５６−Ａ）
Ｘ2-(p,q)-2＝｛ｘ2-(p,q)-2・（Ｍａｘ(p,q)-2＋χ・ＳＧ2-(p,q)）｝
／Ｍａｘ(p,q)-2−χ・ＳＧ2-(p,q)              （５６−Ｂ）
Ｘ1-(p,q)-1＝｛ｘ1-(p,q)-1・（Ｍａｘ(p,q)-1＋χ・ＳＧ3-(p,q)）｝
／Ｍａｘ(p,q)-1−χ・ＳＧ3-(p,q)              （５６−Ｃ）
Ｘ2-(p,q)-1＝｛ｘ2-(p,q)-1・（Ｍａｘ(p,q)-1＋χ・ＳＧ3-(p,q)）｝
／Ｍａｘ(p,q)-1−χ・ＳＧ3-(p,q)              （５６−Ｄ）
Ｘ3-(p,q)-1＝（Ｘ’3-(p,q)-1＋Ｘ’3-(p,q)-2）／２           （５６−Ｅ）
但し、
Ｘ’3-(p,q)-1＝｛ｘ3-(p,q)-1・（Ｍａｘ(p,q)-1＋χ・ＳＧ3-(p,q)）｝
／Ｍａｘ(p,q)-1−χ・ＳＧ3-(p,q)            （５６−ａ）
Ｘ’3-(p,q)-2＝｛ｘ3-(p,q)-2・（Ｍａｘ(p,q)-2＋χ・ＳＧ2-(p,q)）｝
／Ｍａｘ(p,q)-2−χ・ＳＧ2-(p,q)            （５６−ｂ）
【０２０４】
以下、第（ｐ，ｑ）番目の画素群ＰＧ(p,q)における出力信号値Ｘ1-(p,q)-1，Ｘ2-(p,q)-1，Ｘ3-(p,q)-1，Ｘ1-(p,q)-2，Ｘ2-(p,q)-2，Ｘ4-(p,q)-2の求め方を説明する。尚、以下の処理は、（第１副画素＋第４副画素）によって表示される第１原色の輝度、（第２副画素＋第４副画素）によって表示される第２原色の輝度の比を保つように行われる。しかも、色調を出来る限り保持（維持）するように行われる。更には、階調−輝度特性（ガンマ特性，γ特性）を保持（維持）するように行われる。
【０２０５】
［工程−５００］
先ず、信号処理部２０において、画素群における副画素・入力信号値に基づき、画素群のそれぞれにおける第４副画素・制御第２信号値ＳＧ2-(p,q)、第４副画素・制御第１信号値ＳＧ1-(p,q)、制御信号値（第３副画素・制御信号値）ＳＧ3-(p,q)を、式（１−１−Ａ’）、式（１−１−Ｂ’）及び式（１−１−Ｃ’）に基づき求める。この処理を、全ての画素群に対して行う。そして、更には、信号値Ｘ4-(p,q)-2を、式（４−Ａ’）に基づき求める。
【０２０６】
ＳＧ2-(p,q)＝Ｍｉｎ(p,q)-2                          （１−１−Ａ’）
ＳＧ1-(p,q)＝Ｍｉｎ(p,q')                           （１−１−Ｂ’）
ＳＧ3-(p,q)＝Ｍｉｎ(p,q)-1                          （１−１−Ｃ’）
Ｘ4-(p,q)-2＝（ＳＧ2-(p,q)＋ＳＧ1-(p,q)）／２       （４−Ａ’）
【０２０７】
［工程−５１０］
次いで、信号処理部２０において、画素群において求められた第４副画素・出力信号値Ｘ4-(p,q)-2から、式（５６−Ａ）〜式（５６−Ｅ）、式（５６−ａ）、式（５６−ｂ）に基づき、出力信号値Ｘ1-(p,q)-2，Ｘ2-(p,q)-2，Ｘ1-(p,q)-1，Ｘ2-(p,q)-1，Ｘ3-(p,q)-1を求める。この操作を、Ｐ×Ｑ個の全画素群において行う。
【０２０８】
尚、各画素群において、第２画素における出力信号値の比
Ｘ1-(p,q)-2：Ｘ2-(p,q)-2
Ｘ1-(p,q)-1：Ｘ2-(p,q)-1：Ｘ3-(p,q)-1
は、入力信号値の比
ｘ1-(p,q)-2：ｘ2-(p,q)-2
ｘ1-(p,q)-1：ｘ2-(p,q)-1：ｘ3-(p,q)-1
と若干異なっているので、各画素を単独で眺めた場合、入力信号に対して各画素の色調に若干の差異が生じるが、画素群として眺めた場合、各画素群の色調に何らの問題は生じない。以下の説明においても同様である。
【０２０９】
実施例５の画像表示装置の駆動方法あるいは画像表示装置組立体の駆動方法にあっては、信号処理部２０において、第１副画素・入力信号、第２副画素・入力信号及び第３副画素・入力信号から求められた第４副画素・制御第２信号値ＳＧ2-(p,q)及び第４副画素・制御第１信号値ＳＧ1-(p,q)に基づき第４副画素・出力信号が求められ、出力される。ここで、第４副画素・出力信号が、隣接する第１の画素Ｐｘ1並びに第２の画素Ｐｘ2への入力信号に基づき求められるので、第４副画素への出力信号の最適化が図られている。しかも、少なくとも第１の画素Ｐｘ1及び第２の画素Ｐｘ2によって構成された画素群に対して１つの第４副画素が配置されているので、副画素における開口領域の面積の減少を抑制することができる。その結果、輝度の増加を確実に図ることができるし、表示品位の向上を図ることができる。
【実施例６】
【０２１０】
実施例６は、実施例５の変形であるが、第２Ｂの形態に関する。
【０２１１】
実施例６においては、
χを画像表示装置１０に依存した定数としたとき、
第４の色を加えることで拡大されたＨＳＶ色空間における彩度Ｓを変数とした明度の最大値Ｖmax（Ｓ）を、信号処理部２０において求め、
信号処理部２０において、
（ａ）複数の画素における副画素・入力信号値に基づき、複数の画素における彩度Ｓ及び明度Ｖ（Ｓ）を求め、
（ｂ）複数の画素において求められたＶmax（Ｓ）／Ｖ（Ｓ）の値の内、少なくとも１つの値に基づいて伸長係数α0を求め、
（ｃ）第（ｐ，ｑ）番目の第２の画素Ｐｘ2における第１副画素・出力信号値Ｘ1-(p,q)-2を、第１副画素・入力信号値ｘ1-(p,q)-2、伸長係数α0及び定数χに基づき求め、
第２の画素Ｐｘ2における第２副画素・出力信号値Ｘ2-(p,q)-2を、第２副画素・入力信号値ｘ2-(p,q)-2、伸長係数α0及び定数χに基づき求め、
第２の画素Ｐｘ2における第４副画素・出力信号値Ｘ4-(p,q)-2を、第４副画素・制御第２信号値ＳＧ2-(p,q)、第４副画素・制御第１信号値ＳＧ1-(p,q)、伸長係数α0及び定数χに基づき求める。伸長係数α0は、１画像表示フレーム毎に決定される。尚、第４副画素・制御第２信号値ＳＧ2-(p,q)、第４副画素・制御第１信号値ＳＧ1-(p,q)は、それぞれ、式（２−１−Ａ’）及び式（２−１−Ｂ’）に基づき求める。更には、制御信号値（第３副画素・制御信号値）ＳＧ3-(p,q)を、以下の式（２−１−Ｃ’）から求める。
【０２１２】
ＳＧ2-(p,q)＝（Ｍｉｎ(p,q)-2）・α0            （２−１−Ａ’）
ＳＧ1-(p,q)＝（Ｍｉｎ(p,q')）・α0             （２−１−Ｂ’）
ＳＧ3-(p,q)＝（Ｍｉｎ(p,q)-1）・α0            （２−１−Ｃ’）
【０２１３】
また、第（ｐ，ｑ）番目の第１の画素Ｐｘ1における彩度をＳ(p,q)-1、明度をＶ(p,q)-1、第（ｐ，ｑ）番目の第２の画素Ｐｘ2における彩度をＳ(p,q)-2、明度をＶ(p,q)-2としたとき、
Ｓ(p,q)-1＝（Ｍａｘ(p,q)-1−Ｍｉｎ(p,q)-1）／Ｍａｘ(p,q)-1    （６１−Ａ）
Ｖ(p,q)-1＝Ｍａｘ(p,q)-1                                      （６１−Ｂ）
Ｓ(p,q)-2＝（Ｍａｘ(p,q)-2−Ｍｉｎ(p,q)-2）／Ｍａｘ(p,q)-2    （６１−Ｃ）
Ｖ(p,q)-2＝Ｍａｘ(p,q)-2                                      （６１−Ｄ）
で表される。
【０２１４】
実施例６にあっては、第４副画素・出力信号値Ｘ4-(p,q)-2を式（４−Ａ”）から求める。即ち、第４副画素・出力信号値Ｘ4-(p,q)-2を相加平均で求める。尚、式（４−Ａ”）においては、右辺をχで除しているが、これに限定するものではない。
【０２１５】
Ｘ4-(p,q)-2＝（ＳＧ2-(p,q)＋ＳＧ1-(p,q)）／（２χ）      （４−Ａ”）
【０２１６】
また、第１副画素Ｒ、第２副画素Ｇ及び第３副画素Ｂの出力信号値Ｘ1-(p,q)-2，Ｘ2-(p,q)-2，Ｘ1-(p,q)-1，Ｘ2-(p,q)-1，Ｘ3-(p,q)-1を、前述した式（５−ａ）〜式（５−ｆ）、及び、式（６−ａ’）から求める。
【０２１７】
Ｘ1-(p,q)-1  ＝α0・ｘ1-(p,q)-1−χ・ＳＧ3-(p,q)        （５−ａ）
Ｘ2-(p,q)-1  ＝α0・ｘ2-(p,q)-1−χ・ＳＧ3-(p,q)        （５−ｂ）
Ｘ’3-(p,q)-1＝α0・ｘ3-(p,q)-1−χ・ＳＧ3-(p,q)        （５−ｃ）
Ｘ1-(p,q)-2  ＝α0・ｘ1-(p,q)-2−χ・ＳＧ2-(p,q)        （５−ｄ）
Ｘ2-(p,q)-2  ＝α0・ｘ2-(p,q)-2−χ・ＳＧ2-(p,q)        （５−ｅ）
Ｘ’3-(p,q)-2＝α0・ｘ3-(p,q)-2−χ・ＳＧ2-(p,q)        （５−ｆ）
Ｘ3-(p,q)-1  ＝（Ｘ’3-(p,q)-1＋Ｘ’3-(p,q)-2）／２     （６−ａ’）
【０２１８】
実施例６にあっても、実施例２と同様に、第４の色（白色）を加えることで拡大されたＨＳＶ色空間における彩度Ｓを変数とした明度の最大値Ｖmax（Ｓ）が、信号処理部２０に記憶され、あるいは、信号処理部２０にて、都度、求められる。即ち、第４の色（白色）を加えることで、ＨＳＶ色空間における明度のダイナミック・レンジが広げられている。
【０２１９】
以下、第（ｐ，ｑ）番目の画素群ＰＧ(p,q)における出力信号値Ｘ1-(p,q)-2，Ｘ2-(p,q)-2，Ｘ1-(p,q)-1，Ｘ2-(p,q)-1，Ｘ3-(p,q)-1の求め方（伸長処理）を説明する。尚、以下の処理では、階調−輝度特性（ガンマ特性，γ特性）を保持（維持）するように行われる。また、以下の処理では、第１の画素及び第２の画素の全体で、即ち、各画素群において、輝度の比を出来る限り保つように行われ、しかも、色調を出来る限り保持（維持）するように行われる。
【０２２０】
［工程−６００］
先ず、信号処理部２０において、複数の画素における副画素・入力信号値に基づき、複数の画素群における彩度Ｓ及び明度Ｖ（Ｓ）を求める。具体的には、第（ｐ，ｑ）番目の第２の画素Ｐｘ(p,q)-2における第１副画素・入力信号の入力信号値ｘ1-(p,q)-2、第２副画素・入力信号の入力信号値ｘ2-(p,q)-2、第３副画素・入力信号の入力信号値ｘ3-(p,q)-2、並びに、隣接画素における第３副画素・入力信号の入力信号値ｘ3-(p,q')に基づき、式（２１−Ａ）、式（２１−Ｂ）、式（２１−Ｃ）、式（２１−Ｄ）と実質的に同じ式（Ｍａｘ(p,q)をＭａｘ(p,q)-2と置き換え、Ｍｉｎ(p,q)をＭｉｎ(p,q)-2と置き換えた式）から、Ｓ(p,q)-1，Ｓ(p,q)-2，Ｖ(p,q)-1，Ｖ(p,q)-2を求める。この処理を、全ての画素群に対して行う。
【０２２１】
［工程−６１０］
次いで、信号処理部２０において、複数の画素群において求められたＶmax（Ｓ）／Ｖ（Ｓ）の値の内、少なくとも１つの値に基づいて伸長係数α0を求める。
【０２２２】
具体的には、実施例６にあっては、全ての画素（Ｐ0×Ｑ個の画素）において求められたＶmax（Ｓ）／Ｖ（Ｓ）の値の内の最も小さい値（最小値，αmin）を伸長係数α0として求める。即ち、α(p,q)＝Ｖmax（Ｓ）／Ｖ(p,q)（Ｓ）の値を全ての画素群（Ｐ0×Ｑ個の画素群）において求め、α(p,q)の最小値をαmin（＝伸長係数α0）とする。
【０２２３】
［工程−６２０］
次に、信号処理部２０において、第（ｐ，ｑ）番目の画素群ＰＧ(p,q)における第４副画素・出力信号値Ｘ4-(p,q)-2を式（２−１−Ａ’）、式（２−１−Ｂ’）、式（４−Ａ”）に基づき求める。尚、Ｘ4-(p,q)-2を、Ｐ×Ｑ個の全画素群ＰＧ(p,q)において求める。［工程−６１０］と［工程−６２０］とを同時に実行してもよい。
【０２２４】
［工程−６３０］
次いで、信号処理部２０において、式（５−ａ）〜式（５−ｆ）、式（６−ａ’）から、第（ｐ，ｑ）番目の第２の画素Ｐｘ(p,q)-2における第１副画素・出力信号値Ｘ1-(p,q)-2を、入力信号値ｘ1-(p,q)-2、伸長係数α0及び定数χに基づき求め、第２副画素・出力信号値Ｘ2-(p,q)-2を、入力信号値ｘ2-(p,q)-2、伸長係数α0及び定数χに基づき求める。併せて、第（ｐ，ｑ）番目の第１の画素Ｐｘ(p,q)-1における第１副画素・出力信号値Ｘ1-(p,q)-1を、入力信号値ｘ1-(p,q)-1、伸長係数α0及び定数χに基づき求め、第２副画素・出力信号値Ｘ2-(p,q)-1を、入力信号値ｘ2-(p,q)-1、伸長係数α0及び定数χに基づき求め、第３副画素・出力信号値Ｘ3-(p,q)-1を、入力信号値ｘ3-(p,q)-1，ｘ3-(p,q)-2、伸長係数α0及び定数χに基づき求める。尚、［工程−６２０］と［工程−６３０］とを同時に実行してもよいし、［工程−６３０］の実行後、［工程−６２０］を実行してもよい。
【０２２５】
実施例６においても、重要な点は、式（５−ａ）〜式（５−ｆ）、式（６−ａ’）に示したとおり、第１副画素Ｒ、第２副画素Ｇ及び第３副画素Ｂの輝度が伸長係数α0によって伸長されていることにある。このように、第１副画素Ｒ、第２副画素Ｇの輝度が伸長係数α0によって伸長されることで、白色表示副画素（第４副画素）の輝度が増加するだけでなく、赤色表示副画素及び緑色表示副画素（第１副画素及び第２副画素）の輝度も増加する。それ故、色のくすみが発生するといった問題の発生を確実に回避することができる。即ち、第１副画素Ｒ、第２副画素Ｇ、第３副画素Ｂの輝度が伸長されていない場合と比較して、画像全体として輝度はα0倍となる。このように、実施例６の画像表示装置組立体あるいはその駆動方法にあっては、第（ｐ，ｑ）番目の画素群ＰＧ(p,q)における出力信号値Ｘ1-(p,q)-2，Ｘ2-(p,q)-2，Ｘ4-(p,q)-2，Ｘ1-(p,q)-1，Ｘ2-(p,q)-1，Ｘ3-(p,q)-1は、α0倍、伸長されている。それ故、伸長されていない状態の画像の輝度と同じ画像の輝度とするためには、面状光源装置５０の輝度を、伸長係数α0に基づき減少させればよい。具体的には、面状光源装置５０の輝度を、（１／α0）倍とすればよい。これによって、面状光源装置の消費電力の低減を図ることができる。
【０２２６】
尚、各画素群において、第１画素及び第２画素における出力信号値の比
Ｘ1-(p,q)-2：Ｘ2-(p,q)-2
Ｘ1-(p,q)-1：Ｘ2-(p,q)-1：Ｘ3-(p,q)-1
は、入力信号値の比
ｘ1-(p,q)-2：ｘ2-(p,q)-2
ｘ1-(p,q)-1：ｘ2-(p,q)-1：ｘ3-(p,q)-1
と若干異なり、各画素を単独で眺めたとき、入力信号に対して各画素の色調に若干の差異が生じる場合があるが、画素群として眺めた場合、各画素群の色調に何らの問題は生じない。
【０２２７】
以上、本発明を好ましい実施例に基づき説明したが、本発明はこれらの実施例に限定されるものではない。実施例において説明したカラー液晶表示装置組立体、カラー液晶表示装置や面状光源装置、面状光源ユニット、駆動回路の構成、構造は例示であるし、これらを構成する部材、材料等も例示であり、適宜、変更することができる。
【０２２８】
実施例２や実施例６にあっては、彩度Ｓ及び明度Ｖ（Ｓ）を求めるべき複数の画素（あるいは、第１副画素、第２副画素及び第３副画素の組）を、Ｐ×Ｑ個の全画素（あるいは、第１副画素、第２副画素及び第３副画素の組）であるとしたが、これに限定されるものではない。即ち、彩度Ｓ及び明度Ｖ（Ｓ）を求めるべき複数の画素（あるいは、第１副画素、第２副画素及び第３副画素の組）を、例えば、４つ毎に１つ、８つ毎に１つとすることができる。
【０２２９】
実施例２や実施例６においては、第１副画素・入力信号、第２副画素・入力信号及び第３副画素・入力信号等に基づき伸長係数α0を求めたが、代替的に、第１副画素・入力信号、第２副画素・入力信号及び第３副画素・入力信号の内のいずれか１種類の入力信号（あるいは、第１副画素、第２副画素及び第３副画素の組における副画素・入力信号の内のいずれか１種類の入力信号、あるいは又、第１副画素・入力信号、第２副画素・入力信号及び第３副画素・入力信号の内のいずれか１種類の入力信号）に基づき伸長係数α0を求めてもよい。具体的には、係るいずれか１種類の入力信号における入力信号値として、例えば、緑色に対する入力信号値ｘ2-(p,q)，ｘ2-(p,q)-2を挙げることができる。そして、求められた伸長係数α0から、実施例と同様にして、出力信号値を求めればよい。尚、この場合には、式（２１−Ｃ）等のＳ(p,q)，Ｓ(p,q)-2を用いずに、Ｓ(p,q)，Ｓ(p,q)-2の値として「１」を用いればよい。即ち、式（２１−Ｃ）等におけるＭｉｎ(p,q)，Ｍｉｎ(p,q)-2の値を「０」とする。あるいは又、第１副画素・入力信号、第２副画素・入力信号及び第３副画素・入力信号の内のいずれか２種類の入力信号における入力信号値（あるいは、第１副画素、第２副画素及び第３副画素の組における副画素・入力信号の内のいずれか２種類の入力信号、あるいは又、第１副画素・入力信号、第２副画素・入力信号及び第３副画素・入力信号の内のいずれか２種類の入力信号）に基づき伸長係数α0を求めてもよい。具体的には、例えば、赤色に対する入力信号値ｘ1-(p,q)-2及び緑色に対する入力信号値ｘ2-(p,q)-2を挙げることができる。そして、求められた伸長係数α0から、実施例と同様にして、出力信号値を求めればよい。尚、この場合には、式（２１−Ｃ）、式（２１−Ｄ）等のＳ(p,q)，Ｖ(p,q)，Ｓ(p,q)-2，Ｖ(p,q)-2を用いずに、例えば、Ｓ(p,q)の値として、ｘ1-(p,q)≧ｘ2-(p,q)の場合、
Ｓ(p,q)＝（ｘ1-(p,q)−ｘ2-(p,q)）／ｘ2-(p,q)
Ｖ(p,q)＝ｘ1-(p,q)
とすればよいし、ｘ1-(p,q)＜ｘ2-(p,q)の場合、
Ｓ(p,q)＝（ｘ2-(p,q)−ｘ1-(p,q)）／ｘ2-(p,q)
Ｖ(p,q)＝ｘ2-(p,q)
とすればよい。例えば、単色の画像をカラー画像表示装置にて表示する場合には、このような伸長処理を行えば十分である。
【０２３０】
あるいは又、画質変化が観察者が知覚できない範囲において、伸長処理を行う形態とすることもできる。具体的には、視感度の高い黄色において階調の潰れが目立ち易い。従って、特定の色相（例えば、黄色）を有する入力信号において、伸長された出力信号が確実にＶmaxを越えないように、伸長処理を行うことが好ましい。あるいは又、特定の色相（例えば、黄色）を有する入力信号の割合が少ない場合、伸長係数α0を最小値よりも大きな値とすることもできる。
【０２３１】
エッジライト型（サイドライト型）の面状光源装置を採用することもできる。そして、この場合、図１９に概念図を示すように、例えば、ポリカーボネート樹脂から成る導光板５１０は、第１面（底面）５１１、この第１面５１１と対向した第２面（頂面）５１３、第１側面５１４、第２側面５１５、第１側面５１４と対向した第３側面５１６、及び、第２側面５１５と対向した第４側面を有する。導光板のより具体的な形状は、全体として、楔状の切頭四角錐形状であり、切頭四角錐の２つの対向する側面が第１面５１１及び第２面５１３に相当し、切頭四角錐の底面が第１側面５１４に相当する。そして、第１面５１１の表面部には凹凸部５１２が設けられている。導光板５１０への第１原色光入射方向であって第１面５１１と垂直な仮想平面で導光板５１０を切断したときの連続した凸凹部の断面形状は、三角形である。即ち、第１面５１１の表面部に設けられた凹凸部５１２は、プリズム状である。導光板５１０の第２面５１３は、平滑としてもよいし（即ち、鏡面としてもよいし）、光拡散効果のあるブラストシボを設けてもよい（即ち、微細な凹凸面とすることもできる）。導光板５１０の第１面５１１に対向して光反射部材５２０が配置されている。また、導光板５１０の第２面５１３に対向して画像表示パネル（例えば、カラー液晶表示パネル）が配置されている。更には、画像表示パネルと導光板５１０の第２面５１３との間には、光拡散シート５３１及びプリズムシート５３２が配置されている。光源５００から出射された第１原色光は、導光板５１０の第１側面５１４（例えば、切頭四角錐の底面に相当する面）から導光板５１０に入射し、第１面５１１の凹凸部５１２に衝突して散乱され、第１面５１１から出射し、光反射部材５２０にて反射され、第１面５１１に再び入射し、第２面５１３から出射され、光拡散シート５３１及びプリズムシート５３２を通過して、例えば、実施例１の画像表示パネルを照射する。
【０２３２】
光源として、発光ダイオードの代わりに、第１原色光としての青色の光を出射する蛍光ランプあるいは半導体レーザを採用してもよい。この場合、蛍光ランプあるいは半導体レーザが出射する第１原色（青色）に相当する第１原色光の波長λ1として、４５０ｎｍを例示することができる。また、蛍光ランプあるいは半導体レーザによって励起される第２原色発光粒子に相当する緑色発光粒子は、例えばＳｒＧａ2Ｓ4：Ｅｕから成る緑色発光蛍光体粒子とすればよく、第３原色発光粒子に相当する赤色発光粒子は、例えばＣａＳ：Ｅｕから成る赤色発光蛍光体粒子とすればよい。あるいは又、半導体レーザを用いる場合、半導体レーザが出射する第１原色（青色）に相当する第１原色光の波長λ1として、４５７ｎｍを例示することができ、この場合、半導体レーザによって励起される第２原色発光粒子に相当する緑色発光粒子は、例えばＳｒＧａ2Ｓ4：Ｅｕから成る緑色発光蛍光体粒子とすればよく、第３原色発光粒子に相当する赤色発光粒子は、例えばＣａＳ：Ｅｕから成る赤色発光蛍光体粒子とすればよい。あるいは又、面状光源装置の光源として、冷陰極線型の蛍光ランプ（ＣＣＦＬ）、熱陰極線型の蛍光ランプ（ＨＣＦＬ）あるいは外部電極型の蛍光ランプ（ＥＥＦＬ，External Electrode Fluorescent Lamp）を用いることもできる。
【０２３３】
第４副画素・制御第２信号値ＳＧ2-(p,q)と第４副画素・制御第１信号値ＳＧ1-(p,q)との関係が或る条件から逸脱した場合には、各実施例において、隣接する隣接画素を変えてもよい。即ち、隣接画素が第（ｐ，ｑ−１）番目の画素である場合、隣接画素を第（ｐ，ｑ＋１）番目の画素に変更してもよいし、隣接画素を第（ｐ，ｑ−１）番目の画素及び第（ｐ，ｑ＋１）番目の画素に変更してもよい。
【０２３４】
あるいは又、第４副画素・制御第２信号値ＳＧ2-(p,q)と第４副画素・制御第１信号値ＳＧ1-(p,q)との関係が或る条件から逸脱した場合には、各実施例における処理を行わないといった操作を行ってもよい。例えば、
Ｘ4-(p,q)-2 ＝（ＳＧ2-(p,q)＋ＳＧ1-(p,q)）／２
といった処理を行う場合、｜ＳＧ2-(p,q)−ＳＧ1-(p,q)｜の値が所定の値ΔＸ1以上（あるいは、以下）となった場合には、Ｘ4-(p,q)-2の値として、ＳＧ2-(p,q)にのみ基づいた値を採用し、あるいは又、ＳＧ1-(p,q)にのみ基づいた値を採用し、各実施例を適用することができる。あるいは又、（ＳＧ2-(p,q)−ＳＧ1-(p,q)）の値が所定の値ΔＸ2以上となった場合、（ＳＧ2-(p,q)−ＳＧ1-(p,q)）の値が所定の値ΔＸ3以下となった場合のそれぞれにおいては、各実施例における処理とは異なる処理を行うといった操作を実行してもよい。
【０２３５】
場合によっては、実施例５あるいは実施例６において説明した画素群の配列を以下のとおりに変更して、実質的に実施例５あるいは実施例６において説明した画像表示装置の駆動方法、画像表示装置組立体の駆動方法を実行してもよい。即ち、図１８に示すように、
画素が、第１の方向にＰ個、第２の方向にＱ個の合計、Ｐ×Ｑ個、２次元マトリクス状に配列されて成る画像表示パネル、及び、信号処理部を備え、
画像表示パネルは、第１の方向に沿って第１の画素が配列された第１画素列と、第１画素列に隣接して、且つ、第１画素列と交互に、第１の方向に沿って第２の画素が配列された第２画素列から構成されており、
第１の画素は、第１原色を表示する第１副画素、第２原色を表示する第２副画素、及び、第３原色を表示する第３副画素から成り、
第２の画素は、第１原色を表示する第１副画素、第２原色を表示する第２副画素、及び、第４の色を表示する第４副画素から成り、
信号処理部において、
第１の画素への第１副画素・出力信号を、少なくとも第１の画素への第１副画素・入力信号及び伸長係数α0に基づき求め、第１の画素の第１副画素へ出力し、
第１の画素への第２副画素・出力信号を、少なくとも第１の画素への第２副画素・入力信号及び伸長係数α0に基づき求め、第１の画素の第２副画素へ出力し、
第２の画素への第１副画素・出力信号を、少なくとも第２の画素への第１副画素・入力信号及び伸長係数α0に基づき求め、第２の画素の第１副画素へ出力し、
第２の画素への第２副画素・出力信号を、少なくとも第２の画素への第２副画素・入力信号及び伸長係数α0に基づき求め、第２の画素の第２副画素へ出力する画像表示装置の駆動方法であって、
信号処理部において、更に、
第２の方向に沿って数えたときの第（ｐ，ｑ）番目［但し、ｐ＝１，２・・・Ｐであり、ｑ＝１，２・・・，Ｑである］の第２の画素における第１副画素・入力信号、第２副画素・入力信号及び第３副画素・入力信号から求められた第４副画素・制御第２信号、並びに、第２の方向に沿って第（ｐ，ｑ）番目の第２の画素に隣接した第１の画素における第１副画素・入力信号、第２副画素・入力信号及び第３副画素・入力信号から求められた第４副画素・制御第１信号に基づき第４副画素・出力信号を求め、求められた第４副画素・出力信号を、第（ｐ，ｑ）番目の第２の画素へ出力し、
少なくとも第（ｐ，ｑ）番目の第２の画素における第３副画素・入力信号並びに第（ｐ，ｑ）番目の第２の画素に隣接した第１の画素における第３副画素・入力信号に基づき第３副画素・出力信号を求め、求められた第３副画素・出力信号を、第（ｐ，ｑ）番目の第１の画素へ出力する画像表示装置の駆動方法を採用してもよい。
【符号の説明】
【０２３６】
１０・・・画像表示装置、２０・・・信号処理部、３０，１３０・・・画像表示パネル、１３１・・・表示領域、１３２・・・表示領域ユニット、４０・・・画像表示パネル駆動回路、４１・・・信号出力回路、４２・・・走査回路、５０，１５０・・・面状光源装置、１５２・・・面状光源ユニット、１５３・・・発光ダイオード、６０，１６０・・・面状光源装置制御回路、６１・・・演算回路、６２・・・記憶装置（メモリ）、６３・・・ＬＥＤ駆動回路６３、６４・・・フォトダイオード制御回路、６５・・・スイッチング素子、６６・・・発光ダイオード駆動電源（定電流源）、６７・・・フォトダイオード、５１０・・・導光板、５１１・・・第１面（底面）、５１２・・・凹凸部、５１３・・・第２面（頂面）、５１４・・・第１側面、５１５・・・第２側面、５１６・・・第３側面、５２０・・・光反射部材、５３１・・・光拡散シート、５３２・・・プリズムシート、ＵＮ・・・発光素子ユニット、ＤＴＬ，ＳＣＬ・・・配線、ｒ・・・電流検出用の抵抗体
【図１】
0005619429.tif 000004
【図２】
0005619429.tif 000005
【図３】
0005619429.tif 000006
【図４】
0005619429.tif 000007
【図５】
0005619429.tif 000008
【図６】
0005619429.tif 000009
【図９】
0005619429.tif 000010
【図１０】
0005619429.tif 000011
【図１１】
0005619429.tif 000012
【図１２】
0005619429.tif 000013
【図１３】
0005619429.tif 000014
【図１４】
0005619429.tif 000015
【図１５】
0005619429.tif 000016
【図１６】
0005619429.tif 000017
【図１７】
0005619429.tif 000018
【図１８】
0005619429.tif 000019
【図１９】
0005619429.tif 000020
【図７】
0005619429.tif 000021
【図８】
0005619429.tif 000022
【図２０】
0005619429.tif 000023